(57)【要約】  本願の実施形態は、アップリンク／ダウンリンクデータ伝送スループットを向上させるために、データ伝送方法およびデバイスを提供する。当該方法は、伝送対象のトランスポートブロックを完全に均等ではないサイズのＮ個のコードブロックに分割する段階であって、Ｎは２以上の整数である、分割する段階と、当該Ｎ個のコードブロックに対して誤り訂正符号化を実行してＮ個の符号化ビットブロックを取得する段階と、時間領域、周波数領域、空間領域および符合領域のうち少なくとも１つの次元において同じリソースを用いて、当該Ｎ個の符号化ビットブロックを非直交伝送する段階とを含む。
2020503758.tif 000002
【特許請求の範囲】
【請求項１】
非直交データ伝送方法であって、
伝送対象のトランスポートブロックを完全に均等ではないサイズのＮ個のコードブロックに分割する段階であって、Ｎは２以上の整数である段階である、分割する段階と、
前記Ｎ個のコードブロックに対して誤り訂正符号化を実行してＮ個の符号化ビットブロックを取得する段階と、
時間領域、周波数領域、空間領域および符合領域のうち少なくとも１つの次元において同じリソースを用いて、前記Ｎ個の符号化ビットブロックを非直交伝送する段階と
を備える方法。
【請求項２】
前記Ｎ個の符号化ビットブロックを前記非直交伝送する段階は、
前記Ｎ個の符号化ビットブロックをＭ個のビットストリームにマッピングする段階であって、Ｍは１以上の整数である、マッピングする段階と、
前記Ｍ個のビットストリームを変調してＭ個の伝送対象のシンボルストリームを取得する段階であって、前記Ｍ個の伝送対象のシンボルストリームの全てに含まれる変調シンボルの数量は同一である、変調する段階と、
前記Ｍ個の伝送対象のシンボルストリームを重畳させて重畳シンボルストリームを取得する段階と、
前記重畳シンボルストリームを非直交伝送する段階と
を含む
請求項１に記載の方法。
【請求項３】
前記Ｎ個の符号化ビットブロックをＭ個のビットストリームにマッピングする前記段階は、
前記Ｎ個の符号化ビットブロックを前記Ｍ個のビットストリームに疑似乱数的にマッピングする段階を含む
請求項２に記載の方法。
【請求項４】
前記Ｎ個の符号化ビットブロックを前記Ｍ個のビットストリームに疑似乱数的にマッピングする前記段階は、
前記Ｎ個の符号化ビットブロックの各々が分割された後、前記Ｎ個の符号化ビットブロックの各々を前記Ｍ個のビットストリームのうち少なくとも２つに疑似乱数的にマッピングする段階、または
前記Ｎ個の符号化ビットブロックのうち少なくとも２つが結合された後、前記Ｎ個の符号化ビットブロックを前記Ｍ個のビットストリームのうち少なくとも２つに疑似乱数的にマッピングする段階を含む
請求項３に記載の方法。
【請求項５】
前記Ｎ個の符号化ビットブロックをＭ個のビットストリームにマッピングする前記段階は、
前記Ｎ個の符号化ビットブロックの配置順序および／または前記Ｎ個の符号化ビットブロックの各々のビットの配置順序に従って前記Ｎ個の符号化ビットブロックを前記Ｍ個のビットストリームに連続的にマッピングする段階とを含む
請求項２に記載の方法。
【請求項６】
前記Ｍ個のビットストリームを変調してＭ個の伝送対象のシンボルストリームを取得する前記段階は、
前記Ｍ個のビットストリームにおける第１ビットストリームを直交振幅変調および／または位相シフト変調によって変調して、前記Ｍ個の伝送対象のシンボルストリームを取得する段階を含む、請求項２から５のいずれか一項に記載の方法。
【請求項７】
前記Ｍ個のビットストリームを変調してＭ個の伝送対象のシンボルストリームを取得する前記変調する段階は、
前記Ｍ個のビットストリームにおける第２ビットストリームに対して、コードブックを用いて多次元変調を実行する段階を含み、前記コードブックは、２つ以上のコードワードで構成され、前記コードワードは多次元複素ベクトルであって、データと少なくとも２つの変調シンボルとの間のマッピング関係を表すために用いられており、前記少なくとも２つの変調シンボルは、少なくとも１つのゼロ変調シンボルおよび少なくとも１つの非ゼロ変調シンボルを有する
請求項２から５のいずれか一項に記載の方法。
【請求項８】
前記Ｎ個のコードブロックの変調スキームは完全に同一ではない、請求項２から７のいずれか一項に記載の方法。
【請求項９】
前記Ｎ個のコードブロックに誤り訂正符号化を実行してＮ個の符号化ビットブロックを取得する前記段階は、
完全に同一ではないコードレートを用いて、前記Ｎ個のコードブロックに誤り訂正符号化を実行して、前記Ｎ個の符号化ビットブロックを取得する段階を含む
請求項１から８のいずれか一項に記載の方法。
【請求項１０】
時間領域、周波数領域、空間領域および符合領域のうち少なくとも１つの次元において同じリソースを用いて受信信号を取得する段階と、
前記受信信号を復調することによりＮ個の符号化ビットブロックを取得する段階であって、Ｎは２以上の整数である、取得する段階と、
前記Ｎ個の符号化ビットブロックに対して誤り訂正復号化を実行して、完全に同一ではないサイズのＮ個のコードブロックを取得する段階と、
前記Ｎ個のコードブロックを結合してトランスポートブロックを取得する段階と
を備える非直交データ伝送方法。
【請求項１１】
前記受信信号に基づいてＮ個の符号化ビットブロックを取得する前記段階は、
前記受信信号を取得する段階であって、前記受信信号は重畳シンボルストリームを含む、取得する段階と、
前記重畳シンボルストリームを均等に分割してＭ個のシンボルストリームを取得する段階であって、前記Ｍ個のシンボルストリームの全てに含まれるシンボルの数量は等しく、Ｍは１以上の整数である、取得する段階と、
前記Ｍ個のシンボルストリームを復調してＭ個のビットストリームを取得する段階と、
前記Ｍ個のビットストリームをデマッピングして前記Ｎ個の符号化ビットブロックを取得する段階であって、Ｎは２以上の整数である、取得する段階と
を含む請求項１０に記載の方法。
【請求項１２】
前記Ｍ個のビットストリームをデマッピングしてＮ個の符号化ビットブロックを取得する前記段階は、
前記Ｍ個のビットストリームにおけるビットを疑似乱数的にデマッピングして前記Ｎ個の符号化ビットブロックを取得する段階、または、
前記Ｍ個のビットストリームにおけるビットを連続的にデマッピングして前記Ｎ個の符号化ビットブロックを取得する段階
を含む請求項１１に記載の方法。
【請求項１３】
前記Ｍ個のシンボルストリームを復調してＭ個のビットストリームを取得する、前記復調する段階は、
直交振幅復調および／または位相シフト復調によって前記Ｍ個のシンボルストリームを復調して、前記Ｍ個のビットストリームを取得する段階を含む、請求項１１または１２に記載の方法。
【請求項１４】
前記Ｍ個のシンボルストリームを復調してＭ個のビットストリームを取得する前記段階は、
コードブックを用いて前記Ｍ個のシンボルストリームを復調して前記Ｍ個のビットストリームを取得する段階を含み、前記コードブックは２つ以上のコードワードで構成され、前記コードワードは多次元複素ベクトルであって、データと少なくとも２つの変調シンボルとの間のマッピング関係を表すために用いられ、前記少なくとも２つの変調シンボルは、少なくとも１つのゼロ変調シンボルおよび少なくとも１つの非ゼロ変調シンボルを有する、請求項１１または１２に記載の方法。
【請求項１５】
前記Ｍ個のビットストリームの復調スキームは完全に同一ではない、請求項１１から１４のいずれか一項に記載の方法。
【請求項１６】
完全に同一ではないコードレートを用いて、前記Ｎ個のコードブロックに対して誤り訂正復号化が実行されて、完全に同一ではないサイズの前記Ｎ個のコードブロックを取得する、請求項１０から１５のいずれか一項に記載の方法。
【請求項１７】
伝送対象のトランスポートブロックを、完全に均等ではないサイズのＮ個のコードブロックに分割するように構成されている分割ユニットであって、Ｎは２以上の整数である、分割ユニットと、
前記Ｎ個のコードブロックに対して誤り訂正符号化を実行して、Ｎ個の符号化ビットブロックを取得するように構成されている符号化ユニットと、
時間領域、周波数領域、空間領域および符合領域のうち少なくとも１つの次元において同じリソースを用いて、前記Ｎ個の符号化ビットブロックを非直交伝送するように構成されている伝送ユニットと
を備える非直交データ伝送デバイス。
【請求項１８】
前記伝送ユニットは、
前記Ｎ個の符号化ビットブロックをＭ個のビットストリームにマッピングすることであって、ここでＭは１以上の整数である、マッピングすることと、
前記Ｍ個のビットストリームを変調してＭ個の伝送対象のシンボルストリームを取得することであって、ここで前記Ｍ個の伝送対象のシンボルストリームの全てに含まれる変調シンボルの数量は等しい、取得することと、
前記Ｍ個の伝送対象のシンボルストリームを重畳させて重畳シンボルストリームを取得することと、
前記重畳シンボルストリームを非直交伝送することとを行うように具体的に構成されている、請求項１７に記載のデバイス。
【請求項１９】
前記伝送ユニットは、
前記Ｎ個の符号化ビットブロックを前記Ｍ個のビットストリームに疑似乱数的にマッピングするように具体的に構成されている、請求項１８に記載のデバイス。
【請求項２０】
前記伝送ユニットは、
前記Ｎ個の符号化ビットブロックの各々が分割された後、前記Ｎ個の符号化ビットブロックを前記Ｍ個のビットストリームのうち少なくとも２つに疑似乱数的にマッピングすること、または
前記Ｎ個の符号化ビットブロックのうち少なくとも２つが結合された後、前記Ｎ個の符号化ビットブロックを前記Ｍ個のビットストリームのうち少なくとも２つに疑似乱数的にマッピングすることを行うように具体的に構成されている、請求項１９に記載のデバイス。
【請求項２１】
前記伝送ユニットは、
前記Ｎ個の符号化ビットブロックの配置順序および／または前記Ｎ個の符号化ビットブロックの各々のビットの配置順序に従って、前記Ｎ個の符号化ビットブロックを前記Ｍ個のビットストリームに連続的にマッピングするように具体的に構成されている、請求項１８に記載のデバイス。
【請求項２２】
前記伝送ユニットは、
前記Ｍ個のビットストリームにおける第１ビットストリームを、直交振幅変調および／または位相シフト変調によって変調して、前記Ｍ個の伝送対象のシンボルストリームを取得するように具体的に構成されている、請求項１８から２１のいずれか一項に記載のデバイス。
【請求項２３】
前記伝送ユニットは、
前記Ｍ個のビットストリームにおける第２ビットストリームに対して、コードブックを用いて多次元変調を実行するように具体的に構成されており、前記コードブックは、２つ以上のコードワードで構成され、前記コードワードは多次元複素ベクトルであって、データと少なくとも２つの変調シンボルとの間のマッピング関係を表すために用いられ、前記少なくとも２つの変調シンボルは、少なくとも１つのゼロ変調シンボルおよび少なくとも１つの非ゼロ変調シンボルを有する、請求項１８から２１のいずれか一項に記載のデバイス。
【請求項２４】
前記Ｎ個のコードブロックの変調スキームは完全に同一ではない、請求項１８から２３のいずれか一項に記載のデバイス。
【請求項２５】
前記符号化ユニットは、
完全に同一ではないコードレートを用いることにより、前記Ｎ個のコードブロックに対して誤り訂正符号化を実行して、前記Ｎ個の符号化ビットブロックを取得するように具体的に構成されている、請求項１７から２４のいずれか一項に記載のデバイス。
【請求項２６】
時間領域、周波数領域、空間領域および符合領域のうち少なくとも１つの次元において同じリソースを用いて受信信号を取得するように構成されている取得ユニットであって、前記受信信号は重畳シンボルストリームを含む、取得ユニットと、
前記受信信号を復調することによりＮ個の符号化ビットブロックを取得するように構成されている処理ユニットであって、Ｎは２以上の整数である、処理ユニットと、
前記Ｎ個の符号化ビットブロックに対して誤り訂正復号を実行して、完全に均等ではないサイズのＮ個のコードブロックを取得するように構成されている復号ユニットと、
前記Ｎ個のコードブロックを結合してトランスポートブロックを取得するように構成されている結合ユニットと
を備える非直交データ伝送デバイス。
【請求項２７】
前記処理ユニットは、
前記受信信号における前記重畳シンボルストリームを取得することと、
前記重畳シンボルストリームを均等に分割してＭ個のシンボルストリームを取得することであって、前記Ｍ個のシンボルストリームの全てに含まれるシンボルの数量は等しく、Ｍは１以上の整数である、取得することと、
前記Ｍ個のシンボルストリームを復調してＭ個のビットストリームを取得することと、
前記Ｍ個のビットストリームをデマッピングして前記Ｎ個の符号化ビットブロックを取得することであって、Ｎは２以上の整数である、取得することとを行うように具体的に構成されている、
請求項２６に記載のデバイス。
【請求項２８】
前記処理ユニットは、
前記Ｍ個のビットストリームにおけるビットを疑似乱数的にデマッピングして前記Ｎ個の符号化ビットブロックを取得すること、または
前記Ｍ個のビットストリームにおけるビットを連続的にデマッピングして前記Ｎ個の符号化ビットブロックを取得することを行うように具体的に構成されている、請求項２７に記載のデバイス。
【請求項２９】
前記処理ユニットは、
直交振幅復調および／または位相シフト復調によって前記Ｍ個のシンボルストリームを復調して、前記Ｍ個のビットストリームを取得するように具体的に構成されている、請求項２７または２８に記載のデバイス。
【請求項３０】
前記処理ユニットは、
コードブックを用いて前記Ｍ個のシンボルストリームを復調して前記Ｍ個のビットストリームを取得するように具体的に構成されており、前記コードブックは、２つ以上のコードワードで構成され、前記コードワードは多次元複素ベクトルであって、データと少なくとも２つの変調シンボルとの間のマッピング関係を表すために用いられ、前記少なくとも２つの変調シンボルは、少なくとも１つのゼロ変調シンボルおよび少なくとも１つの非ゼロ変調シンボルを有する、請求項２７または２８に記載のデバイス。
【請求項３１】
前記Ｍ個のビットストリームの復調スキームは完全に同一ではない、請求項２７から３０のいずれか一項に記載のデバイス。
【請求項３２】
前記復号ユニットは、
完全に同一ではないコードレートを用いて、前記Ｎ個のコードブロックに対する誤り訂正復号を実行して、完全に同一ではないサイズの前記Ｎ個のコードブロックを取得するように具体的に構成されている、請求項２６から３１のいずれか一項に記載のデバイス。
【発明の詳細な説明】
【技術分野】
【０００１】
本願は、２０１６年１２月２６日に中国国家知識産権局に出願された「非直交データ伝送方法およびデバイス（ＮＯＮ‐ＯＲＴＨＯＧＯＮＡＬ  ＤＡＴＡ  ＴＲＡＮＳＭＩＳＳＩＯＮ  ＭＥＴＨＯＤ  ＡＮＤ  ＤＥＶＩＣＥ）」と題する中国特許出願第２０１６１１２１５７６６．７に基づく優先権を主張するものであり、当該特許出願はその全体が参照により本明細書に組み込まれる。
【０００２】
本願の実施形態は、通信分野、より具体的には非直交データ伝送方法およびデバイスに関する。
【背景技術】
【０００３】
多元接続は、無線通信の物理層における基盤技術の１つであって、無線ネットワークデバイスが複数のエンドユーザを区別してサービスを提供し、多元接続干渉を減少させることを可能にする。
【０００４】
簡易直交多元接続モードは、既存の無線通信システムのほとんどにおいて用いられている。しかしながら、応用シナリオ、端末タイプ、応用タイプがますます豊富になることに伴い、将来のセルラネットワークの進化の間に端末の数量も爆発的に増加する。既存の直交多元接続モードは、セルラネットワーク容量の増加を求める、人々の需要増加を満たすことができず、例えば、大規模アクセスと、アップリンク／ダウンリンクデータ伝送およびスペクトル効率の継続的な改善を満たすことができない。
【０００５】
非直交多元接続技術の研究と応用の絶え間ない深化と共に、人々は、容量需要の増大の問題、特にアップリンク／ダウンリンクデータ伝送スループット需要の増大の問題が、非直交多元接続技術を用いて、第５世代（５  ｇｅｎｅｒａｔｉｏｎ、５Ｇ）モバイル通信システムなどの将来の無線セルラネットワークでは効果的に解決できることを期待している。
【発明の概要】
【０００６】
本願の実施形態は、アップリンク／ダウンリンクデータ伝送スループットを増加させるために、非直交データ伝送方法およびデバイスを提供する。
【０００７】
第１の態様によると、本願の実施形態は非直交データ伝送方法を提供し、当該方法は、伝送対象のトランスポートブロックを完全に均等ではないサイズのＮ個のコードブロックに分割する段階であって、ここで、Ｎは２以上の整数である、分割する段階と、Ｎ個のコードブロックに対して誤り訂正符号化を実行してＮ個の符号化ビットブロックを取得する段階と、時間領域、周波数領域、空間領域および符合領域のうち少なくとも１つの次元において同じリソースを用いてＮ個の符号化ビットブロックを非直交伝送する段階とを含む。
【０００８】
したがって、本願のこの実施形態においては、非直交データ伝送の間に、伝送対象のブロックは完全に均等ではないサイズのＮ個のコードブロックに分割され、異なる誤り訂正能力を有する誤り訂正符号化がＮ個のコードブロックに対して実行され、その結果、全てのコードブロックの性能は異なり、受信側は、干渉除去方式でより容易にデータを徐々に復調でき、それによりアップリンク／ダウンリンクデータ伝送スループットが増大する。
【０００９】
任意に、第１の態様の実装において、Ｎ個の符号化ビットブロックを非直交伝送する段階は、Ｎ個の符号化ビットブロックをＭ個のビットストリームにマッピングする段階であって、ここで、Ｍは１以上の整数である、マッピングする段階と、Ｍ個のビットストリームを変調してＭ個の伝送対象のシンボルストリームを取得する段階であって、ここで、Ｍ個の伝送対象のシンボルストリームの全てに含まれる変調シンボルの数量は等しい、変調する段階と、Ｍ個の伝送対象のシンボルストリームを重畳させて重畳シンボルストリームを取得する段階と、重畳シンボルストリームを非直交伝送する段階とを含む。
【００１０】
任意に、重畳シンボルストリームは、時間領域、周波数領域、空間領域および符合領域のうち少なくとも１つの次元において同じリソースを用いて非直交伝送される。
【００１１】
任意に、第１の態様の実装において、Ｎ個の符号化ビットブロックをＭ個のビットストリームにマッピングする段階は、Ｎ個の符号化ビットブロックをＭ個のビットストリームに疑似乱数的にマッピングする段階を含む。
【００１２】
任意に、第１の態様の実装において、Ｎ個の符号化ビットブロックをＭ個のビットストリームに疑似乱数的にマッピングする段階は、Ｎ個の符号化ビットブロックの各々が分割された後、Ｎ個の符号化ビットブロックをＭ個のビットストリームのうち少なくとも２つに疑似乱数的にマッピングする段階、または、Ｎ個の符号化ビットブロックのうち少なくとも２つを結合した後、Ｎ個の符号化ビットブロックをＭ個のビットストリームのうち少なくとも２つに疑似乱数的にマッピングする段階を含む。
【００１３】
任意に、第１の態様の実装において、Ｎ個の符号化ビットブロックをＭ個のビットストリームにマッピングする段階は、Ｎ個の符号化ビットブロックの配置順序および／またはＮ個の符号化ビットブロックの各々のビットの配置順序に従ってＮ個の符号化ビットブロックをＭ個のビットストリームに連続的にマッピングする段階を含む。
【００１４】
任意に、第１の態様の実装において、Ｍ個のビットストリームを変調してＭ個の伝送対象のシンボルストリームを取得する段階は、Ｍ個のビットストリームにおける第１ビットストリームを、直交振幅変調および／または位相シフト変調によって変調して、Ｍ個の伝送対象のシンボルストリームを取得する段階を含む。
【００１５】
任意に、第１の態様の実装において、直交振幅変調および／または位相シフト変調によってＭ個のビットストリームにおける第１ビットストリームが変調される場合に、Ｎ個の符号化ビットブロックにおけるｉ番目の符号化ビットブロックＥＢｉのサイズは、ＥＢｉ＝［時間−周波数リソースの総数量］×ｌｏｇ２（Ｘ）であって、ここで、Ｘは第１ビットストリームに対して実行される変調の次数を表す。
【００１６】
任意に、第１の態様の実装において、Ｍ個のビットストリームを変調してＭ個の伝送対象のシンボルストリームを取得する段階は、コードブックを用いる段階によりＭ個のビットストリームにおける第２ビットストリームに対して多次元変調を実行する段階を含み、ここで、コードブックは、２つ以上のコードワードを有し、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【００１７】
任意に、第１の態様の実装において、コードブックを用いてＭ個のビットストリームにおける第２ビットストリームに対して多次元変調が実行される場合、Ｎ個の符号化ビットブロックにおけるｉ番目の符号化ビットブロックＥＢｉのサイズは、ＥＢｉ＝［時間−周波数リソースの総数量］／Ｆ×ｋ×ｌｏｇ２（Ｘ）であって、ここで、Ｆは拡散率を表し、ｋは各符号化ビットブロックによって占有されるビットストリームの数量を表し、Ｘは、第２ビットストリームに対して実行された変調の次数を表す。
【００１８】
任意に、第１の態様の実装において、Ｎ個のコードブロックの変調スキームは完全に同一ではない。
【００１９】
任意に、第１の態様の実装において、Ｎ個のコードブロックに対して誤り訂正符号化を実行してＮ個の符号化ビットブロックを取得する段階は、完全に同一ではないコードレートを用いて、Ｎ個のコードブロックに対して誤り訂正符号化を実行して、Ｎ個の符号化ビットブロックを取得する段階を含む。
【００２０】
任意に、第１の態様の実装において、Ｎ個のコードブロックの各々に対して誤り訂正符号化を実行し、Ｎ個の符号化ビットブロックを取得する。ここで、誤り訂正符号化は、ターボ符号、Ｐｏｌａｒ符号および低密度パリティ検査符号のうちいずれか１つの符号化方式で実行される。
【００２１】
任意に、第１の態様の実装において、誤り訂正符号化がＰｏｌａｒ符号化によってＮ個のコードブロックの各々に対して実行される場合、Ｎ個の符号化ビットブロックの各々のサイズは、２の累乗である。
【００２２】
第２の態様によると、本願の実施形態は、非直交データ伝送方法を提供し、当該方法は、伝送対象のトランスポートブロックをＮ個のコードブロックに分割する段階であって、ここで、Ｎは２以上の整数である、分割する段階と、Ｎ個のコードブロックに対して誤り訂正符号化を実行してＮ個の符号化ビットブロックを取得する段階と、Ｎ個の符号化ビットブロックをＭ個のビットストリームに対して疑似乱数的にマッピングする段階であって、ここで、Ｍは１以上の整数である、マッピングする段階と、Ｍ個のビットストリームを変調してＭ個の伝送対象のシンボルストリームを取得する段階であって、ここで、Ｍ個の伝送対象のシンボルストリームの全てに含まれた変調シンボルの数量は等しい、取得する段階と、Ｍ個の伝送対象のシンボルストリームを重畳させて重畳シンボルストリームを取得する段階と、重畳シンボルストリームを非直交伝送する段階を含む。
【００２３】
任意に、同じ時間領域リソース、周波数領域リソース、空間領域リソースおよび符号領域リソースを用いて、重畳シンボルストリームは非直交伝送される。
【００２４】
したがって、本願のこの実施形態において、非直交データ伝送の間に、Ｎ個の符号化ビットブロックはＭ個のビットストリームに対して疑似乱数的にマッピングされ、その結果、全てのビットストリームの性能は異なり、それによりアップリンク／ダウンリンクデータ伝送スループットが増大する。
【００２５】
任意に、第２の態様の実装において、Ｎ個の符号化ビットブロックをＭ個のビットストリームに疑似乱数的にマッピングする段階は、Ｎ個の符号化ビットブロックの各々が分割された後、Ｎ個の符号化ビットブロックをＭ個のビットストリームのうち少なくとも２つに疑似乱数的にマッピングする段階、または、Ｎ個の符号化ビットブロックのうち少なくとも２つを結合した後、Ｎ個の符号化ビットブロックをＭ個のビットストリームのうち少なくとも２つに対して疑似乱数的にマッピングする段階とを含む。
【００２６】
任意に、第２の態様の実装において、Ｍ個のビットストリームを変調してＭ個の伝送対象のシンボルストリームを取得する段階は、Ｍ個のビットストリームにおける第１ビットストリームを、直交振幅変調および／または位相シフト変調によって変調して、Ｍ個の伝送対象のシンボルストリームを取得する段階を含む。
【００２７】
任意に、第２の態様の実装において、Ｍ個のビットストリームにおける第１ビットストリームが、直交振幅変調および／または位相シフト変調によって変調された場合、Ｎ個の符号化ビットブロックにおけるｉ番目の符号化ビットブロックＥＢｉのサイズは、ＥＢｉ＝［時間−周波数リソースの総数量］×ｌｏｇ２（Ｘ）であって、ここで、Ｘは第１ビットストリームに対して実行された変調の次数を表す。
【００２８】
任意に、第２の態様の実装において、Ｍ個のビットストリームを変調してＭ個の伝送対象のシンボルストリームを取得する段階は、Ｍ個のビットストリームにおける第２ビットストリームに対して、コードブックを用いて多次元変調を実行する段階を含み、ここで、コードブックは、２つ以上のコードワードを有し、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【００２９】
任意に、第２の態様の実装において、コードブックを用いてＭ個のビットストリームにおける第２ビットストリームに対して多次元変調が実行される場合、Ｎ個の符号化ビットブロックにおけるｉ番目の符号化ビットブロックＥＢｉのサイズは、ＥＢｉ＝［時間−周波数リソースの総数量］／Ｆ×ｋ×ｌｏｇ２（Ｘ）であって、ここで、Ｆは拡散率を表し、ｋは各符号化ビットブロックによって占有されるビットストリームの数量を表し、Ｘは、第２ビットストリームに対して実行された変調の次数を表す。
【００３０】
任意に、第２の態様の実装において、Ｎ個のコードブロックの変調スキームは完全に同一ではない。
【００３１】
任意に、第２の態様の実装において、Ｎ個のコードブロックの各々に対して誤り訂正符号化を実行し、Ｎ個の符号化ビットブロックを取得する。ここで、誤り訂正符号化は、ターボ符号、Ｐｏｌａｒ符号および低密度パリティ検査符号のうちいずれか１つの符号化方式で実行される。
【００３２】
任意に、第２の態様の実装において、誤り訂正符号化がＰｏｌａｒ符号化によってＮ個のコードブロックの各々に対して実行される場合、Ｎ個の符号化ビットブロックの各々のサイズは、２の累乗である。
【００３３】
第３の態様によると、本願の実施形態は非直交データ伝送方法を提供し、当該方法は、時間領域、周波数領域、空間領域および符合領域のうち少なくとも１つの次元において同じリソースを用いて受信信号を取得する段階と、受信信号を復調することによりＮ個の符号化ビットブロックを取得する段階であって、ここで、Ｎは２以上の整数である、取得する段階と、Ｎ個の符号化ビットブロックに対して誤り訂正復号を実行して、完全に同一ではないサイズのＮ個のコードブロックを取得する、実行する段階と、Ｎ個のコードブロックを結合してトランスポートブロックを取得する、結合する段階とを含む。
【００３４】
したがって、本願のこの実施形態は、非直交データ伝送の間に、完全に同一ではないサイズのＮ個のコードブロックは復号によって取得され、その結果、データは干渉除去方式でより容易に復調され、それによりアップリンク／ダウンリンクデータ伝送スループットが増加する。
【００３５】
任意に、第３の態様の実装において、受信信号に基づいてＮ個の符号化ビットブロックを取得する段階は、受信信号を取得する段階であって、ここで、受信信号は重畳シンボルストリームを含む、取得する段階と、重畳シンボルストリームを均等に分割してＭ個のシンボルストリームを取得する段階であって、ここで、Ｍ個のシンボルストリームに含まれるシンボルの全ての数量は等しく、Ｍは１以上の整数である、取得する段階と、Ｍ個のシンボルストリームを復調してＭ個のビットストリームを取得する段階と、Ｍ個のビットストリームをデマッピングしてＮ個の符号化ビットブロックを取得する段階であって、ここで、Ｎは２以上の整数である、デマッピングする段階とを含む。
【００３６】
任意に、第３の態様の実装において、Ｍ個のビットストリームをデマッピングしてＮ個の符号化ビットブロックを取得する段階は、Ｍ個のビットストリームにおけるビットを疑似乱数的にデマッピングしてＮ個の符号化ビットブロックを取得する、デマッピングする段階を含む。
【００３７】
任意に、第３の態様の実装において、Ｍ個のビットストリームをデマッピングしてＮ個の符号化ビットブロックを取得する段階は、Ｍ個のビットストリームにおけるビットを連続的にデマッピングしてＮ個の符号化ビットブロックを取得する、段階を含む。
【００３８】
任意に、第３の態様の実装において、Ｍ個のシンボルストリームを復調してＭ個のビットストリームを取得する段階は、直交振幅復調および／または位相シフト復調によってＭ個のシンボルストリームを復調して、Ｍ個のビットストリームを取得する、段階を含む。
【００３９】
任意に、第３の態様の実装において、Ｍ個のシンボルストリームを復調してＭ個のビットストリームを取得する段階は、コードブックを用いてＭ個のシンボルストリームを復調してＭ個のビットストリームを取得する段階を含み、ここで、コードブックは、２つ以上のコードワードを有し、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【００４０】
任意に、第３の態様の実装において、Ｍ個のビットストリームの復調スキームは完全に同一ではない。
【００４１】
任意に、第３の態様の実装において、誤り訂正復号は、完全に同一ではないコードレートを用いて、Ｎ個のコードブロックに対して実行され、完全に同一ではないサイズのＮ個のコードブロックを取得する。
【００４２】
任意に、第３の態様の実装において、誤り訂正復号は、ターボ符号、Ｐｏｌａｒ符号および低密度パリティ検査符号のうちいずれか１つの復号方式で実行される。
【００４３】
第４の態様によると、本願の実施形態は非直交データ伝送方法を提供し、当該方法は、重畳シンボルストリームを受信する段階と、重畳シンボルストリームを均等に分割してＭ個のシンボルストリームを取得する段階であって、ここで、Ｍ個のシンボルストリームに含まれるシンボルの全ての数量は等しく、Ｍは１以上の整数である、取得する段階と、Ｍ個のシンボルストリームを復調してＭ個のビットストリームを取得する段階と、Ｍ個のビットストリームを疑似乱数的にデマッピングしてＮ個の符号化ビットブロックを取得する段階であって、ここで、Ｎは２以上の整数である、取得する段階と、Ｎ個の符号化ビットブロックに対して誤り訂正復号を実行してＮ個のコードブロックを取得する段階と、Ｎ個のコードブロックを結合してトランスポートブロックを取得する段階とを含む。
【００４４】
したがって、本願のこの実施形態において、非直交データ伝送の間に、異なる性能を有するビットストリームが取得され、その結果、データは干渉除去方式でより容易に復調され、それによりアップリンク／ダウンリンクデータ伝送スループットが増大する。
【００４５】
任意に、第４の態様の実装において、Ｍ個のシンボルストリームを復調してＭ個のビットストリームを取得する段階は、直交振幅復調および／または位相シフト復調によってＭ個のシンボルストリームを復調して、Ｍ個のビットストリームを取得する段階を含む。
【００４６】
任意に、第４の態様の実装において、Ｍ個のシンボルストリームを復調してＭ個のビットストリームを取得する段階は、コードブックを用いてＭ個のシンボルストリームを復調してＭ個のビットストリームを取得する段階を含み、ここで、コードブックは２つ以上のコードワードを有し、コードワードは多次元複素ベクトルであって、データと少なくとも２つの変調シンボルとの間のマッピング関係を表すために用いられ、少なくとも２つの変調シンボルは少なくとも１つのゼロ変調シンボルおよび少なくとも１つの非ゼロ変調シンボルを有する。
【００４７】
任意に、第４の態様の実装において、Ｍ個のビットストリームの復調スキームは完全に同一ではない。
【００４８】
任意に、第４の態様の実装において、Ｎ個の符号化ビットブロックに対して誤り訂正復号を実行し、Ｎ個のコードブロックを取得する。ここで、誤り訂正復号は、ターボ符号、Ｐｏｌａｒ符号および低密度パリティ検査符号のうちいずれか１つの復号方式で実行される。
【００４９】
第５の態様によると、本願の実施形態は非直交データ伝送デバイスを提供し、当該デバイスは、第１の態様または第１の態様の任意の実装のうちいずれか１つにおける方法を実行可能な、分割ユニット、符号化ユニットおよび伝送ユニットを含む。
【００５０】
第６の態様によると、本願の実施形態は非直交データ伝送デバイスを提供し、当該デバイスは、第２の態様または第２の態様の任意の実装のうちいずれか１つにおける方法を実行可能な、分割ユニット、符号化ユニット、マッピングユニット、変調ユニット、シンボルストリーム処理ユニットおよび伝送ユニットを含む。
【００５１】
第７の態様によると、本願の実施形態は非直交データ伝送デバイスを提供し、当該デバイスは、第３の態様または第３の態様の任意の実装のうちいずれか１つにおける方法を実行可能な、取得ユニット、処理ユニット、復号ユニットおよび結合ユニットを含む。
【００５２】
第８の態様によると、本願の実施形態は非直交データ伝送デバイスを提供し、当該デバイスは、第４の態様または第４の態様の任意の実装のうちいずれか１つにおける方法を実行可能な、受信ユニット、シンボルストリーム処理ユニット、復調ユニット、デマッピングユニット、復号ユニット、および結合ユニットとを含む。
【００５３】
第９の態様によると、メモリと、トランシーバと、プロセッサとを含む非直交データ伝送デバイスが提供される。メモリは、第１の態様または第１の態様の任意の実装のうちいずれか１つを実行するよう命令するために用いることができるプログラムコードを記憶し、コードが実行された場合に、プロセッサは、伝送側デバイスにより実行される処理を当該方法で実装できる。
【００５４】
第１０の態様によると、メモリと、トランシーバとプロセッサとを含む非直交データ伝送デバイスが提供される。メモリは、第２の態様または第２の態様の任意の実装のうちいずれか１つを実行するよう命令するために用いることができるプログラムコードを記憶し、コードが実行された場合に、プロセッサは、伝送側デバイスにより実行される処理を当該方法で実装できる。
【００５５】
第１１の態様によると、メモリと、トランシーバとプロセッサとを含む非直交データ伝送デバイスが提供される。メモリは、第３の態様または第３の態様の任意の実装のうちいずれか１つを実行する命令に用いることができるプログラムコードを記憶し、コードが実行された場合に、プロセッサは、伝送側デバイスにより実行される処理を当該方法で実装できる。
【００５６】
第１２の態様によると、メモリと、トランシーバとプロセッサとを含む非直交データ伝送デバイスが提供される。メモリは、第４の態様または第４の態様の任意の実装のうちいずれか１つを実行するよう命令するために用いることができるプログラムコードを記憶し、コードが実行された場合に、プロセッサは、受信側デバイスにより実行される処理を当該方法で実装できる。
【００５７】
第１３の態様によると、コンピュータ記憶媒体が提供される。ここで、コンピュータ記憶媒体はプログラムコードを記憶し、プログラムコードは、第１の態様または第１の態様の任意の実装のうちのいずれか１つによる方法を実行する命令に用いることができる。
【００５８】
第１４の態様によると、コンピュータ記憶媒体が提供される。ここで、コンピュータ記憶媒体はプログラムコードを記憶し、プログラムコードは、第２の態様または第２の態様の任意の実装のうちいずれか１つによる方法を実行するよう命令するために用いることができる。
【００５９】
第１５の態様によると、コンピュータ記憶媒体が提供される。ここで、コンピュータ記憶媒体はプログラムコードを記憶し、プログラムコードは、第３の態様または第３の態様の任意の実装のうちいずれか１つによる方法を実行するよう命令するために用いることができる。
【００６０】
第１６の態様によると、コンピュータ記憶媒体が提供される。ここで、コンピュータ記憶媒体はプログラムコードを記憶し、プログラムコードは、第４の態様または第４の態様の任意の実装のうちいずれか１つによる方法を実行するよう命令するために用いることができる。
【図面の簡単な説明】
【００６１】
【図１】本願が適用される非直交データ伝送のための通信システムの概略図である。
【００６２】
【図２】本願の実施形態に係る非直交データ伝送方法の概略フローチャートである。
【００６３】
【図３】本願の実施形態に係るトランスポートブロック分割の概略図である。
【００６４】
【図４】本願の実施形態に係るトランスポートブロック分割の別の概略図である。
【００６５】
【図５】本願の実施形態に係る変調スキームにおける符号化の概略図である。
【００６６】
【図６】本願の実施形態に係る別の変調スキームにおける符号化の概略図である。
【００６７】
【図７】本願の実施形態に係る変調スキームにおける符号化ビットブロックを疑似乱数的にマッピングする概略図である。
【００６８】
【図８】本願の実施形態に係る別の変調スキームにおける符号化ビットブロックを疑似乱数的にマッピングする概略図である。
【００６９】
【図９】本願の実施形態に係る別の変調スキームにおける符号化ビットブロックを疑似乱数的にマッピングする別の概略図である。
【００７０】
【図１０】本願の実施形態に係る符号化ビットブロックを連続的にマッピングする概略図である。
【００７１】
【図１１】本願の実施形態に係る符号化ビットブロックを連続的にマッピングする別の概略図である。
【００７２】
【図１２】本願の実施形態に係る符号化ビットブロックを疑似乱数的にマッピングする概略図である。
【００７３】
【図１３】本願の実施形態に係るシンボルストリームを重畳させる概略図である。
【００７４】
【図１４Ａ】および
【図１４Ｂ】本願の別の実施形態に係る非直交データ伝送方法の概略フローチャートである。
【００７５】
【図１５】本願の実施形態に係る非直交データ伝送デバイスの概略ブロック図である。
【００７６】
【図１６】本願の別の実施形態に係る非直交データ伝送デバイスの概略ブロック図である。
【００７７】
【図１７】本願の実施形態に係る非直交データ伝送デバイスの概略ブロック図である。
【００７８】
【図１８】本願の別の実施形態に係る非直交データ伝送デバイスの概略ブロック図である。
【００７９】
【図１９】本願の実施形態に係る通信装置の概略ブロック図である。
【発明を実施するための形態】
【００８０】
以下は、本願の実施形態における技術的解決手段を、添付の図面を参照して説明する。
【００８１】
図１は、本願が適用される非直交データ伝送のための通信システムの概略図である。図１に示されるように、通信システム１００はネットワークデバイス１０２を含み、ネットワークデバイス１０２は、アンテナ１０４、１０６、１０８、１１０、１１２および１１４のなどの複数のアンテナを含んでよい。加えて、ネットワークデバイス１０２は伝送機チェーンおよび受信機チェーンをさらに含み得る。当業者は、伝送機チェーンおよび受信機チェーンの両方が、信号の伝送と受信に関連する複数のコンポーネント（プロセッサ、変調器、マルチプレクサ、デモジュレータ、デマルチプレクサ、またはアンテナなど）を含んでよいことを理解し得る。
【００８２】
ネットワークデバイス１０２は、複数の端末デバイス（端末デバイス１１６および端末デバイス１２２など）と通信してよい。しかしながら、ネットワークデバイス１０２は端末デバイス１１６または１２２と同様の、任意の数量の端末デバイスと通信してよいことを理解できる。端末デバイス１１６および１２２は、セルラー電話、スマートフォン、ポータブルコンピュータ、ハンドヘルド通信デバイス、ハンドヘルドコンピューティングデバイス、衛星無線装置、全地球測位システム、ＰＤＡおよび／または無線通信システム１００において通信を実行するように構成されている、任意の他の適切なデバイスであってよい。
【００８３】
図１に示されるように、端末デバイス１１６はアンテナ１１２および１１４と通信する。アンテナ１１２および１１４は、順方向リンク１１８によって端末デバイス１１６に情報を送信し、逆方向リンク１２０によって端末デバイス１１６から情報を受信する。加えて、端末デバイス１２２はアンテナ１０４および１０６と通信する。アンテナ１０４および１０６は、順方向リンク１２４によって端末デバイス１２２に情報を送信し、逆方向リンク１２６によって端末デバイス１２２から情報を受信する。
【００８４】
例えば、周波数分割複信（Ｆｒｅｑｕｅｎｃｙ  Ｄｉｖｉｓｉｏｎ  Ｄｕｐｌｅｘ、ＦＤＤ）システムにおいては、順方向リンク１１８と逆方向リンク１２０とに異なる周波数帯が用いられ、順方向リンク１２４と逆方向リンク１２６とに異なる周波数帯が用いられている。
【００８５】
別の例として、時分割複信（Ｔｉｍｅ  Ｄｉｖｉｓｉｏｎ  Ｄｕｐｌｅｘ、ＴＤＤ）システムまたは全二重（Ｆｕｌｌ  Ｄｕｐｌｅｘ）システムにおいては、順方向リンク１１８と逆方向リンク１２０とに同じ周波数帯が用いられ、順方向リンク１２４と逆方向リンク１２６とに同じ周波数帯が用いられる。
【００８６】
各アンテナ（または複数のアンテナを含む各アンテナグループ）および／または通信のために設計された各地域は、ネットワークデバイス１０２のセクタと称される。例えば、アンテナグループは、ネットワークデバイス１０２のカバレッジエリアのセクタにある端末デバイスと通信するように設計されてよい。ネットワークデバイス１０２が順方向リンク１１８および１２４のそれぞれによって端末デバイス１１６および１２２と通信するプロセスにおいて、ネットワークデバイス１０２の伝送アンテナはビームフォーミングによって順方向リンク１１８および１２４の信号対雑音比を増加させ得る。加えて、ネットワークデバイスが、ネットワークデバイスによってサービスを提供される全ての端末デバイスに、単一アンテナを用いて信号を送信する方式と比べて、ネットワークデバイス１０２が、関連カバレッジエリアにランダムに散在している端末デバイス１１６および１２２に信号をビームフォーミングによって送信する場合に、近くのセルにあるモバイルデバイスが受ける干渉がより小ない。
【００８７】
所定の時間内に、ネットワークデバイス１０２、端末デバイス１１６、または端末デバイス１２２は、無線通信送信装置および／または無線通信受信装置であってよい。データを送信する際に、無線通信送信装置は伝送するためにデータを符号化してよい。具体的には、無線通信送信装置は、チャネルによって無線通信受信装置に送信されることになっている特定の数量のデータビットを取得（例えば、生成、別の通信装置から受信、またはメモリに記憶）してよい。そのようなデータビットは、データトランスポートブロック（または複数のトランスポートブロック）に含まれてよく、トランスポートブロックは、複数のコードブロックを生成するためにセグメント化されてよい。
【００８８】
加えて、通信システム１００は公衆陸上移動体ネットワーク（Ｐｕｂｌｉｃ  Ｌａｎｄ  Ｍｏｂｉｌｅ  Ｎｅｔｗｏｒｋ、ＰＬＭＮ）、デバイス対デバイス（Ｄｅｖｉｃｅ  ｔｏ  Ｄｅｖｉｃｅ、Ｄ２Ｄ）ネットワーク、機械対機械（Ｍａｃｈｉｎｅ  ｔｏ  Ｍａｃｈｉｎｅ、Ｍ２Ｍ）ネットワーク、または別のネットワークであってよい。図１は、例として用いられる簡略化した概略図に過ぎない。ネットワークはさらに、図１に図式化されていない別のネットワークデバイスを含んでよい。
【００８９】
本願の実施形態における伝送側（受信側）は、ネットワークデバイスであってよい。ネットワークデバイスは、端末デバイスと通信するデバイスであってよい。例えば、ネットワークデバイスは、ネットワークデバイスまたはネットワークデバイスコントローラであってよい。各ネットワークデバイスは、特定の地理的領域に通信カバレージを提供してよく、このカバレッジエリア（セル）に配置された端末デバイスと通信してよい。ネットワークデバイスは、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ，ＧＳＭ（登録商標））または符号分割多元接続（Ｃｏｄｅ  Ｄｉｖｉｓｉｏｎ  Ｍｕｌｔｉｐｌｅ  Ａｃｃｅｓｓ，  ＣＤＭＡ）システムなどのベーストランシーバ基地局（Ｂａｓｅ  Ｔｒａｎｓｃｅｉｖｅｒ  Ｓｔａｔｉｏｎ，  ＢＴＳ）、ネットワークデバイスであってよく、ワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，  ＷＣＤＭＡ（登録商標））システムのネットワークデバイス（ＮｏｄｅＢ，  ＮＢ）であってよく、またはＬＴＥシステムの進化したネットワークデバイス（進化型ＮｏｄｅＢ、ｅＮＢまたはｅＮｏｄｅＢ）であってよく、またはクラウド無線アクセスネットワーク（Ｃｌｏｕｄ  Ｒａｄｉｏ  Ａｃｃｅｓｓ  Ｎｅｔｗｏｒｋ、  ＣＲＡＮ）の無線コントローラであってよい。あるいは、ネットワークデバイスは、将来の５Ｇネットワークのネットワークデバイス、将来の進化型公衆陸上移動体ネットワーク（Ｐｕｂｌｉｃ  Ｌａｎｄ  Ｍｏｂｉｌｅ  Ｎｅｔｗｏｒｋ，ＰＬＭＮ）のネットワークデバイスなどであってよい。
【００９０】
本願の実施形態における伝送側（受信側）は、端末デバイスあってよい。端末デバイスは、アクセス端末、ユーザ機器（Ｕｓｅｒ  Ｅｑｕｉｐｍｅｎｔ，  ＵＥ）、加入者ユニット、加入者局、移動局、リモート局、リモート端末、モバイル端末、ユーザ端末、端末、無線通信デバイス、ユーザエージェント、またはユーザ装置であってよい。アクセス端末は、セルラー電話、コードレス電話、セッション初期化プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ，ＷＬＬ）ステーション、パーソナルデジタルアシスタント（Ｐｅｒｓｏｎａｌ  Ｄｉｇｉｔａｌ  Ａｓｓｉｓｔａｎｔ，ＰＤＡ）、無線通信機能を有するハンドヘルドデバイス、コンピューティングデバイス、無線モデムに接続されている別の処理デバイス、車載用デバイス、ウェアラブルデバイス、「モノのインターネット」の端末デバイス、仮想現実デバイス、将来の５Ｇネットワークの端末デバイス、将来の進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）の端末デバイスなどであってよい。
【００９１】
本願の実施形態に係る非直交データ伝送方法およびデバイスは、端末デバイスまたはネットワークデバイスに適用されてよい。端末デバイスまたはネットワークデバイスは、ハードウェア層、ハードウェア層の上で作動するオペレーティングシステム層、オペレーティングシステム層の上で作動するアプリケーション層を含む。ハードウェア層は、中央演算処理装置（Ｃｅｎｔｒａｌ  Ｐｒｏｃｅｓｓｉｎｇ  Ｕｎｉｔ、ＣＰＵ）、メモリ管理ユニット（Ｍｅｍｏｒｙ  Ｍａｎａｇｅｍｅｎｔ  Ｕｎｉｔ、ＭＭＵ）およびメモリ（メインメモリとも称される）などのハードウェアを含む。オペレーティングシステムは、プロセス（Ｐｒｏｃｅｓｓ）を用いてサービス処理を実装するコンピュータオペレーティングシステムのうち１または複数のタイプ、例えばＬｉｎｕｘ（登録商標）オペレーティングシステム、Ｕｎｉｘ（登録商標）オペレーティングシステム、Ａｎｄｒｏｉｄ（登録商標）オペレーティングシステム、ｉＯＳオペレーティングシステム、またはＷｉｎｄｏｗｓ（登録商標）オペレーティングシステムなどであってよい。アプリケーション層は、ブラウザ、連絡先リスト、文書処理ソフトウェア及びインスタントメッセージングソフトウェアなどのアプリケーションを含む。加えて、本願の実施形態においては、本願の実施形態においてデータ伝送方法のためのコードを記録するプログラムを作動させることにより、本願の実施形態におけるデータ伝送方法に基づいて通信が実行される場合、本願ではデータ伝送方法の実行主体の具体的な構造は特に限定されない。例えば、本願の実施形態におけるデータ伝送方法の実行主体は、端末デバイスまたはネットワークデバイスであってよく、または端末デバイスまたはネットワークデバイス内にあって、プログラムを呼び出し、実行することが可能な機能モジュールであってよい。
【００９２】
加えて、本願の態様または特徴は、標準的なプログラミングおよび／またはエンジニアリング技術を用いる、方法、装置または製品として実装されてよい。本願で使用される「製品」という用語は、任意のコンピュータ可読コンポーネント、キャリア、または媒体からアクセスできるコンピュータプログラムを包含する。例えば、コンピュータ可読媒体は、磁気記憶コンポーネント（ハードディスク、フロッピ（登録商標）ディスク、磁気テープなど）、光ディスク（コンパクトディスク（Ｃｏｍｐａｃｔ  Ｄｉｓｃ、 ＣＤ）など）、デジタル多用途ディスク（Ｄｉｇｉｔａｌ  Ｖｅｒｓａｔｉｌｅ  Ｄｉｓｃ、ＤＶＤ）、スマートカードおよびフラッシュメモリデバイス（消去可能プログラマブルリードオンリメモリ（Ｅｒａｓａｂｌｅ  Ｐｒｏｇｒａｍｍａｂｌｅ  Ｒｅａｄ‐Ｏｎｌｙ  Ｍｅｍｏｒｙ、ＥＰＲＯＭ））、カード、スティックまたはキードライブなど）を含むが、それらに限定されるものではない。加えて、本明細書において説明される様々な記憶媒体は、情報を記憶するよう構成される１または複数のデバイスおよび／または他の機械可読媒体を示してよい。「機械可読媒体」という用語は、無線チャネル、命令および／またはデータを記憶、収容および／または保有できる様々な他の媒体を含むが、それらに限定されるものではない。
【００９３】
本願の実施形態における非直交データ伝送方法およびデバイスが適用された通信システム１００においては、複数の端末デバイスが、同じ時間−周波数リソースを用いてネットワークデバイスとデータ伝送を実行できることを留意されたい。加えて、同じ時間周波数リソースの場合、例えば、単位としてのリソースエレメント（Ｒｅｓｏｕｒｃｅ  Ｅｌｅｍｅｎｔ、ＲＥ）を用いて実行される時間−周波数リソースの分割において、時間−周波数リソースは、複数のＲＥを含む時間−周波数リソースブロック（時間−周波数リソースグループとも称されてよい）であってよい。加えて、複数のＲＥの位置は時間領域において同じであってよく（すなわち、同じシンボルに対応する）、周波数領域において異なってよく（すなわち、異なるサブキャリアに対応する）、または複数のＲＥの位置は、時間領域において異なってよく（すなわち、異なるシンボルに対応する）、周波数領域において同じであってよい（すなわち、同じサブキャリアに対応する）。これは、本願において特に限定されるものではない。
【００９４】
図２は、本願の実施形態に係る非直交データ伝送方法２００の概略フローチャートである。図２に示されるように、方法２００は以下の内容を備える。
【００９５】
段階２０１において、伝送対象のトランスポートブロックは完全に均等ではないサイズのＮ個のコードブロックに分割され、ここで、Ｎは２以上の整数である。
【００９６】
任意に、Ｎ個のコードブロックは異なるサイズのコードブロックであってよい。
【００９７】
例えば、図３に示されるように、サイズが８０５６ビットであるトランスポートブロック（Ｔｒａｎｓｐｏｒｔ  Ｂｌｏｃｋ、ＴＢ）、すなわち、８０５６ビットのトランスポートブロックサイズ（Ｔｒａｎｓｐｏｒｔ  Ｂｌｏｃｋ  Ｓｉｚｅ、ＴＢＳ）の場合、ＴＢはそれぞれ、ＣＢ１およびＣＢ２の２つのコードブロック（Ｃｏｄｅ  Ｂｌｏｃｋ、ＣＢ）に分割される。ＴＢの分割の間、パリティビットは、ＴＢが分割された後生成されたデータビット用に設定され、すなわち巡回冗長検査コード（Ｃｙｃｌｉｃ  Ｒｅｄｕｎｄａｎｃｙ  Ｃｈｅｃｋ、ＣＲＣ）が設定される。ＣＢ１およびＣＢ２のサイズはＣＲＣコードの値を含む。ＣＢ１のサイズは５９５２ビットであって、ＣＢ１は２４ビットのクラスＢのＣＲＣを含む。ＣＢ２のサイズは２１７６ビットであって、ＣＢ２は２４ビットのクラスＡのＣＲＣおよび２４ビットのクラスＢのＣＲＣを含む。
【００９８】
任意に、Ｎ個のコードブロックにはいくつかの同じサイズのコードブロックがあってよい。
【００９９】
例えば、図４に示されるように、伝送対象のブロックは８つのコードブロックに分割される。ＣＢ２およびＣＢ６は同じサイズを有し、ＣＢ５およびＣＢ７は同じサイズを有し、ＣＢ１、ＣＢ２、ＣＢ３、ＣＢ４、ＣＢ５およびＣＢ８は異なるサイズを有する。
【０１００】
段階２０２において、誤り訂正符号化はＮ個のコードブロックに対して実行され、Ｎ個の符号化ビットブロックを取得する。
【０１０１】
任意に、誤り訂正符号化は、例えば、ターボ符号、Ｐｏｌａｒ符号または低密度パリティ検査符号を用いて符号化方式でＮ個のコードブロックの各々に対して実行され、Ｎ個の符号化ビットブロックを取得する。
【０１０２】
任意に、誤り訂正符号化は、複数の符号化方式でＮ個のコードブロックに対して実行されてよい。
【０１０３】
任意に、誤り訂正符号化は、完全に同一ではないコードレートを用いて、Ｎ個のコードブロックに対して実行され、Ｎ個の符号化ビットブロックを取得してよい。
【０１０４】
任意に、Ｎ個のコードブロックのサイズは完全に同じではなく、誤り訂正符号化がＮ個のコードブロックに対して実行される場合に用いられるコードレートも完全に同じではない。これは、異なる誤り訂正能力を有する誤り訂正符号化がＮ個のコードブロックに実行されることを具体化する。
【０１０５】
任意に、非直交伝送の間に、複数の重畳されたデータストリームが異なる誤り訂正能力を含むことができる場合、受信側は、干渉除去方式でより容易にデータを徐々に復調してよい。
【０１０６】
任意に、ターボ符号を用いてコードブロックに対して実行される誤り訂正符号化の間に、まず誤り訂正符号化がコードブロックに対して実行され、誤り訂正符号化が実行された後に取得されたビットに対してレートマッチングが実行され、Ｎ個の符号化ビットブロックを取得する。
【０１０７】
任意に、Ｐｏｌａｒ符号を用いてコードブロックに対して誤り訂正符号化が実行される場合、符号化ビットブロックのサイズは２の累乗である。
【０１０８】
段階２０３において、Ｎ個の符号化ビットブロックは、時間領域、周波数領域、空間領域および符合領域のうち少なくとも１つの次元において同じリソースを用いて非直交伝送される。
【０１０９】
任意に、同じリソースは、時間領域リソース、周波数領域リソース、空間領域リソースおよび符号領域リソースのうちの任意のタイプのリソースであってよい。
【０１１０】
任意に、同じリソースは、時間領域リソース、周波数領域リソース、空間領域リソースおよび符号領域リソースのうち複数のタイプのリソースであってよい。
【０１１１】
任意に、Ｎ個の符号化ビットブロックは結合わされ、少なくとも１つの次元において同じリソースに対して非直交伝送される。
【０１１２】
任意に、Ｎ個の符号化ビットブロックがＭ個のビットストリームにマッピングされ、ここで、Ｍは１以上の整数であって、Ｍ個のビットストリームは変調されてＭ個の伝送対象のシンボルストリームを取得し、ここで、Ｍ個の伝送対象のシンボルストリームにおける変調シンボルの数量は等しく、Ｍ個の伝送対象のシンボルストリームは重畳されて重畳シンボルストリームを取得し、重畳シンボルストリームは非直交伝送される。
【０１１３】
任意に、重畳シンボルストリームは、時間領域、周波数領域、空間領域および符合領域のうち少なくとも１つの次元において同じリソースを用いて非直交伝送される。
【０１１４】
任意に、Ｍ個のビットストリームにおける第１ビットストリームは直交振幅変調および／または位相シフト変調によって変調され、Ｍ個の伝送対象のシンボルストリームを取得する。
【０１１５】
任意に、第１ビットストリームはＭ個のビットストリームの一部であってよく、またはＭ個のビットストリームの全てであってよい。
【０１１６】
Ｍ個のビットストリームにおける第１ビットストリームを変調することは、第１ビットストリームにおけるビットを変調することであることを理解されたい。
【０１１７】
任意に、Ｍ個のビットストリームにおける第１ビットストリームが直交振幅変調および／または位相シフト変調によって変調される場合、Ｎ個の符号化ビットブロックにおけるｉ番目の符号化ビットブロック（Ｅｎｃｏｄｅｄ  Ｂｉｔ、ＥＢ）ＥＢｉのサイズは、以下の式１によって取得されてよい。
［式１］
ＥＢｉ＝［時間−周波数リソースの総数量］×ｌｏｇ２（Ｘ）
ここで、Ｘは第１ビットストリームに対して実行される変調の次数を表す。
【０１１８】
任意に、データ伝送が実行される際に、時間−周波数リソースの総数量が取得されている。
【０１１９】
任意に、ビットストリームに対して実行された変調の次数は、変調スキームが決定される際に取得されている。
【０１２０】
任意に、第１ビットストリームに対して実行された変調の次数は、４、１６、６４および２５６であってよい。
【０１２１】
例えば、図５に示されるように、サイズが１０７４４ビットである（すなわち、ＴＢＳが１０７４４ビットである）ＴＢの場合、ＴＢはそれぞれ、ＣＢ１およびＣＢ２の２つのＣＢに分割される。ＣＢ１のサイズは６０８０ビットであって、ＣＢ２のサイズは４７３６ビットである。式１に従って、ＣＢが符号化された後、ＥＢが取得される。この期間の間、時間−周波数リソースの総数量は１９２０である。ＥＢ１は、ＣＢ１が符号化された後に取得される。この場合、ＥＢ１に対して実行された変調の次数Ｘは２５６であって、ＥＢ１のサイズは１５３６０ビットである。ＥＢ２は、ＣＢ２が符号化された後に取得される。この場合、ＥＢ２に対して実行された変調の次数Ｘは６４であって、ＥＢ２のサイズは１１５２０ビットである。
【０１２２】
任意に、コードブックを用いてＭ個のビットストリームにおける第２ビットストリームに対して多次元変調が実行される。ここで、コードブックは、２つ以上のコードワードを有し、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０１２３】
任意に、第２ビットストリームはＭ個のビットストリームの一部であってよく、またはＭ個のビットストリームの全てであってよい。
【０１２４】
Ｍ個のビットストリームにおける第２ビットストリームを変調することは、第２ビットストリームにおけるビットを変調することであることを理解されたい。
【０１２５】
任意に、コードブックはスパース符号多元接続（Ｓｐａｒｓｅ  Ｃｏｄｅ  Ｍｕｌｔｉｐｌｅ  Ａｃｃｅｓｓ、ＳＣＭＡ）コードブックであってよい。
【０１２６】
ＳＣＭＡは、非直交多元接続技術である。当該技術において、複数の異なるデータストリームは同じリソースエレメントに対して（すなわち、複数の異なるデータストリームに対して同じリソースエレメントが用いられる）、コードブックを用いて伝送され、ここで、異なるコードブックが異なるデータストリームに対して用いられる。したがって、リソースの利用率が改善される。データストリームは、同じユーザ機器から来てよく、異なるユーザ機器から来てもよい。
【０１２７】
ＳＣＭＡにおいて用いられるコードブックは、２つ以上のコードワードのセットである。
【０１２８】
コードワードは、２次元以上の多次元複素ベクトルとして表されてよく、データと２つ以上の変調シンボルとの間のマッピング関係を表すために用いられる。変調シンボルは、少なくとも１つのゼロ変調シンボルおよび少なくとも１つの非ゼロ変調シンボルを含み、データは二進ビットデータまたは多変量データであってよい。
【０１２９】
コードブックは、２つ以上のコードワードを含み、コードワードは互いに異なってよい。コードブックは、特定の長さを有するデータの可能なデータ組み合わせとコードブック内のコードワードとの間のマッピング関係を表してよい。
【０１３０】
ＳＣＭＡに用いられるコードワードはある程度までスパース性を有してよい。例えば、コードワードにおけるゼロ要素の数量は、非ゼロ要素の数量以上であってよく、その結果、受信側はマルチユーザ検出技術を用いて、相対的に低複雑度で復号を実行することができる。ここで、上に列挙されたゼロ要素の数量と変調シンボルとの間の関係は、スパース性の説明の例に過ぎない。本発明はこれに限定されない。非ゼロ要素の数量に対するゼロ要素の数量の割合は、ランダムに設定されてよい。
【０１３１】
ＳＣＭＡ技術において、データストリームのデータは特定のマッピング関係によるコードブックのコードワード、すなわち、多次元複素ベクトルに直接マッピングされて、複数のリソースエレメントを介してデータの拡張した送信を実装する。ここでのデータは、二進ビットデータまたは多変量データであってよい。複数のリソースエレメントは、時間領域、周波数領域、空間領域、時間−周波数領域、時間−空間領域、または時間−周波数−空間領域におけるリソースエレメントであってよい。ＳＣＭＡは単なる名称であって、業界においてこの技術を表すために別の名称が代わりに用いられてよいことを理解されたい。
【０１３２】
任意に、コードブックを用いてＭ個のビットストリームにおける第２ビットストリームに対して多次元変調が実行される場合、Ｎ個の符号化ビットブロックにおけるｉ番目の符号化ビットブロックＥＢｉのサイズは、以下の式２によって取得されてよい。
［式２］
ＥＢｉ＝［時間−周波数リソースの総数量］／Ｆ×ｋ×ｌｏｇ２（Ｘ）
ここで、Ｆは拡散率を表し、ｋは各符号化ビットブロックによって占有されるビットストリームの数量を表し、Ｘは、第２ビットストリームに対して実行された変調の次数を表す。
【０１３３】
任意に、データ伝送が実行される際に、時間−周波数リソースの総数量が取得されている。
【０１３４】
任意に、ビットストリームに対して実行された変調の次数は、変調スキームが決定される際に取得されている。
【０１３５】
任意に、拡散率ＦはＳＣＭＡ技術で用いられる最適化パラメータである。
【０１３６】
任意に、各符号化ビットブロックＥＢによって占有されるビットストリームの数量ｋは、ＥＢのマッピング関係に基づいて決定される。ＥＢは、連続的または疑似乱数的にマッピングされてよい。
【０１３７】
任意に、第２ビットストリームに対して実行される変調の次数Ｘは、ＳＣＭＡ変調次数であってよく、当該次数は、４、１６、６４、２５６であってよい。
【０１３８】
例えば、図６に示されるように、サイズが８０５６ビットである（すなわち、ＴＢＳが８０５６ビットである）ＴＢの場合、ＴＢはそれぞれ、ＣＢ１およびＣＢ２の２つのＣＢに分割される。ＣＢ１のサイズは５９５２ビットであって、ＣＢ２のサイズは２１７６ビットである。式２に従って、ＣＢが符号化された後、符号化ビットブロック（Ｅｎｃｏｄｅｄ  Ｂｉｔ、ＥＢ）が取得される。この期間の間、時間−周波数リソースの総数量は１９２０であって、拡散率Ｆは４であって、各符号化ビットブロックによって占有されるビットストリームの数量ｋは２である。ＥＢ１は、ＣＢ１が符号化された後に取得される。この場合、ＥＢ１に実行された変調の次数Ｘは２５６であって、ＥＢ１のサイズは７６８０ビットである。ＥＢ２は、ＣＢ２が符号化された後に取得される。この場合、ＥＢ２に対して実行された変調の次数Ｘは１６であって、ＥＢ２のサイズは３８４０ビットである。
【０１３９】
任意に、Ｎ個の符号化ビットブロックは、Ｍ個のビットストリームに疑似乱数的にマッピングされる。
【０１４０】
任意に、Ｎ個の符号化ビットブロックの各々が分割された後、Ｎ個の符号化ビットブロックは、Ｍ個のビットストリームうち少なくとも２つ疑似乱数的にマッピングされる。
【０１４１】
例えば、Ｍ個のビットストリームにおける第１ビットストリームが直交振幅変調および／または位相シフト変調によって変調される場合、図７に示されるように、サイズが８０５６ビット（すなわち、ＴＢＳが８０５６ビットである）ＴＢの場合、ＴＢはそれぞれ、ＣＢ１およびＣＢ２の２つのＣＢに分割される。ＣＢ１のサイズは５９５２ビットであって、ＣＢ２のサイズは２１７６ビットである。式１に従って、ＣＢが符号化された後、ＥＢが取得される。この期間の間、時間−周波数リソースの総数量は１９２０である。ＥＢ１は、ＣＢ１が符号化された後に取得される。この場合、ＥＢ１に対して実行された変調の次数Ｘは６４であって、ＥＢ１のサイズは１１５２０ビットである。ＥＢ２は、ＣＢ２が符号化された後に取得される。この場合、ＥＢ２に対して実行された変調の次数Ｘは１６であって、ＥＢ２のサイズは７６８０ビットである。ＥＢ１は、分割順序に従ってサブビットブロック１およびサブビットブロック２としてそれぞれ表示される２つのサブビットブロックに均等に分割され、サブビットブロック１およびサブビットブロック２はビットストリーム２およびビットストリーム１に対してランダムにマッピングされる。ＥＢ２は、分割順序に従ってサブビットブロック３およびサブビットブロック４としてそれぞれ表示される２つのサブビットブロックに均等に分割され、サブビットブロック３およびサブビットブロック４は、ビットストリーム１およびビットストリーム２に対してランダムにマッピングされる。ビットストリーム１のビットサイズは９６００ビットであって、ビットストリーム２のビットサイズは９６００ビットである。
【０１４２】
例えば、Ｍ個のビットストリームにおける第２ビットストリームに対して多次元変調が実行される場合、図８に示されるように、サイズが１０７４４ビットである（すなわち、ＴＢＳが１０７４４ビットである）ＴＢの場合、ＴＢはそれぞれ、ＣＢ１およびＣＢ２の２つのＣＢに不均等に分割される。ＣＢ１のサイズは６０８０ビットであって、ＣＢ２のサイズは４７３６ビットである。式２に従って、ＣＢが符号化された後、ＥＢが取得される。この期間の間、時間−周波数リソースの総数量は１９２０であって、拡散率Ｆは４であって、各符号化ビットブロックによって占有されるビットストリームの数量ｋは３である。ＥＢ１は、ＣＢ１が符号化された後に取得される。この場合、ＥＢ１に対して実行された変調の次数Ｘは２５６であって、ＥＢ１のサイズ１１５２０ビットである。ＥＢ２は、ＣＢ２が符号化された後に取得される。この場合、ＥＢ２に対して実行された変調の次数Ｘは２５６であって、ＥＢ２のサイズは１１５２０ビットである。ＥＢ１は、分割順序に従ってサブビットブロック１、サブビットブロック２およびサブビットブロック３としてそれぞれ表示される３つのサブビットブロックに均等に分割され、サブビットブロック１、サブビットブロック２およびサブビットブロック３はビットストリーム２、ビットストリーム３およびビットストリーム１にランダムにマッピングされるＥＢ２は、分割順序に従ってサブビットブロック４、サブビットブロック５およびサブビットブロック６としてそれぞれ表示される３つのサブビットブロックに均等に分割され、サブビットブロック４、サブビットブロック５およびサブビットブロック６は、ビットストリーム３、ビットストリーム１およびビットストリーム２にそれぞれマッピングされる。ビットストリーム１のビットサイズは７６８０ビットであって、ビットストリーム２のビットサイズは７６８０ビットであって、ビットストリーム３のビットサイズは７６８０ビットである。
【０１４３】
任意に、Ｎ個の符号化ビットブロックのうち少なくとも２つが結合された後に、Ｎ個の符号化ビットブロックは、Ｍ個のビットストリームうち少なくとも２つに疑似乱数的にマッピングされる。
【０１４４】
例えば、コードブックを用いて、Ｍ個のビットストリームにおける第２ビットストリームに対して多次元変調が実行される場合、図９に示されるように、サイズが１０７４４ビットである（すなわち、ＴＢＳが１０７４４ビットである）ＴＢの場合、ＴＢはそれぞれ、ＣＢ１、ＣＢ２、ＣＢ３およびＣＢ４の４つのＣＢに不均等に分割される。ＣＢ１のサイズは３０４８ビットであって、ＣＢ２のサイズは２６１６ビットであって、ＣＢ３のサイズは３６６０ビットであって、ＣＢ４のサイズは１４９２ビットである。式２に従って、ＣＢが符号化された後、ＥＢが取得される。この期間の間、時間−周波数リソースの総数量は１９２０であって、拡散率Ｆは４であって、各符号化ビットブロックによって占有されるビットストリームの数量ｋは３である。ＥＢ１は、ＣＢ１が符号化された後に取得される。この場合、ＥＢ１に対して実行された変調の次数Ｘは２５６であって、ＥＢ１のサイズ１１５２０ビットである。ＥＢ２は、ＣＢ２が符号化された後に取得される。この場合、ＥＢ２に対して実行された変調の次数Ｘは１６であって、ＥＢ２のサイズは５７６０ビットである。ＥＢ３は、ＣＢ３が符号化された後に取得される。この場合、ＥＢ３に対して実行された変調の次数Ｘは１６であって、ＥＢ３のサイズは５７６０ビットである。ＥＢ４は、ＣＢ４が符号化された後に取得される。この場合、ＥＢ４に対して実行された変調の次数Ｘは２５６であって、ＥＢ４のサイズは１１５２０ビットである。ＥＢ１およびＥＢ４は結合されてＥＢ５を取得し、ＥＢ５のサイズは２３０４０ビットである。ＥＢ２およびＥＢ３は結合されてＥＢ６を取得し、ＥＢ６のサイズは１１５２０ビットである。ＥＢ５は、分割順序に従ってサブビットブロック１、サブビットブロック２およびサブビットブロック３としてそれぞれ表示される３つのサブビットブロックに均等に分割され、サブビットブロック１、サブビットブロック２およびサブビットブロック３はビットストリーム２、ビットストリーム３およびビットストリーム１にそれぞれマッピングされるＥＢ６は、分割順序に従ってサブビットブロック４、サブビットブロック５およびサブビットブロック６としてそれぞれ表示される３つのサブビットブロックに均等に分割され、サブビットブロック４、サブビットブロック５およびサブビットブロック６は、ビットストリーム３、ビットストリーム１およびビットストリーム２にそれぞれマッピングされる。ビットストリーム１のビットサイズは１１５２０ビットであって、ビットストリーム２のビットサイズは１１５２０ビットであって、ビットストリーム３のビットサイズは１１５２０ビットである。
【０１４５】
任意に、Ｎ個のコードブロックは、Ｎ個の符号化ビットブロックの各々におけるビットの配置順序に従って、Ｍ個のビットストリームに連続的にマッピングされる。
【０１４６】
例えば、図１０に示されるように、サイズが８０５６ビットである（すなわち、ＴＢＳが８０５６ビットである）ＴＢの場合、ＴＢはそれぞれ、ＣＢ１およびＣＢ２の２つのＣＢに分割される。ＣＢ１のサイズは５９５２ビットであって、ＣＢ２のサイズは２１７６ビットである。式２に従って、ＣＢが符号化された後、ＥＢが取得される。この期間の間、時間−周波数リソースの総数量は１９２０であって、拡散率Ｆは４であって、各符号化ビットブロックによって占有されるビットストリームの数量ｋは２である。ＥＢ１は、ＣＢ１が符号化された後に取得される。この場合、ＥＢ１に対して実行された変調の次数Ｘは２５６であって、ＥＢ１のサイズ７６８０ビットである。ＥＢ２は、ＣＢ２が符号化された後に取得される。この場合、ＥＢ２に対して実行された変調の次数Ｘは１６であって、ＥＢ２のサイズは３８４０ビットである。ＥＢ１は、分割順序に従ってサブビットブロック１およびサブビットブロック２としてそれぞれ表示される２つのサブビットブロックに均等に分割され、サブビットブロック１およびサブビットブロック２はビットストリーム１およびビットストリーム２にそれぞれマッピングされる。ＥＢ２は、分割順序に従ってサブビットブロック３およびサブビットブロック４としてそれぞれ表示される２つのサブビットブロックに均等に分割され、サブビットブロック３およびサブビットブロック４は、ビットストリーム３およびビットストリーム４にそれぞれマッピングされる。ビットストリーム１のビットサイズは３８４０ビットであって、ビットストリーム２のビットサイズは３８４０ビットであって、ビットストリーム３のビットサイズは１９２０ビットであって、ビットストリーム４のビットサイズは１９２０ビットである。
【０１４７】
任意に、Ｎ個のコードブロックは、Ｎ個の符号化ビットブロックの配置順序に従って、Ｍ個のビットストリームに連続的にマッピングされる。
【０１４８】
例えば、図１１に示されるように、サイズが８０５６ビットである（すなわち、ＴＢＳが８０５６ビットである）ＴＢの場合、ＴＢはそれぞれ、ＣＢ１およびＣＢ２の２つのＣＢに分割される。ＣＢ１のサイズは５９５２ビットであって、ＣＢ２のサイズは２１７６ビットである。式２に従って、ＣＢが符号化された後、ＥＢが取得される。この期間の間、時間−周波数リソースの総数量は１９２０であって、拡散率Ｆは４であって、各符号化ビットブロックによって占有されるビットストリームの数量ｋは１である。ＥＢ１は、ＣＢ１が符号化された後に取得される。この場合、ＥＢ１に対して実行された変調の次数Ｘは２５６であって、ＥＢ１のサイズ３８４０ビットである。ＥＢ２は、ＣＢ２が符号化された後に取得される。この場合、ＥＢ２に対して実行された変調の次数Ｘは１６であって、ＥＢ２のサイズは１９２０ビットである。Ｎ個の符号化ビットブロックの配置順序に従って、ＥＢ１はビットストリーム１にマッピングされ、ＥＢ２はビットストリーム２にマッピングされる。ビットストリーム１のビットブロックサイズは３８４０ビットであって、ビットストリームのビットブロックサイズは１９２０ビットである。
【０１４９】
任意に、Ｎ個の符号化ビットブロックは、Ｍ個のビットストリームにランダムにマッピングされる。この場合、Ｍ＝Ｎである。
【０１５０】
例えば、図１２に示されるように、サイズが１０７４４ビットである（すなわち、ＴＢＳが１０７４４ビットである）ＴＢの場合、ＴＢはそれぞれ、ＣＢ１、ＣＢ２、ＣＢ３およびＣＢ４の４つのＣＢに不均等に分割される。ＣＢ１のサイズは３０４８ビットであって、ＣＢ２のサイズは２６４０ビットであって、ＣＢ３のサイズは３６８４ビットであって、ＣＢ４のサイズは１４９２ビットである。式２に従って、ＣＢが符号化された後、ＥＢが取得される。この期間の間、時間−周波数リソースの総数量は１９２０であって、拡散率Ｆは４であって、各符号化ビットブロックによって占有されるビットストリームの数量ｋは３である。ＥＢ１は、ＣＢ１が符号化された後に取得される。この場合、ＥＢ１に対して実行された変調の次数Ｘは２５６であって、ＥＢ１のサイズ１１５２０ビットである。ＥＢ２は、ＣＢ２が符号化された後に取得される。この場合、ＥＢ２に対して実行された変調の次数Ｘは１６であって、ＥＢ２のサイズは５７６０ビットである。ＥＢ３は、ＣＢ３が符号化された後に取得される。この場合、ＥＢ３に対して実行された変調の次数Ｘは１６であって、ＥＢ３のサイズは５７６０ビットである。ＥＢ４は、ＣＢ４が符号化された後に取得される。この場合、ＥＢ４に対して実行された変調の次数Ｘは２５６であって、ＥＢ４のサイズは１１５２０ビットである。ＥＢ１はビットストリーム３にマッピングされ、ＥＢ２はビットストリーム１にマッピングされ、ＥＢ３はビットストリーム４にマッピングされ、ＥＢ４はビットストリーム２にマッピングされる。
【０１５１】
任意に、Ｍ個のビットストリームが変調されてＭ個の伝送対象のシンボルストリームを取得する。Ｍ個の伝送対象のシンボルストリームにおける変調シンボルの数量は等しい。
【０１５２】
任意に、Ｍ個の伝送対象のシンボルストリームは重畳されて重畳シンボルストリームを取得する。
【０１５３】
例えば、図１３に示されるように、Ｍ個の伝送対象のシンボルストリームの各々は１０つのシンボルを含む。１番目の伝送対象のシンボルストリームにおけるシンボルは１ａ、２ａ、…、および１０ａとして表示され、２番目の伝送対象のシンボルストリームにおけるシンボルは１ｂ、２ｂ、…、および１０ｂとして表示され、Ｍ番目の伝送対象のシンボルストリームのシンボルは１Ｍ、２Ｍ、…、および１０Ｍとして表示され、重畳シンボルストリームにおけるシンボルは、１、２、…、および１０として表示される。１ａ、１ｂ…、および１Ｍが重畳されて重畳シンボル１を取得し、２ａ、２ｂ…、および２Ｍが重畳されて重畳シンボル２を取得し、１０ａ、１０ｂ…、および１０Ｍが重畳されて重畳シンボル１０を取得する。
【０１５４】
任意に、重畳シンボルストリームは新しいシンボルストリームであり、同じ時間領域リソース、周波数領域リソース、空間領域リソースおよび符号領域リソースを用いて、非直交伝送されてよい。
【０１５５】
したがって、本願のこの実施形態においては、非直交データ伝送の間に、伝送対象のブロックは完全に均等ではないサイズのＮ個のコードブロックに分割され、異なる誤り訂正能力を有する誤り訂正符号化がＮ個のコードブロックに対して実行され、その結果、全てのコードブロックの性能は異なり、受信側は、干渉除去方式でより容易にデータを徐々に復調でき、それによりアップリンク／ダウンリンクデータ伝送スループットが増大する。
【０１５６】
２０４において、時間領域、周波数領域、空間領域および符合領域のうち少なくとも１つの次元において同じリソースを用いて受信信号が取得される。
【０１５７】
２０５において、Ｎ個の符号化ビットブロックは、受信信号を復調することにより取得され、ここで、Ｎは２以上の整数である。
【０１５８】
任意に、受信信号に基づいてＮ個の符号化ビットブロックを取得する段階は、受信信号を取得する段階であって、ここで、受信信号は重畳シンボルストリームを含む、取得する段階と、重畳シンボルストリームを均等に分割してＭ個のシンボルストリームを取得する段階であって、ここで、Ｍ個のシンボルストリームの全てに含まれるシンボルの数量は等しく、Ｍは１以上の整数である、分割する段階と、Ｍ個のシンボルストリームを復調してＭ個のビットストリームを取得する段階と、Ｍ個のビットストリームをデマッピングしてＮ個の符号化ビットブロックを取得する段階であって、ここで、Ｎは２以上の整数である、取得する段階とを含む。
【０１５９】
任意に、Ｍ個のビットストリームにおけるビットは疑似乱数的にデマッピングされ、Ｎ個の符号化ビットブロックを取得する。
【０１６０】
任意に、Ｍ個のビットストリームにおけるビットは連続的にデマッピングされ、Ｎ個の符号化ビットブロックを取得する。
【０１６１】
任意に、Ｍ個のビットストリームにおける符号化ビットブロックは、Ｍ個のビットストリームにおける符号化ビットブロックの配置順序に従って、Ｎ個の符号化ビットブロックに連続的にマッピングされる。
【０１６２】
任意に、Ｍ個のビットストリームにおけるビットは、Ｍ個のビットストリームにおけるビットの配置順序に従って、Ｎ個の符号化ビットブロックに連続的にマッピングされる。
【０１６３】
任意に、Ｍ個のシンボルストリームは、直交振幅復調および／または位相シフト復調によって復調され、Ｍ個のビットストリームを取得する。
【０１６４】
任意に、コードブックを用いてＭ個のシンボルストリームが復調されてＭ個のビットストリームを取得する。ここで、コードブックは、２つ以上のコードワードを有し、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０１６５】
任意に、Ｍ個のビットストリームの復調スキームは完全に同じではない。
【０１６６】
２０６において、Ｎ個の符号化ビットブロックに対して誤り訂正復号が実行され、完全に均等ではないサイズのＮ個のコードブロックを取得する。
【０１６７】
任意に、誤り訂正復号は、完全に同一ではないコードレートを用いて、Ｎ個のコードブロックに対して実行され、完全に同一ではないサイズのＮ個のコードブロックを取得する。
【０１６８】
任意に、誤り訂正復号は、ターボ符号、Ｐｏｌａｒ符号および低密度パリティ検査符号のうちいずれか１つの復号方式で実行される。
【０１６９】
２０７において、Ｎ個のコードブロックは結合されてトランスポートブロックを取得する。
【０１７０】
任意に、Ｎ個のコードブロックは完全に均等ではないサイズのコードブロックであってよい。
【０１７１】
したがって、本願のこの実施形態は、非直交データ伝送の間に、完全に同一ではないサイズのＮ個のコードブロックは復号によって取得され、その結果、データは干渉除去方式でより容易に復調され、それによりアップリンク／ダウンリンクデータ伝送スループットが増加する。
【０１７２】
図１４Ａおよび図１４Ｂは、本願の別の実施形態に係る非直交データ伝送方法３００の概略フローチャートである。図１４Ａおよび図１４Ｂに示されるように、方法３００は以下の内容を含む。
【０１７３】
段階３０１において、伝送対象のトランスポートブロックはＮ個のコードブロックに分割され、ここで、Ｎは２以上の整数である。
【０１７４】
任意に、Ｎ個のコードブロックは同一なサイズのコードブロックであってよく、完全に均等ではないサイズのコードブロックであってもよい。
【０１７５】
段階３０２において、誤り訂正符号化はＮ個のコードブロックに対して実行され、Ｎ個の符号化ビットブロックを取得する。
【０１７６】
任意に、Ｎ個のコードブロックが完全に均等ではないサイズのコードブロックである場合、完全に同一ではないコードレートを用いて、Ｎ個のコードブロックに対して誤り訂正符号化が実行され、Ｎ個の符号化ビットブロックを取得してよい。
【０１７７】
任意に、Ｎ個のコードブロックの各々に対して誤り訂正符号化が実行され、Ｎ個の符号化ビットブロックを取得する。ここで、誤り訂正符号化は、ターボ符号、Ｐｏｌａｒ符号および低密度パリティ検査符号のうちいずれか１つの符号化方式で実行される。
【０１７８】
任意に、誤り訂正符号化がＰｏｌａｒ符号化によってＮ個のコードブロックの各々に対して実行される場合、Ｎ個の符号化ビットブロックの各々のサイズは、２の累乗である。
【０１７９】
段階３０３において、Ｎ個の符号化ビットブロックは、Ｍ個のビットストリームに対して疑似乱数的にマッピングされ、ここで、Ｍは１以上の整数である。
【０１８０】
任意に、Ｎ個の符号化ビットブロックの各々が分割された後、Ｎ個の符号化ビットブロックは、Ｍ個のビットストリームうち少なくとも２つに疑似乱数的にマッピングされる。
【０１８１】
任意に、Ｎ個の符号化ビットブロックのうち少なくとも２つがを結合された後、Ｎ個の符号化ビットブロックは、Ｍ個のビットストリームうち少なくとも２つに疑似乱数的にマッピングされる。
【０１８２】
段階３０４において、Ｍ個のビットストリームが変調されてＭ個の伝送対象のシンボルストリームを取得する。ここで、Ｍ個の伝送対象のシンボルストリームの全てに含まれる変調シンボルの数量は等しい。
【０１８３】
任意に、Ｍ個のビットストリームにおける第１ビットストリームは直交振幅変調および／または位相シフト変調によって変調され、Ｍ個の伝送対象のシンボルストリームを取得する。
【０１８４】
任意に、Ｍ個のビットストリームにおける第１ビットストリームが直交振幅変調および／または位相シフト変調によって変調される場合、Ｎ個の符号化ビットブロックにおけるｉ番目の符号化ビットブロックＥＢｉのサイズは、以下の式１によって取得されてよい。
［式１］
ＥＢｉ＝［時間−周波数リソースの総数量］×ｌｏｇ２（Ｘ）
ここで、Ｘは第１ビットストリームに対して実行される変調の次数を表す。
【０１８５】
任意に、コードブックを用いてＭ個のビットストリームにおける第２ビットストリームに対して多次元変調が実行される。ここで、コードブックは、２つ以上のコードワードを有し、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０１８６】
任意に、コードブックを用いてＭ個のビットストリームにおける第２ビットストリームに対して多次元変調が実行される場合、Ｎ個の符号化ビットブロックにおけるｉ番目の符号化ビットブロックＥＢｉのサイズは、以下の式２によって取得されてよい。
［式２］
ＥＢｉ＝［時間−周波数リソースの総数量］／Ｆ×ｋ×ｌｏｇ２（Ｘ）
ここで、Ｆは拡散率を表し、ｋは各符号化ビットブロックによって占有されるビットストリームの数量を表し、Ｘは、第２ビットストリームに対して実行された変調の次数を表す。
【０１８７】
任意に、Ｎ個のコードブロックの変調スキームは完全に同じではない。
【０１８８】
段階３０５において、Ｍ個の伝送対象のシンボルストリームは重畳されて重畳シンボルストリームを取得する。
【０１８９】
段階３０６において、同じ時間領域リソース、周波数領域リソース、空間領域リソースおよび符号領域リソースを用いて、重畳シンボルストリームは非直交伝送される。
【０１９０】
したがって、本願のこの実施形態において、非直交データ伝送の間に、伝送対象のブロックはＮ個のコードブロックに分割され、Ｎ個の符号化ビットブロックはＭ個のビットストリームに疑似乱数的にマッピングされ、その結果、全てのビットストリームの性能は異なり、それによりアップリンク／ダウンリンクデータ伝送スループットが増大する。
【０１９１】
段階３０７において、重畳シンボルストリームが受信される。
【０１９２】
段階３０８において、重畳シンボルストリームが均等に分割されてＭ個のシンボルストリームを取得する。ここで、Ｍ個のシンボルストリーム全てに含まれるシンボルの数量は等しく、Ｍは１以上の整数である。
【０１９３】
段階３０９において、Ｍ個のシンボルストリームは復調されてＭ個のビットストリームを取得する。
【０１９４】
任意に、Ｍ個のシンボルストリームは、直交振幅復調および／または位相シフト復調によって復調され、Ｍ個のビットストリームを取得する。
【０１９５】
任意に、コードブックを用いてＭ個のシンボルストリームが復調されてＭ個のビットストリームを取得する。ここで、コードブックは、２つ以上のコードワードを有し、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０１９６】
任意に、Ｍ個のビットストリームの復調スキームは完全に同じではない。
【０１９７】
段階３１０において、Ｍ個のビットストリームがデマッピングされてＮ個の符号化ビットブロックを取得する。ここで、Ｎは２以上の整数である。
【０１９８】
任意に、Ｍ個のビットストリームにおけるビットは疑似乱数的にデマッピングされ、Ｎ個の符号化ビットブロックを取得する。
【０１９９】
段階３１１において、Ｎ個の符号化ビットブロックに対して誤り訂正復号が実行され、Ｎ個のコードブロックを取得する。
【０２００】
任意に、Ｎ個の符号化ビットブロックに対して誤り訂正復号が実行され、Ｎ個のコードブロックを取得する。ここで、誤り訂正復号は、ターボ符号、Ｐｏｌａｒ符号および低密度パリティ検査符号のうちいずれか１つの復号方式で実行される。
【０２０１】
段階３１２において、Ｎ個のコードブロックは結合されてトランスポートブロックを取得する。
【０２０２】
本願の別の実施形態に係る非直交データ伝送方法３００における各段階に対して、図２の方法２００における対応する段階を参照してよいことを理解されたい。簡潔さのために、詳細はここで再度説明しない。
【０２０３】
したがって、本願のこの実施形態において、非直交データ伝送の間に、異なる性能を有するビットストリームが取得され、その結果、データは干渉除去方式でより容易に復調され、それによりアップリンク／ダウンリンクデータ伝送スループットが増大する。
【０２０４】
図１５は、本願の実施形態に係る非直交データ伝送デバイス４００の概略ブロック図である。図１５に示されるように、デバイス４００は、伝送対象のトランスポートブロックを、完全に均等ではないサイズのＮ個のコードブロックに分割するように構成されている分割ユニットであって、ここで、Ｎは２以上の整数である、分割ユニット４１０と、Ｎ個のコードブロックに対して誤り訂正符号化を実行して、Ｎ個の符号化ビットブロックを取得するように構成されている符号化ユニット４２０と、時間領域、周波数領域、空間領域および符合領域のうち少なくとも１つの次元において同じリソースを用いて、Ｎ個の符号化ビットブロックを非直交伝送するように構成されている伝送ユニット４３０とを含む。
【０２０５】
任意に、伝送ユニット４３０は、Ｎ個の符号化ビットブロックをＭ個のビットストリームにマッピングすることであって、ここで、Ｍは１以上の整数である、マッピングすることと、Ｍ個のビットストリームを変調してＭ個の伝送対象のシンボルストリームを取得することであって、ここで、Ｍ個の伝送対象のシンボルストリームの全てに含まれる変調シンボルの数量は等しい、取得することと、Ｍ個の伝送対象のシンボルストリームを重畳して重畳シンボルストリームを取得することと、重畳シンボルストリームを非直交伝送することとを行うように具体的に構成されている。
【０２０６】
任意に、重畳シンボルストリームは、時間領域、周波数領域、空間領域および符合領域のうち少なくとも１つの次元において同じリソースを用いて非直交伝送される。
【０２０７】
任意に、伝送ユニット４３０は、Ｎ個の符号化ビットブロックをＭ個のビットストリームに疑似乱数的にマッピングするように具体的に構成されている。
【０２０８】
任意に、伝送ユニット４３０は、Ｎ個の符号化ビットブロックの各々が分割された後、Ｎ個の符号化ビットブロックをＭ個のビットストリームのうち少なくとも２つに疑似乱数的にマッピングする、または、Ｎ個の符号化ビットブロックのうち少なくとも２つが結合された後、Ｎ個の符号化ビットブロックをＭ個のビットストリームのうち少なくとも２つに疑似乱数的にマッピングするように具体的に構成されている。
【０２０９】
任意に、伝送ユニット４３０は、Ｎ個の符号化ビットブロックの配置順序および／またはＮ個の符号化ビットブロックの各々のビットの配置順序に従って、Ｎ個の符号化ビットブロックをＭ個のビットストリームに連続的にマッピングするように具体的に構成されている。
【０２１０】
任意に、伝送ユニット４３０は、Ｍ個のビットストリームにおける第１ビットストリームを、直交振幅変調および／または位相シフト変調によって変調して、Ｍ個の伝送対象のシンボルストリームを取得するように具体的に構成されている。
【０２１１】
任意に、伝送ユニット４３０は、Ｍ個のビットストリームにおける第２ビットストリームに対して、コードブックを用いて多次元変調を実行するように具体的に構成されている。ここで、コードブックは、２つ以上のコードワードを含み、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０２１２】
任意に、Ｎ個のコードブロックの変調スキームは完全に同じではない。
【０２１３】
任意に、符号化ユニット４２０は、完全に同一ではないコードレートを用いることにより、Ｎ個のコードブロックに対して誤り訂正符号化を実行して、Ｎ個の符号化ビットブロックを取得するように具体的に構成されている。
【０２１４】
任意に、符号化ユニット４２０は、誤り訂正符号化を、ターボ符号、Ｐｏｌａｒ符号および低密度パリティ検査符号のうちいずれか１つの復号方式で実行する。
【０２１５】
本願のこの実施形態に係る非直交データ伝送デバイス４００のユニットの前述および他のオペレーションおよび／または機能は、図２の方法２００における伝送側の対応する手順を実装することを意図していることを理解されたい。簡潔さのために、詳細はここで再度説明しない。
【０２１６】
図１６は、本願の別の実施形態に係る非直交データ伝送デバイス５００の概略ブロック図である。図１６に示されるように、デバイス５００は、伝送対象のトランスポートブロックをＮ個のコードブロックに分割するように構成された分割ユニットであって、ここで、Ｎは２以上の整数である、分割ユニット５１０と、Ｎ個のコードブロックに誤り訂正符号化を実行してＮ個の符号化ビットブロックを取得するように構成されている符号化ユニット５２０と、Ｎ個の符号化ビットブロックを、Ｍ個のビットストリームに対して疑似乱数的にマッピングするように構成されているマッピングユニットであって、ここで、Ｍは１以上の整数である、マッピングユニット５３０と、Ｍ個のビットストリームを変調してＭ個の伝送対象のシンボルストリームを取得するように構成されている変調ユニットであって、ここで、Ｍ個の伝送対象のシンボルストリームの全てに含まれる変調シンボルの数量は等しい、変調ユニット５４０と、Ｍ個の伝送対象のシンボルストリームを重畳させて重畳シンボルストリームを取得するように構成されているシンボルストリーム処理ユニット５５０と、同じ時間領域リソース、周波数領域リソース、空間領域リソースおよび符号領域リソースを用いて、重畳シンボルストリームを非直交伝送するように構成されている伝送ユニット５６０とを含む。
【０２１７】
任意に、マッピングユニット５３０は、Ｎ個の符号化ビットブロックの各々が分割された後、Ｎ個の符号化ビットブロックをＭ個のビットストリームのうち少なくとも２つに疑似乱数的にマッピングし、または、Ｎ個の符号化ビットブロックのうち少なくとも２つが結合された後、Ｎ個の符号化ビットブロックをＭ個のビットストリームのうち少なくとも２つに対して疑似乱数的にマッピングするように具体的に構成されている。
【０２１８】
任意に、変調ユニット５４０は、Ｍ個のビットストリームにおける第１ビットストリームを、直交振幅変調および／または位相シフト変調によって変調して、Ｍ個の伝送対象のシンボルストリームを取得するように具体的に構成されている。
【０２１９】
任意に、Ｍ個のビットストリームにおける第１ビットストリームが直交振幅変調および／または位相シフト変調によって変調される場合、Ｎ個の符号化ビットブロックにおけるｉ番目の符号化ビットブロックＥＢｉのサイズは、以下の式１によって取得されてよい。
［式１］
ＥＢｉ＝［時間−周波数リソースの総数量］×ｌｏｇ２（Ｘ）
ここで、Ｘは第１ビットストリームに対して実行される変調の次数を表す。
【０２２０】
任意に、変調ユニット５４０は、Ｍ個のビットストリームにおける第２ビットストリームに対して、コードブックを用いて多次元変調を実行ように具体的に構成されている。ここで、コードブックは、２つ以上のコードワードを含み、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０２２１】
任意に、コードブックを用いてＭ個のビットストリームにおける第２ビットストリームに対して多次元変調が実行される場合、Ｎ個の符号化ビットブロックにおけるｉ番目の符号化ビットブロックＥＢｉのサイズは、以下の式２によって取得されてよい。
［式２］
ＥＢｉ＝［時間−周波数リソースの総数量］／Ｆ×ｋ×ｌｏｇ２（Ｘ）
ここで、Ｆは拡散率を表し、ｋは各符号化ビットブロックによって占有されるビットストリームの数量を表し、Ｘは、第２ビットストリームに対して実行された変調の次数を表す。
【０２２２】
任意に、Ｎ個のコードブロックの変調スキームは完全に同じではない。
【０２２３】
任意に、符号化ユニット５２０は、完全に同一ではないコードレートを用いることにより、Ｎ個のコードブロックに対して誤り訂正符号化を実行して、Ｎ個の符号化ビットブロックを取得するように具体的に構成されている。
【０２２４】
任意に、符号化ユニット５２０は、Ｎ個のコードブロックの各々に対して誤り訂正符号化を実行してＮ個の符号化ビットブロックを取得するように具体的に構成されている。ここで、誤り訂正符号化は、ターボ符号、Ｐｏｌａｒ符号および低密度パリティ検査符号のうちいずれか１つの符号化方式で実行される。
【０２２５】
本願のこの実施形態に係る非直交データ伝送デバイス５００のユニットの前述および他のオペレーションおよび／または機能は、図１４Ａおよび図１４Ｂの方法３００における伝送側の対応する手順を実装することを意図していることを理解されたい。簡潔さのために、詳細はここで再度説明しない。
【０２２６】
図１７は、本願の実施形態に係るデータ伝送デバイス６００の概略ブロック図である。図１７に示されるように、デバイス６００は、時間領域、周波数領域、空間領域および符合領域のうち少なくとも１つの次元において同じリソースを用いて受信信号を取得するように構成されている取得ユニット６１０と、受信信号を復調することによりＮ個の符号化ビットブロックを取得するように構成されている処理ユニット６２０であって、ここで、Ｎは２以上の整数である、処理ユニット６２０と、Ｎ個の符号化ビットブロックに対して誤り訂正復号を実行して、完全に同一ではないサイズのＮ個のコードブロックを取得するように構成されている復号ユニット６３０と、Ｎ個のコードブロックを結合してトランスポートブロックを取得するように構成されている結合ユニット６４０とを含む。
【０２２７】
任意に、処理ユニット６２０は、
受信信号を取得することであって、ここで、受信信号は重畳シンボルストリームを含む、取得することと、重畳シンボルストリームを均等に分割してＭ個のシンボルストリームを取得することであって、ここで、Ｍ個のシンボルストリームの全てに含まれるシンボルの数量は等しく、Ｍは１以上の整数である、取得することと、Ｍ個のシンボルストリームを復調してＭ個のビットストリームを取得することと、Ｍ個のビットストリームをデマッピングしてＮ個の符号化ビットブロックを取得することであって、ここで、Ｎは２以上の整数である、取得することとを行うように構成されている。
【０２２８】
任意に、処理ユニット６２０は、Ｍ個のビットストリームにおけるビットを疑似乱数的にデマッピングしてＮ個の符号化ビットブロックを取得するように構成されている。
【０２２９】
任意に、処理ユニット６２０は、Ｍ個のビットストリームにおけるビットを連続的にデマッピングしてＮ個の符号化ビットブロックを取得するように構成されている。
【０２３０】
任意に、処理ユニット６２０は、Ｍ個のシンボルストリームを、直交振幅復調および／または位相シフト復調によって復調し、Ｍ個のビットストリームを取得するように構成されている。
【０２３１】
任意に、処理ユニット６２０は、コードブックを用いてＭ個のシンボルストリームを復調してＭ個のビットストリームを取得するように構成されている。ここで、コードブックは、２つ以上のコードワードを含み、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０２３２】
任意に、Ｍ個のビットストリームの復調スキームは完全に同じではない。
【０２３３】
任意に、復号ユニット６３０は、完全に同一ではないコードレートを用いることのより、Ｎ個のコードブロックに対して誤り訂正復号を実行して、完全に同一ではないサイズのＮ個のコードブロックを取得するように構成されている。
【０２３４】
任意に、復号ユニット６３０は、誤り訂正復号を、ターボ符号、Ｐｏｌａｒ符号および低密度パリティ検査符号のうちいずれか１つの復号方式で実行する。
【０２３５】
本願のこの実施形態に係る非直交データ伝送デバイス６００のユニットの前述および他のオペレーションおよび／または機能は、図２の方法２００における受信側の対応する手順を実装することを意図していることを理解されたい。簡潔さのために、詳細はここで再度説明しない。
【０２３６】
図１８は、本願の実施形態に係るデータ伝送デバイス７００の概略ブロック図である。図１８に示されるように、デバイス７００は、重畳シンボルストリームを受信するように構成されている受信ユニット７１０と、重畳シンボルストリームを均等に分割してＭ個のシンボルストリームを取得するように構成されたシンボルストリーム処理ユニット７２０であって、ここで、Ｍ個のシンボルストリームの全てに含まれるシンボルの数量は等しく、Ｍは１以上の整数である、シンボルストリーム処理ユニット７２０と、Ｍ個のシンボルストリームを復調してＭ個のビットストリームを取得するように構成されている復調ユニット７３０と、Ｍ個のビットストリームをデマッピングしてＮ個の符号化ビットブロックを取得するように構成されたデマッピングユニット７４０であって、ここで、Ｎは２以上の整数である、デマッピングユニット７４０と、Ｎ個の符号化ビットブロックに対して誤り訂正復号を実行してＮ個のコードブロックを取得するように構成されている復号ユニット７５０と、Ｎ個のコードブロックを結合してトランスポートブロックを取得するように構成されている結合ユニット７６０とを含む。
【０２３７】
任意に、デマッピングユニット７４０は、Ｍ個のビットストリームにおけるビットを疑似乱数的にデマッピングしてＮ個の符号化ビットブロックを取得するように構成されている。
【０２３８】
任意に、デマッピングユニット７４０は、Ｍ個のビットストリームにおけるビットを連続的にデマッピングしてＮ個の符号化ビットブロックを取得するように構成されている。
【０２３９】
任意に、復調ユニット７３０は、Ｍ個のシンボルストリームを、直交振幅復調および／または位相シフト復調によって復調し、Ｍ個のビットストリームを取得するように構成されている。
【０２４０】
任意に、復調ユニット７３０は、コードブックを用いてＭ個のシンボルストリームを復調してＭ個のビットストリームを取得するように構成されている。ここで、コードブックは、２つ以上のコードワードを含み、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０２４１】
任意に、Ｍ個のビットストリームの復調スキームは完全に同じではない。
【０２４２】
任意に、復号ユニット７５０は、Ｎ個の符号化ビットブロックに対して誤り訂正復号を実行し、Ｎ個のコードブロックを取得するように構成されている。ここで、誤り訂正復号は、ターボ符号、Ｐｏｌａｒ符号および低密度パリティ検査符号のうちいずれか１つの復号方式で実行される。
【０２４３】
本願のこの実施形態に係る非直交データ伝送デバイス７００のユニットの前述および他のオペレーションおよび／または機能は、図１４Ａおよび図１４Ｂの方法３００における受信側の対応する手順を実装することを意図していることを理解されたい。簡潔さのために、詳細はここで再度説明しない。
【０２４４】
図１９は、本願の実施形態に係る通信装置８００の概略ブロック図である。装置８００は、プログラムコードを記憶するように構成されているメモリ８１０と、別のデバイスと通信するように構成されているトランシーバ８２０と、メモリ８１０のプログラムコードを実行するように構成されているプロセッサ８３０とを含む。
【０２４５】
任意に、コードが実行される場合、プロセッサ８３０は、伝送側デバイスにより実行される処理を方法２００で実装できる。簡潔さのために、詳細はここで再度説明しない。この場合、通信装置８００は端末デバイスまたはネットワークデバイスであってよい。トランシーバ８２０は、プロセッサ８３０の制御下で、特定の信号送受信を実行するように構成されている。
【０２４６】
任意に、コードが実行される場合、プロセッサ８３０は、伝送側デバイスにより実行される処理を方法３００で実装できる。簡潔さのために、詳細はここで再度説明しない。この場合、通信装置８００は端末デバイスまたはネットワークデバイスであってよい。
【０２４７】
任意に、コードが実行される場合、プロセッサ８３０は、受信側デバイスにより実行される処理を方法２００で実装できる。簡潔さのために、詳細はここで再度説明しない。この場合、通信装置８００は端末デバイスまたはネットワークデバイスであってよい。トランシーバ８２０は、プロセッサ８３０の制御下で、特定信号送受信を実行するように構成されている。
【０２４８】
任意に、コードが実行される場合、プロセッサ８３０は、受信側デバイスにより実行される処理を方法３００で実装できる。簡潔さのために、詳細はここで再度説明しない。この場合、通信装置８００は端末デバイスまたはネットワークデバイスであってよい。
【０２４９】
本願のこの実施形態において、プロセッサ８３０は中央演算処理装置（Ｃｅｎｔｒａｌ  Ｐｒｏｃｅｓｓｉｎｇ  Ｕｎｉｔ、ＣＰＵ）であってよく、またはプロセッサ８３０は別の汎用プロセッサ、デジタル信号プロセッサ（ＤＳＰ）、特定用途向け集積回路（ＡＳＩＣ）、フィールドプログラマブルゲートアレイ（ＦＰＧＡ）、または別のプログラマブル論理デバイス、ディスクリートゲートまたはトランジスタ論理デバイス、ディスクリートハードウェアコンポーネントなどであってよいことを理解されたい。汎用プロセッサは、マイクロプロセッサであってよく、またはプロセッサは、任意の従来のプロセッサなどであってよい。
【０２５０】
メモリ８１０は、リードオンリメモリおよびランダムアクセスメモリを含んでよく、命令およびデータをプロセッサ８３０に提供してよい。メモリ８１０の一部は、不揮発性ランダムアクセスメモリをさらに含んでよい。例えば、メモリ８１０はさらに、デバイスタイプの情報を記憶し得る。
【０２５１】
トランシーバ８２０は、周波数変調および復調機能、またはアップコンバージョンおよびダウンコンバージョン機能などの、信号伝送および受信機能を実装するように構成されてよい。
【０２５２】
実装処理において、前述の方法のうち少なくとも１つの段階は、プロセッサ８３０内のハードウェアの集積論理回路を用いて実装されてよく、少なくとも１つの段階はソフトウェア命令の制御下で集積論理回路を用いて実装されてよい。したがって、通信装置８００はチップまたはチップセットであってよい。本願の実施形態に関連して開示された方法の段階は、ハードウェアプロセッサにより直接実行されてよく、プロセッサのハードウェアおよびソフトウェアモジュールの組み合わせを用いて実行されてよい。ソフトウェアモジュールは、ランダムアクセスメモリ、フラッシュメモリ、リードオンリメモリ、プログラマブルリードオンリメモリ、電気的消去可能プログラマブルメモリ、またはレジスタなどの、本技術分野において確立した記憶媒体に配置されてよい。記憶媒体はメモリに配置されてよく、プロセッサ８３０はメモリ内の情報を読み取り、プロセッサのハードウェアと組み合わせて前述の方法の段階を完了させる。繰り返しを避けるために、詳細はここで再度説明しない。前述の処理におけるシーケンス番号は、本願の様々な実施形態における実行順序を意味するものではないことを理解されたい。処理の実行順序は、処理の機能および内部論理に基づいて決定されるべきであり、本願の実施形態の実装処理に対する何らかの限定と見なされるべきではない。
【０２５３】
説明の簡便さと簡潔さのために、前述のシステム、装置およびユニットの詳細な動作プロセスについては、前述の方法の実施形態における該当するプロセスを参照し、詳細はここで再度説明しないことは、当業者にはっきり理解されるであろう。
【０２５４】
本願において提供されるいくつかの実施形態では、開示されるシステム、装置、及び方法が他の方式で実装されてもよいことを理解されたい。例えば、説明された装置の実施形態は、単なる例に過ぎない。例えば、ユニットの分割は単に論理的な機能分割に過ぎず、実際に実装する際には他の分割であってもよい。例えば、複数のユニットまたはコンポーネントが結合されても、または別のシステムに統合されてもよい。あるいは、いくつかの特徴が無視されても、または実行されなくてもよい。さらに、表示または説明された相互結合、もしくは直接結合または通信接続は、いくつかのインタフェースを用いて実現されてよい。装置間またはユニット間の、間接連結または通信接続は、電気的形態、機械的形態、または他の形態で実装されてよい。
【０２５５】
前述の説明は、単に本願の具体的な実装にすぎず、本願の保護範囲を限定することを意図するものではない。本願において開示された技術的範囲内で、当業者により容易に考え出される任意の変形または置換が本願の保護範囲に含まれるものとする。したがって、本願の保護範囲は、特許請求の範囲の保護範囲に従うものとする。
【図１】
2020503758.tif 000003
【図２】
2020503758.tif 000004
【図３】
2020503758.tif 000005
【図４】
2020503758.tif 000006
【図５】
2020503758.tif 000007
【図６】
2020503758.tif 000008
【図７】
2020503758.tif 000009
【図８】
2020503758.tif 000010
【図９】
2020503758.tif 000011
【図１０】
2020503758.tif 000012
【図１１】
2020503758.tif 000013
【図１２】
2020503758.tif 000014
【図１３】
2020503758.tif 000015
【図１４Ａ】
2020503758.tif 000016
【図１４Ｂ】
2020503758.tif 000017
【図１５】
2020503758.tif 000018
【図１６】
2020503758.tif 000019
【図１７】
2020503758.tif 000020
【図１８】
2020503758.tif 000021
【図１９】
2020503758.tif 000022
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
伝送対象のトランスポートブロックを、完全に均等ではないサイズのＮ個のコードブロックに分割するように構成されている分割ユニットであって、Ｎは２以上の整数である、分割ユニットと、
前記Ｎ個のコードブロックに対して誤り訂正符号化を実行して、Ｎ個の符号化ビットブロックを取得するように構成されている符号化ユニットと、
時間領域、周波数領域、空間領域および符合領域のうち少なくとも１つの次元において同じリソースを用いて、前記Ｎ個の符号化ビットブロックを非直交伝送するように構成されている伝送ユニットと
を備える非直交データ伝送デバイス。
【請求項２】
前記伝送ユニットは、
前記Ｎ個の符号化ビットブロックをＭ個のビットストリームにマッピングすることであって、ここでＭは１以上の整数である、マッピングすることと、
前記Ｍ個のビットストリームを変調してＭ個の伝送対象のシンボルストリームを取得することであって、ここで前記Ｍ個の伝送対象のシンボルストリームの全てに含まれる変調シンボルの数量は等しい、取得することと、
前記Ｍ個の伝送対象のシンボルストリームを重畳させて重畳シンボルストリームを取得することと、
前記重畳シンボルストリームを非直交伝送することとを行うように具体的に構成されている、請求項１に記載のデバイス。
【請求項３】
前記伝送ユニットは、
前記Ｎ個の符号化ビットブロックを前記Ｍ個のビットストリームに疑似乱数的にマッピングするように具体的に構成されている、請求項２に記載のデバイス。
【請求項４】
前記伝送ユニットは、
前記Ｎ個の符号化ビットブロックの各々が分割された後、前記Ｎ個の符号化ビットブロックを前記Ｍ個のビットストリームのうち少なくとも２つに疑似乱数的にマッピングすること、または
前記Ｎ個の符号化ビットブロックのうち少なくとも２つが結合された後、前記Ｎ個の符号化ビットブロックを前記Ｍ個のビットストリームのうち少なくとも２つに疑似乱数的にマッピングすることを行うように具体的に構成されている、請求項３に記載のデバイス。
【請求項５】
前記伝送ユニットは、
前記Ｎ個の符号化ビットブロックの配置順序および／または前記Ｎ個の符号化ビットブロックの各々のビットの配置順序に従って、前記Ｎ個の符号化ビットブロックを前記Ｍ個のビットストリームに連続的にマッピングするように具体的に構成されている、請求項３に記載のデバイス。
【請求項６】
前記伝送ユニットは、
前記Ｍ個のビットストリームにおける第１ビットストリームを、直交振幅変調および／または位相シフト変調によって変調して、前記Ｍ個の伝送対象のシンボルストリームを取得するように具体的に構成されている、請求項２から５のいずれか一項に記載のデバイス。
【請求項７】
前記伝送ユニットは、
前記Ｍ個のビットストリームにおける第２ビットストリームに対して、コードブックを用いて多次元変調を実行するように具体的に構成されており、前記コードブックは、２つ以上のコードワードを含み、前記コードワードは多次元複素ベクトルであって、データと少なくとも２つの変調シンボルとの間のマッピング関係を表すために用いられ、前記少なくとも２つの変調シンボルは、少なくとも１つのゼロ変調シンボルおよび少なくとも１つの非ゼロ変調シンボルを有する、請求項２から５のいずれか一項に記載のデバイス。
【請求項８】
前記Ｎ個のコードブロックの変調スキームは完全に同一ではない、請求項２から７のいずれか一項に記載のデバイス。
【請求項９】
前記符号化ユニットは、
完全に同一ではないコードレートを用いることにより、前記Ｎ個のコードブロックに対して誤り訂正符号化を実行して、前記Ｎ個の符号化ビットブロックを取得するように具体的に構成されている、請求項１から８のいずれか一項に記載のデバイス。
【請求項１０】
時間領域、周波数領域、空間領域および符合領域のうち少なくとも１つの次元において同じリソースを用いて受信信号を取得するように構成されている取得ユニットであって、前記受信信号は重畳シンボルストリームを含む、取得ユニットと、
前記受信信号を復調することによりＮ個の符号化ビットブロックを取得するように構成されている処理ユニットであって、Ｎは２以上の整数である、処理ユニットと、
前記Ｎ個の符号化ビットブロックに対して誤り訂正復号を実行して、完全に均等ではないサイズのＮ個のコードブロックを取得するように構成されている復号ユニットと、
前記Ｎ個のコードブロックを結合してトランスポートブロックを取得するように構成されている結合ユニットと
を備える非直交データ伝送デバイス。
【請求項１１】
前記処理ユニットは、
前記受信信号における前記重畳シンボルストリームを取得することと、
前記重畳シンボルストリームを均等に分割してＭ個のシンボルストリームを取得することであって、前記Ｍ個のシンボルストリームの全てに含まれるシンボルの数量は等しく、Ｍは１以上の整数である、取得することと、
前記Ｍ個のシンボルストリームを復調してＭ個のビットストリームを取得することと、
前記Ｍ個のビットストリームをデマッピングして前記Ｎ個の符号化ビットブロックを取得することであって、Ｎは２以上の整数である、取得することとを行うように具体的に構成されている、
請求項１０に記載のデバイス。
【請求項１２】
前記処理ユニットは、
前記Ｍ個のビットストリームにおけるビットを疑似乱数的にデマッピングして前記Ｎ個の符号化ビットブロックを取得すること、または
前記Ｍ個のビットストリームにおけるビットを連続的にデマッピングして前記Ｎ個の符号化ビットブロックを取得することを行うように具体的に構成されている、請求項１１に記載のデバイス。
【請求項１３】
前記処理ユニットは、
直交振幅復調および／または位相シフト復調によって前記Ｍ個のシンボルストリームを復調して、前記Ｍ個のビットストリームを取得するように具体的に構成されている、請求項１１または１２に記載のデバイス。
【請求項１４】
前記処理ユニットは、
コードブックを用いて前記Ｍ個のシンボルストリームを復調して前記Ｍ個のビットストリームを取得するように具体的に構成されており、前記コードブックは、２つ以上のコードワードを含み、前記コードワードは多次元複素ベクトルであって、データと少なくとも２つの変調シンボルとの間のマッピング関係を表すために用いられ、前記少なくとも２つの変調シンボルは、少なくとも１つのゼロ変調シンボルおよび少なくとも１つの非ゼロ変調シンボルを有する、請求項１１または１２に記載のデバイス。
【請求項１５】
前記Ｍ個のシンボルストリームの復調スキームは完全に同一ではない、請求項１１から１２のいずれか一項に記載のデバイス。
【手続補正２】
【補正対象書類名】明細書
【補正対象項目名】全文
【補正方法】変更
【補正の内容】
【発明の詳細な説明】
【技術分野】
【０００１】
本願の実施形態は、通信分野、より具体的には非直交データ伝送方法およびデバイスに関する。
【背景技術】
【０００２】
多元接続は、無線通信の物理層における基盤技術の１つであって、無線ネットワークデバイスが複数のエンドユーザを区別してサービスを提供し、多元接続干渉を減少させることを可能にする。
【０００３】
簡易直交多元接続モードは、既存の無線通信システムのほとんどにおいて用いられている。しかしながら、応用シナリオ、端末タイプ、応用タイプがますます豊富になることに伴い、将来のセルラネットワークの進化の間に端末の数量も爆発的に増加する。既存の直交多元接続モードは、セルラネットワーク容量の増加を求める、人々の需要増加を満たすことができず、例えば、大規模アクセスと、アップリンク／ダウンリンクデータ伝送およびスペクトル効率の継続的な改善を満たすことができない。
【０００４】
非直交多元接続技術の研究と応用の絶え間ない深化と共に、人々は、容量需要の増大の問題、特にアップリンク／ダウンリンクデータ伝送スループット需要の増大の問題が、非直交多元接続技術を用いて、第５世代（５  ｇｅｎｅｒａｔｉｏｎ、５Ｇ）モバイル通信システムなどの将来の無線セルラネットワークでは効果的に解決できることを期待している。
【発明の概要】
【０００５】
本願の実施形態は、アップリンク／ダウンリンクデータ伝送スループットを増加させるために、非直交データ伝送方法およびデバイスを提供する。
【０００６】
第１の態様によると、本願の実施形態は非直交データ伝送方法を提供し、当該方法は、伝送対象のトランスポートブロックを完全に均等ではないサイズのＮ個のコードブロックに分割する段階であって、ここで、Ｎは２以上の整数である、分割する段階と、Ｎ個のコードブロックに対して誤り訂正符号化を実行してＮ個の符号化ビットブロックを取得する段階と、時間領域、周波数領域、空間領域および符合領域のうち少なくとも１つの次元において同じリソースを用いてＮ個の符号化ビットブロックを非直交伝送する段階とを含む。
【０００７】
したがって、本願のこの実施形態においては、非直交データ伝送の間に、伝送対象のブロックは完全に均等ではないサイズのＮ個のコードブロックに分割され、異なる誤り訂正能力を有する誤り訂正符号化がＮ個のコードブロックに対して実行され、その結果、全てのコードブロックの性能は異なり、受信側は、干渉除去方式でより容易にデータを徐々に復調でき、それによりアップリンク／ダウンリンクデータ伝送スループットが増大する。
【０００８】
任意に、第１の態様の実装において、Ｎ個の符号化ビットブロックを非直交伝送する段階は、Ｎ個の符号化ビットブロックをＭ個のビットストリームにマッピングする段階であって、ここで、Ｍは１以上の整数である、マッピングする段階と、Ｍ個のビットストリームを変調してＭ個の伝送対象のシンボルストリームを取得する段階であって、ここで、Ｍ個の伝送対象のシンボルストリームの全てに含まれる変調シンボルの数量は等しい、変調する段階と、Ｍ個の伝送対象のシンボルストリームを重畳させて重畳シンボルストリームを取得する段階と、重畳シンボルストリームを非直交伝送する段階とを含む。
【０００９】
任意に、重畳シンボルストリームは、時間領域、周波数領域、空間領域および符合領域のうち少なくとも１つの次元において同じリソースを用いて非直交伝送される。
【００１０】
任意に、第１の態様の実装において、Ｎ個の符号化ビットブロックをＭ個のビットストリームにマッピングする段階は、Ｎ個の符号化ビットブロックをＭ個のビットストリームに疑似乱数的にマッピングする段階を含む。
【００１１】
任意に、第１の態様の実装において、Ｎ個の符号化ビットブロックをＭ個のビットストリームに疑似乱数的にマッピングする段階は、Ｎ個の符号化ビットブロックの各々が分割された後、Ｎ個の符号化ビットブロックをＭ個のビットストリームのうち少なくとも２つに疑似乱数的にマッピングする段階、または、Ｎ個の符号化ビットブロックのうち少なくとも２つを結合した後、Ｎ個の符号化ビットブロックをＭ個のビットストリームのうち少なくとも２つに疑似乱数的にマッピングする段階を含む。
【００１２】
任意に、第１の態様の実装において、Ｎ個の符号化ビットブロックをＭ個のビットストリームにマッピングする段階は、Ｎ個の符号化ビットブロックの配置順序および／またはＮ個の符号化ビットブロックの各々のビットの配置順序に従ってＮ個の符号化ビットブロックをＭ個のビットストリームに連続的にマッピングする段階を含む。
【００１３】
任意に、第１の態様の実装において、Ｍ個のビットストリームを変調してＭ個の伝送対象のシンボルストリームを取得する段階は、Ｍ個のビットストリームにおける第１ビットストリームを、直交振幅変調および／または位相シフト変調によって変調して、Ｍ個の伝送対象のシンボルストリームを取得する段階を含む。
【００１４】
任意に、第１の態様の実装において、直交振幅変調および／または位相シフト変調によってＭ個のビットストリームにおける第１ビットストリームが変調される場合に、Ｎ個の符号化ビットブロックにおけるｉ番目の符号化ビットブロックＥＢｉのサイズは、ＥＢｉ＝［時間−周波数リソースの総数量］×ｌｏｇ２（Ｘ）
であって、ここで、Ｘは第１ビットストリームに対して実行される変調の次数を表す。
【００１５】
任意に、第１の態様の実装において、Ｍ個のビットストリームを変調してＭ個の伝送対象のシンボルストリームを取得する段階は、コードブックを用いる段階によりＭ個のビットストリームにおける第２ビットストリームに対して多次元変調を実行する段階を含み、ここで、コードブックは、２つ以上のコードワードを有し、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【００１６】
任意に、第１の態様の実装において、コードブックを用いてＭ個のビットストリームにおける第２ビットストリームに対して多次元変調が実行される場合、Ｎ個の符号化ビットブロックにおけるｉ番目の符号化ビットブロックＥＢｉのサイズは、ＥＢｉ＝［時間−周波数リソースの総数量］／Ｆ×ｋ×ｌｏｇ２（Ｘ）
であって、ここで、Ｆは拡散率を表し、ｋは各符号化ビットブロックによって占有されるビットストリームの数量を表し、Ｘは、第２ビットストリームに対して実行された変調の次数を表す。
【００１７】
任意に、第１の態様の実装において、Ｎ個のコードブロックの変調スキームは完全に同一ではない。
【００１８】
任意に、第１の態様の実装において、Ｎ個のコードブロックに対して誤り訂正符号化を実行してＮ個の符号化ビットブロックを取得する段階は、完全に同一ではないコードレートを用いて、Ｎ個のコードブロックに対して誤り訂正符号化を実行して、Ｎ個の符号化ビットブロックを取得する段階を含む。
【００１９】
任意に、第１の態様の実装において、Ｎ個のコードブロックの各々に対して誤り訂正符号化を実行し、Ｎ個の符号化ビットブロックを取得する。ここで、誤り訂正符号化は、ターボ符号化、Ｐｏｌａｒ符号化および低密度パリティ検査符号化のうちいずれか１つの符号化方式で実行される。
【００２０】
任意に、第１の態様の実装において、誤り訂正符号化がＰｏｌａｒ符号化によってＮ個のコードブロックの各々に対して実行される場合、Ｎ個の符号化ビットブロックの各々のサイズは、２の累乗である。
【００２１】
第２の態様によると、本願の実施形態は、非直交データ伝送方法を提供し、当該方法は、伝送対象のトランスポートブロックをＮ個のコードブロックに分割する段階であって、ここで、Ｎは２以上の整数である、分割する段階と、Ｎ個のコードブロックに対して誤り訂正符号化を実行してＮ個の符号化ビットブロックを取得する段階と、Ｎ個の符号化ビットブロックをＭ個のビットストリームに対して疑似乱数的にマッピングする段階であって、ここで、Ｍは１以上の整数である、マッピングする段階と、Ｍ個のビットストリームを変調してＭ個の伝送対象のシンボルストリームを取得する段階であって、ここで、Ｍ個の伝送対象のシンボルストリームの全てに含まれた変調シンボルの数量は等しい、取得する段階と、Ｍ個の伝送対象のシンボルストリームを重畳させて重畳シンボルストリームを取得する段階と、重畳シンボルストリームを非直交伝送する段階を含む。
【００２２】
任意に、同じ時間領域リソース、周波数領域リソース、空間領域リソースおよび符号領域リソースのうち少なくとも１つを用いて、重畳シンボルストリームは非直交伝送される。
【００２３】
したがって、本願のこの実施形態において、非直交データ伝送の間に、Ｎ個の符号化ビットブロックはＭ個のビットストリームに対して疑似乱数的にマッピングされ、その結果、全てのビットストリームの性能は異なり、それによりアップリンク／ダウンリンクデータ伝送スループットが増大する。
【００２４】
任意に、第２の態様の実装において、Ｎ個の符号化ビットブロックをＭ個のビットストリームに疑似乱数的にマッピングする段階は、Ｎ個の符号化ビットブロックの各々が分割された後、Ｎ個の符号化ビットブロックをＭ個のビットストリームのうち少なくとも２つに疑似乱数的にマッピングする段階、または、Ｎ個の符号化ビットブロックのうち少なくとも２つを結合した後、Ｎ個の符号化ビットブロックをＭ個のビットストリームのうち少なくとも２つに対して疑似乱数的にマッピングする段階とを含む。
【００２５】
任意に、第２の態様の実装において、Ｍ個のビットストリームを変調してＭ個の伝送対象のシンボルストリームを取得する段階は、Ｍ個のビットストリームにおける第１ビットストリームを、直交振幅変調および／または位相シフト変調によって変調して、Ｍ個の伝送対象のシンボルストリームを取得する段階を含む。
【００２６】
任意に、第２の態様の実装において、Ｍ個のビットストリームにおける第１ビットストリームが、直交振幅変調および／または位相シフト変調によって変調された場合、Ｎ個の符号化ビットブロックにおけるｉ番目の符号化ビットブロックＥＢｉのサイズは、ＥＢｉ＝［時間−周波数リソースの総数量］×ｌｏｇ２（Ｘ）
であって、ここで、Ｘは第１ビットストリームに対して実行された変調の次数を表す。
【００２７】
任意に、第２の態様の実装において、Ｍ個のビットストリームを変調してＭ個の伝送対象のシンボルストリームを取得する段階は、Ｍ個のビットストリームにおける第２ビットストリームに対して、コードブックを用いて多次元変調を実行する段階を含み、ここで、コードブックは、２つ以上のコードワードを有し、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【００２８】
任意に、第２の態様の実装において、コードブックを用いてＭ個のビットストリームにおける第２ビットストリームに対して多次元変調が実行される場合、Ｎ個の符号化ビットブロックにおけるｉ番目の符号化ビットブロックＥＢｉのサイズは、ＥＢｉ＝［時間−周波数リソースの総数量］／Ｆ×ｋ×ｌｏｇ２（Ｘ）
であって、ここで、Ｆは拡散率を表し、ｋは各符号化ビットブロックによって占有されるビットストリームの数量を表し、Ｘは、第２ビットストリームに対して実行された変調の次数を表す。
【００２９】
任意に、第２の態様の実装において、Ｎ個のコードブロックの変調スキームは完全に同一ではない。
【００３０】
任意に、第２の態様の実装において、Ｎ個のコードブロックの各々に対して誤り訂正符号化を実行し、Ｎ個の符号化ビットブロックを取得する。ここで、誤り訂正符号化は、ターボ符号、Ｐｏｌａｒ符号および低密度パリティ検査符号のうちいずれか１つの符号化方式で実行される。
【００３１】
任意に、第２の態様の実装において、誤り訂正符号化がＰｏｌａｒ符号化によってＮ個のコードブロックの各々に対して実行される場合、Ｎ個の符号化ビットブロックの各々のサイズは、２の累乗である。
【００３２】
第３の態様によると、本願の実施形態は非直交データ伝送方法を提供し、当該方法は、時間領域、周波数領域、空間領域および符合領域のうち少なくとも１つの次元において同じリソースを用いて受信信号を取得する段階と、受信信号を復調することによりＮ個の符号化ビットブロックを取得する段階であって、ここで、Ｎは２以上の整数である、取得する段階と、Ｎ個の符号化ビットブロックに対して誤り訂正復号を実行して、完全に同一ではないサイズのＮ個のコードブロックを取得する、実行する段階と、Ｎ個のコードブロックを結合してトランスポートブロックを取得する、結合する段階とを含む。
【００３３】
したがって、本願のこの実施形態は、非直交データ伝送の間に、完全に同一ではないサイズのＮ個のコードブロックは復号によって取得され、その結果、データは干渉除去方式でより容易に復調され、それによりアップリンク／ダウンリンクデータ伝送スループットが増加する。
【００３４】
任意に、第３の態様の実装において、受信信号を復調することによりＮ個の符号化ビットブロックを取得する段階は、受信信号を取得する段階であって、ここで、受信信号は重畳シンボルストリームを含む、取得する段階と、重畳シンボルストリームを均等に分割してＭ個のシンボルストリームを取得する段階であって、ここで、Ｍ個のシンボルストリームに含まれるシンボルの全ての数量は等しく、Ｍは１以上の整数である、取得する段階と、Ｍ個のシンボルストリームを復調してＭ個のビットストリームを取得する段階と、Ｍ個のビットストリームをデマッピングしてＮ個の符号化ビットブロックを取得する段階であって、ここで、Ｎは２以上の整数である、デマッピングする段階とを含む。
【００３５】
任意に、第３の態様の実装において、Ｍ個のビットストリームをデマッピングしてＮ個の符号化ビットブロックを取得する段階は、Ｍ個のビットストリームにおけるビットを疑似乱数的にデマッピングしてＮ個の符号化ビットブロックを取得する、デマッピングする段階を含む。
【００３６】
任意に、第３の態様の実装において、Ｍ個のビットストリームをデマッピングしてＮ個の符号化ビットブロックを取得する段階は、Ｍ個のビットストリームにおけるビットを連続的にデマッピングしてＮ個の符号化ビットブロックを取得する、段階を含む。
【００３７】
任意に、第３の態様の実装において、Ｍ個のシンボルストリームを復調してＭ個のビットストリームを取得する段階は、直交振幅復調および／または位相シフト復調によってＭ個のシンボルストリームを復調して、Ｍ個のビットストリームを取得する、段階を含む。
【００３８】
任意に、第３の態様の実装において、Ｍ個のシンボルストリームを復調してＭ個のビットストリームを取得する段階は、コードブックを用いてＭ個のシンボルストリームを復調してＭ個のビットストリームを取得する段階を含み、ここで、コードブックは、２つ以上のコードワードを有し、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【００３９】
任意に、第３の態様の実装において、Ｍ個のシンボルストリームの復調スキームは完全に同一ではない。
【００４０】
任意に、第３の態様の実装において、誤り訂正復号は、完全に同一ではないコードレートを用いて、Ｎ個の符号化ビットブロックに対して実行され、完全に同一ではないサイズのＮ個のコードブロックを取得する。
【００４１】
任意に、第３の態様の実装において、誤り訂正復号は、ターボ復号、Ｐｏｌａｒ復号および低密度パリティ検査復号のうちいずれか１つの復号方式で実行される。
【００４２】
第４の態様によると、本願の実施形態は非直交データ伝送方法を提供し、当該方法は、重畳シンボルストリームを受信する段階と、重畳シンボルストリームを均等に分割してＭ個のシンボルストリームを取得する段階であって、ここで、Ｍ個のシンボルストリームに含まれるシンボルの全ての数量は等しく、Ｍは１以上の整数である、取得する段階と、Ｍ個のシンボルストリームを復調してＭ個のビットストリームを取得する段階と、Ｍ個のビットストリームを疑似乱数的にデマッピングしてＮ個の符号化ビットブロックを取得する段階であって、ここで、Ｎは２以上の整数である、取得する段階と、Ｎ個の符号化ビットブロックに対して誤り訂正復号を実行してＮ個のコードブロックを取得する段階と、Ｎ個のコードブロックを結合してトランスポートブロックを取得する段階とを含む。
【００４３】
したがって、本願のこの実施形態において、非直交データ伝送の間に、異なる性能を有するビットストリームが取得され、その結果、データは干渉除去方式でより容易に復調され、それによりアップリンク／ダウンリンクデータ伝送スループットが増大する。
【００４４】
任意に、第４の態様の実装において、Ｍ個のシンボルストリームを復調してＭ個のビットストリームを取得する段階は、直交振幅復調および／または位相シフト復調によってＭ個のシンボルストリームを復調して、Ｍ個のビットストリームを取得する段階を含む。
【００４５】
任意に、第４の態様の実装において、Ｍ個のシンボルストリームを復調してＭ個のビットストリームを取得する段階は、コードブックを用いてＭ個のシンボルストリームを復調してＭ個のビットストリームを取得する段階を含み、ここで、コードブックは２つ以上のコードワードを有し、コードワードは多次元複素ベクトルであって、データと少なくとも２つの変調シンボルとの間のマッピング関係を表すために用いられ、少なくとも２つの変調シンボルは少なくとも１つのゼロ変調シンボルおよび少なくとも１つの非ゼロ変調シンボルを有する。
【００４６】
任意に、第４の態様の実装において、Ｍ個のシンボルストリームの復調スキームは完全に同一ではない。
【００４７】
任意に、第４の態様の実装において、Ｎ個の符号化ビットブロックに対して誤り訂正復号を実行し、Ｎ個のコードブロックを取得する。ここで、誤り訂正復号は、ターボ符号、Ｐｏｌａｒ符号および低密度パリティ検査符号のうちいずれか１つの復号方式で実行される。
【００４８】
第５の態様によると、本願の実施形態は非直交データ伝送デバイスを提供し、当該デバイスは、第１の態様または第１の態様の任意の実装のうちいずれか１つにおける方法を実行可能な、分割ユニット、符号化ユニットおよび伝送ユニットを含む。
【００４９】
第６の態様によると、本願の実施形態は非直交データ伝送デバイスを提供し、当該デバイスは、第２の態様または第２の態様の任意の実装のうちいずれか１つにおける方法を実行可能な、分割ユニット、符号化ユニット、マッピングユニット、変調ユニット、シンボルストリーム処理ユニットおよび伝送ユニットを含む。
【００５０】
第７の態様によると、本願の実施形態は非直交データ伝送デバイスを提供し、当該デバイスは、第３の態様または第３の態様の任意の実装のうちいずれか１つにおける方法を実行可能な、取得ユニット、処理ユニット、復号ユニットおよび結合ユニットを含む。
【００５１】
第８の態様によると、本願の実施形態は非直交データ伝送デバイスを提供し、当該デバイスは、第４の態様または第４の態様の任意の実装のうちいずれか１つにおける方法を実行可能な、受信ユニット、シンボルストリーム処理ユニット、復調ユニット、デマッピングユニット、復号ユニット、および結合ユニットとを含む。
【００５２】
第９の態様によると、メモリと、トランシーバと、プロセッサとを含む非直交データ伝送デバイスが提供される。メモリは、第１の態様または第１の態様の任意の実装のうちいずれか１つを実行するよう命令するために用いることができるプログラムコードを記憶し、コードが実行された場合に、プロセッサは、伝送側デバイスにより実行される処理を当該方法で実装できる。
【００５３】
第１０の態様によると、メモリと、トランシーバとプロセッサとを含む非直交データ伝送デバイスが提供される。メモリは、第２の態様または第２の態様の任意の実装のうちいずれか１つを実行するよう命令するために用いることができるプログラムコードを記憶し、コードが実行された場合に、プロセッサは、伝送側デバイスにより実行される処理を当該方法で実装できる。
【００５４】
第１１の態様によると、メモリと、トランシーバとプロセッサとを含む非直交データ伝送デバイスが提供される。メモリは、第３の態様または第３の態様の任意の実装のうちいずれか１つを実行する命令に用いることができるプログラムコードを記憶し、コードが実行された場合に、プロセッサは、伝送側デバイスにより実行される処理を当該方法で実装できる。
【００５５】
第１２の態様によると、メモリと、トランシーバとプロセッサとを含む非直交データ伝送デバイスが提供される。メモリは、第４の態様または第４の態様の任意の実装のうちいずれか１つを実行するよう命令するために用いることができるプログラムコードを記憶し、コードが実行された場合に、プロセッサは、受信側デバイスにより実行される処理を当該方法で実装できる。
【００５６】
第１３の態様によると、コンピュータ記憶媒体が提供される。ここで、コンピュータ記憶媒体はプログラムコードを記憶し、プログラムコードは、第１の態様または第１の態様の任意の実装のうちのいずれか１つによる方法を実行する命令に用いることができる。
【００５７】
第１４の態様によると、コンピュータ記憶媒体が提供される。ここで、コンピュータ記憶媒体はプログラムコードを記憶し、プログラムコードは、第２の態様または第２の態様の任意の実装のうちいずれか１つによる方法を実行するよう命令するために用いることができる。
【００５８】
第１５の態様によると、コンピュータ記憶媒体が提供される。ここで、コンピュータ記憶媒体はプログラムコードを記憶し、プログラムコードは、第３の態様または第３の態様の任意の実装のうちいずれか１つによる方法を実行するよう命令するために用いることができる。
【００５９】
第１６の態様によると、コンピュータ記憶媒体が提供される。ここで、コンピュータ記憶媒体はプログラムコードを記憶し、プログラムコードは、第４の態様または第４の態様の任意の実装のうちいずれか１つによる方法を実行するよう命令するために用いることができる。
【図面の簡単な説明】
【００６０】
【図１】本願が適用される非直交データ伝送のための通信システムの概略図である。
【００６１】
【図２】本願の実施形態に係る非直交データ伝送方法の概略フローチャートである。
【００６２】
【図３】本願の実施形態に係るトランスポートブロック分割の概略図である。
【００６３】
【図４】本願の実施形態に係るトランスポートブロック分割の別の概略図である。
【００６４】
【図５】本願の実施形態に係る変調スキームにおける符号化の概略図である。
【００６５】
【図６】本願の実施形態に係る別の変調スキームにおける符号化の概略図である。
【００６６】
【図７】本願の実施形態に係る変調スキームにおける符号化ビットブロックを疑似乱数的にマッピングする概略図である。
【００６７】
【図８】本願の実施形態に係る別の変調スキームにおける符号化ビットブロックを疑似乱数的にマッピングする概略図である。
【００６８】
【図９】本願の実施形態に係る別の変調スキームにおける符号化ビットブロックを疑似乱数的にマッピングする別の概略図である。
【００６９】
【図１０】本願の実施形態に係る符号化ビットブロックを連続的にマッピングする概略図である。
【００７０】
【図１１】本願の実施形態に係る符号化ビットブロックを連続的にマッピングする別の概略図である。
【００７１】
【図１２】本願の実施形態に係る符号化ビットブロックを疑似乱数的にマッピングする概略図である。
【００７２】
【図１３】本願の実施形態に係るシンボルストリームを重畳させる概略図である。
【００７３】
【図１４Ａ】本願の別の実施形態に係る非直交データ伝送方法の概略フローチャートである。
【図１４Ｂ】本願の別の実施形態に係る非直交データ伝送方法の概略フローチャートである。
【００７４】
【図１５】本願の実施形態に係る非直交データ伝送デバイスの概略ブロック図である。
【００７５】
【図１６】本願の別の実施形態に係る非直交データ伝送デバイスの概略ブロック図である。
【００７６】
【図１７】本願の実施形態に係る非直交データ伝送デバイスの概略ブロック図である。
【００７７】
【図１８】本願の別の実施形態に係る非直交データ伝送デバイスの概略ブロック図である。
【００７８】
【図１９】本願の実施形態に係る通信装置の概略ブロック図である。
【発明を実施するための形態】
【００７９】
以下は、本願の実施形態における技術的解決手段を、添付の図面を参照して説明する。
【００８０】
図１は、本願が適用される非直交データ伝送のための通信システムの概略図である。図１に示されるように、通信システム１００はネットワークデバイス１０２を含み、ネットワークデバイス１０２は、アンテナ１０４、１０６、１０８、１１０、１１２および１１４のなどの複数のアンテナを含んでよい。加えて、ネットワークデバイス１０２は伝送機チェーンおよび受信機チェーンをさらに含み得る。当業者は、伝送機チェーンおよび受信機チェーンの両方が、信号の伝送と受信に関連する複数のコンポーネント（プロセッサ、変調器、マルチプレクサ、デモジュレータ、デマルチプレクサ、またはアンテナなど）を含んでよいことを理解し得る。
【００８１】
ネットワークデバイス１０２は、複数の端末デバイス（端末デバイス１１６および端末デバイス１２２など）と通信してよい。しかしながら、ネットワークデバイス１０２は端末デバイス１１６または１２２と同様の、任意の数量の端末デバイスと通信してよいことを理解できる。端末デバイス１１６および１２２は、セルラー電話、スマートフォン、ポータブルコンピュータ、ハンドヘルド通信デバイス、ハンドヘルドコンピューティングデバイス、衛星無線装置、全地球測位システム、ＰＤＡおよび／または無線通信システム１００において通信を実行するように構成されている、任意の他の適切なデバイスであってよい。
【００８２】
図１に示されるように、端末デバイス１１６はアンテナ１１２および１１４と通信する。アンテナ１１２および１１４は、順方向リンク１１８によって端末デバイス１１６に情報を送信し、逆方向リンク１２０によって端末デバイス１１６から情報を受信する。加えて、端末デバイス１２２はアンテナ１０４および１０６と通信する。アンテナ１０４および１０６は、順方向リンク１２４によって端末デバイス１２２に情報を送信し、逆方向リンク１２６によって端末デバイス１２２から情報を受信する。
【００８３】
例えば、周波数分割複信（Ｆｒｅｑｕｅｎｃｙ  Ｄｉｖｉｓｉｏｎ  Ｄｕｐｌｅｘ、ＦＤＤ）システムにおいては、順方向リンク１１８と逆方向リンク１２０とに異なる周波数帯が用いられ、順方向リンク１２４と逆方向リンク１２６とに異なる周波数帯が用いられている。
【００８４】
別の例として、時分割複信（Ｔｉｍｅ  Ｄｉｖｉｓｉｏｎ  Ｄｕｐｌｅｘ、ＴＤＤ）システムまたは全二重（Ｆｕｌｌ  Ｄｕｐｌｅｘ）システムにおいては、順方向リンク１１８と逆方向リンク１２０とに同じ周波数帯が用いられ、順方向リンク１２４と逆方向リンク１２６とに同じ周波数帯が用いられる。
【００８５】
各アンテナ（または複数のアンテナを含む各アンテナグループ）および／または通信のために設計された各地域は、ネットワークデバイス１０２のセクタと称される。例えば、アンテナグループは、ネットワークデバイス１０２のカバレッジエリアのセクタにある端末デバイスと通信するように設計されてよい。ネットワークデバイス１０２が順方向リンク１１８および１２４のそれぞれによって端末デバイス１１６および１２２と通信するプロセスにおいて、ネットワークデバイス１０２の伝送アンテナはビームフォーミングによって順方向リンク１１８および１２４の信号対雑音比を増加させ得る。加えて、ネットワークデバイスが、ネットワークデバイスによってサービスを提供される全ての端末デバイスに、単一アンテナを用いて信号を送信する方式と比べて、ネットワークデバイス１０２が、関連カバレッジエリアにランダムに散在している端末デバイス１１６および１２２に信号をビームフォーミングによって送信する場合に、近くのセルにあるモバイルデバイスが受ける干渉がより小ない。
【００８６】
所定の時間内に、ネットワークデバイス１０２、端末デバイス１１６、または端末デバイス１２２は、無線通信送信装置および／または無線通信受信装置であってよい。データを送信する際に、無線通信送信装置は伝送するためにデータを符号化してよい。具体的には、無線通信送信装置は、チャネルによって無線通信受信装置に送信されることになっている特定の数量のデータビットを取得（例えば、生成、別の通信装置から受信、またはメモリに記憶）してよい。そのようなデータビットは、データトランスポートブロック（または複数のトランスポートブロック）に含まれてよく、トランスポートブロックは、複数のコードブロックを生成するためにセグメント化されてよい。
【００８７】
加えて、通信システム１００は公衆陸上移動体ネットワーク（Ｐｕｂｌｉｃ  Ｌａｎｄ  Ｍｏｂｉｌｅ  Ｎｅｔｗｏｒｋ、ＰＬＭＮ）、デバイス対デバイス（Ｄｅｖｉｃｅ‐ｔｏ‐Ｄｅｖｉｃｅ、Ｄ２Ｄ）ネットワーク、機械対機械（Ｍａｃｈｉｎｅ‐ｔｏ‐Ｍａｃｈｉｎｅ、Ｍ２Ｍ）ネットワーク、または別のネットワークであってよい。図１は、例として用いられる簡略化した概略図に過ぎない。ネットワークはさらに、図１に図式化されていない別のネットワークデバイスを含んでよい。
【００８８】
本願の実施形態における伝送側（受信側）は、ネットワークデバイスであってよい。ネットワークデバイスは、端末デバイスと通信するデバイスであってよい。例えば、ネットワークデバイスは、ネットワークデバイスコントローラであってよい。各ネットワークデバイスは、特定の地理的領域に通信カバレージを提供してよく、このカバレッジエリア（セル）に配置された端末デバイスと通信してよい。ネットワークデバイスは、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ，ＧＳＭ（登録商標））または符号分割多元接続（Ｃｏｄｅ  Ｄｉｖｉｓｉｏｎ  Ｍｕｌｔｉｐｌｅ  Ａｃｃｅｓｓ，  ＣＤＭＡ）システムなどのベーストランシーバ基地局（Ｂａｓｅ  Ｔｒａｎｓｃｅｉｖｅｒ  Ｓｔａｔｉｏｎ，  ＢＴＳ）、ネットワークデバイスであってよく、ワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，  ＷＣＤＭＡ（登録商標））システムのネットワークデバイス（ＮｏｄｅＢ，  ＮＢ）であってよく、またはＬＴＥシステムの進化したネットワークデバイス（進化型ＮｏｄｅＢ、ｅＮＢまたはｅＮｏｄｅＢ）であってよく、またはクラウド無線アクセスネットワーク（Ｃｌｏｕｄ  Ｒａｄｉｏ  Ａｃｃｅｓｓ  Ｎｅｔｗｏｒｋ、  ＣＲＡＮ）の無線コントローラであってよい。あるいは、ネットワークデバイスは、将来の５Ｇネットワークのネットワークデバイス、将来の進化型公衆陸上移動体ネットワーク（Ｐｕｂｌｉｃ  Ｌａｎｄ  Ｍｏｂｉｌｅ  Ｎｅｔｗｏｒｋ，ＰＬＭＮ）のネットワークデバイスなどであってよい。
【００８９】
本願の実施形態における伝送側（受信側）は、端末デバイスあってよい。端末デバイスは、アクセス端末、ユーザ機器（Ｕｓｅｒ  Ｅｑｕｉｐｍｅｎｔ，  ＵＥ）、加入者ユニット、加入者局、移動局、リモート局、リモート端末、モバイル端末、ユーザ端末、端末、無線通信デバイス、ユーザエージェント、またはユーザ装置であってよい。アクセス端末は、セルラー電話、コードレス電話、セッション初期化プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ，ＷＬＬ）ステーション、パーソナルデジタルアシスタント（Ｐｅｒｓｏｎａｌ  Ｄｉｇｉｔａｌ  Ａｓｓｉｓｔａｎｔ，ＰＤＡ）、無線通信機能を有するハンドヘルドデバイス、コンピューティングデバイス、無線モデムに接続されている別の処理デバイス、車載用デバイス、ウェアラブルデバイス、「モノのインターネット」の端末デバイス、仮想現実デバイス、将来の５Ｇネットワークの端末デバイス、将来の進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）の端末デバイスなどであってよい。
【００９０】
本願の実施形態に係る非直交データ伝送方法およびデバイスは、端末デバイスまたはネットワークデバイスに適用されてよい。端末デバイスまたはネットワークデバイスは、ハードウェア層、ハードウェア層の上で作動するオペレーティングシステム層、オペレーティングシステム層の上で作動するアプリケーション層を含む。ハードウェア層は、中央演算処理装置（Ｃｅｎｔｒａｌ  Ｐｒｏｃｅｓｓｉｎｇ  Ｕｎｉｔ、ＣＰＵ）、メモリ管理ユニット（Ｍｅｍｏｒｙ  Ｍａｎａｇｅｍｅｎｔ  Ｕｎｉｔ、ＭＭＵ）およびメモリ（メインメモリとも称される）などのハードウェアを含む。オペレーティングシステムは、プロセス（Ｐｒｏｃｅｓｓ）を用いてサービス処理を実装するコンピュータオペレーティングシステムのうち１または複数のタイプ、例えばＬｉｎｕｘ（登録商標）オペレーティングシステム、Ｕｎｉｘ（登録商標）オペレーティングシステム、Ａｎｄｒｏｉｄ（登録商標）オペレーティングシステム、ｉＯＳオペレーティングシステム、またはＷｉｎｄｏｗｓ（登録商標）オペレーティングシステムなどであってよい。アプリケーション層は、ブラウザ、連絡先リスト、文書処理ソフトウェア及びインスタントメッセージングソフトウェアなどのアプリケーションを含む。加えて、本願の実施形態においては、本願の実施形態においてデータ伝送方法のためのコードを記録するプログラムを作動させることにより、本願の実施形態におけるデータ伝送方法に基づいて通信が実行される場合、本願ではデータ伝送方法の実行主体の具体的な構造は特に限定されない。例えば、本願の実施形態におけるデータ伝送方法の実行主体は、端末デバイスまたはネットワークデバイスであってよく、または端末デバイスまたはネットワークデバイス内にあって、プログラムを呼び出し、実行することが可能な機能モジュールであってよい。
【００９１】
加えて、本願の態様または特徴は、標準的なプログラミングおよび／またはエンジニアリング技術を用いる、方法、装置または製品として実装されてよい。本願で使用される「製品」という用語は、任意のコンピュータ可読コンポーネント、キャリア、または媒体からアクセスできるコンピュータプログラムを包含する。例えば、コンピュータ可読媒体は、磁気記憶コンポーネント（ハードディスク、フロッピ（登録商標）ディスク、磁気テープなど）、光ディスク（コンパクトディスク（Ｃｏｍｐａｃｔ  Ｄｉｓｃ、 ＣＤ）など）、デジタル多用途ディスク（Ｄｉｇｉｔａｌ  Ｖｅｒｓａｔｉｌｅ  Ｄｉｓｃ、ＤＶＤ）、スマートカードおよびフラッシュメモリデバイス（消去可能プログラマブルリードオンリメモリ（Ｅｒａｓａｂｌｅ  Ｐｒｏｇｒａｍｍａｂｌｅ  Ｒｅａｄ‐Ｏｎｌｙ  Ｍｅｍｏｒｙ、ＥＰＲＯＭ））、カード、スティックまたはキードライブなど）を含むが、それらに限定されるものではない。加えて、本明細書において説明される様々な記憶媒体は、情報を記憶するよう構成される１または複数のデバイスおよび／または他の機械可読媒体を示してよい。「機械可読媒体」という用語は、無線チャネル、命令および／またはデータを記憶、収容および／または保有できる様々な他の媒体を含むが、それらに限定されるものではない。
【００９２】
本願の実施形態における非直交データ伝送方法およびデバイスが適用された通信システム１００においては、複数の端末デバイスが、同じ時間−周波数リソースを用いてネットワークデバイスとデータ伝送を実行できることを留意されたい。加えて、例えば、単位としてのリソースエレメント（Ｒｅｓｏｕｒｃｅ  Ｅｌｅｍｅｎｔ、ＲＥ）を用いて実行される時間−周波数リソースの分割において、時間−周波数リソースは、複数のＲＥを含む時間−周波数リソースブロック（時間−周波数リソースグループとも称されてよい）であってよい。加えて、複数のＲＥの位置は時間領域において同じであってよく（すなわち、同じシンボルに対応する）、周波数領域において異なってよく（すなわち、異なるサブキャリアに対応する）、または複数のＲＥの位置は、時間領域において異なってよく（すなわち、異なるシンボルに対応する）、周波数領域において同じであってよい（すなわち、同じサブキャリアに対応する）。これは、本願において特に限定されるものではない。
【００９３】
図２は、本願の実施形態に係る非直交データ伝送方法２００の概略フローチャートである。図２に示されるように、方法２００は以下の内容を備える。
【００９４】
段階２０１において、伝送対象のトランスポートブロックは完全に均等ではないサイズのＮ個のコードブロックに分割され、ここで、Ｎは２以上の整数である。
【００９５】
任意に、Ｎ個のコードブロックは異なるサイズのコードブロックであってよい。
【００９６】
例えば、図３に示されるように、サイズが８０５６ビットであるトランスポートブロック（Ｔｒａｎｓｐｏｒｔ  Ｂｌｏｃｋ、ＴＢ）、すなわち、８０５６ビットのトランスポートブロックサイズ（Ｔｒａｎｓｐｏｒｔ  Ｂｌｏｃｋ  Ｓｉｚｅ、ＴＢＳ）の場合、ＴＢはそれぞれ、ＣＢ１およびＣＢ２の２つのコードブロック（Ｃｏｄｅ  Ｂｌｏｃｋ、ＣＢ）に分割される。ＴＢの分割の間、パリティビットは、ＴＢが分割された後生成されたデータビット用に設定され、すなわち巡回冗長検査（Ｃｙｃｌｉｃ  Ｒｅｄｕｎｄａｎｃｙ  Ｃｈｅｃｋ、ＣＲＣ）コードが設定される。ＣＢ１およびＣＢ２のサイズはＣＲＣコードの値を含む。ＣＢ１のサイズは５９５２ビットであって、ＣＢ１は２４ビットのクラスＢのＣＲＣコードを含む。ＣＢ２のサイズは２１７６ビットであって、ＣＢ２は２４ビットのクラスＡのＣＲＣコードおよび２４ビットのクラスＢのＣＲＣコードを含む。
【００９７】
任意に、Ｎ個のコードブロックにはいくつかの同じサイズのコードブロックがあってよい。
【００９８】
例えば、図４に示されるように、伝送対象のブロックは８つのコードブロックに分割される。ＣＢ２およびＣＢ６は同じサイズを有し、ＣＢ５およびＣＢ７は同じサイズを有し、ＣＢ１、ＣＢ２、ＣＢ３、ＣＢ４、ＣＢ５およびＣＢ８は異なるサイズを有する。
【００９９】
段階２０２において、誤り訂正符号化はＮ個のコードブロックに対して実行され、Ｎ個の符号化ビットブロックを取得する。
【０１００】
任意に、誤り訂正符号化は、例えば、ターボ符号化、Ｐｏｌａｒ符号化または低密度パリティ検査符号化を用いて符号化方式でＮ個のコードブロックの各々に対して実行され、Ｎ個の符号化ビットブロックを取得する。
【０１０１】
任意に、誤り訂正符号化は、複数の符号化方式でＮ個のコードブロックに対して実行されてよい。
【０１０２】
任意に、誤り訂正符号化は、完全に同一ではないコードレートを用いて、Ｎ個のコードブロックに対して実行され、Ｎ個の符号化ビットブロックを取得してよい。
【０１０３】
任意に、Ｎ個のコードブロックのサイズは完全に同じではなく、誤り訂正符号化がＮ個のコードブロックに対して実行される場合に用いられるコードレートも完全に同じではない。これは、異なる誤り訂正能力を有する誤り訂正符号化がＮ個のコードブロックに実行されることを具体化する。
【０１０４】
任意に、非直交伝送の間に、複数の重畳されたデータストリームが異なる誤り訂正能力を含むことができる場合、受信側は、干渉除去方式でより容易にデータを徐々に復調してよい。
【０１０５】
任意に、ターボ符号を用いてコードブロックに対して実行される誤り訂正符号化の間に、まず誤り訂正符号化がコードブロックに対して実行され、誤り訂正符号化が実行された後に取得されたビットに対してレートマッチングが実行され、Ｎ個の符号化ビットブロックを取得する。
【０１０６】
任意に、Ｐｏｌａｒ符号化を用いてコードブロックに対して誤り訂正符号化が実行される場合、符号化ビットブロックのサイズは２の累乗である。
【０１０７】
段階２０３において、Ｎ個の符号化ビットブロックは、時間領域、周波数領域、空間領域および符合領域のうち少なくとも１つの次元において同じリソースを用いて非直交伝送される。
【０１０８】
任意に、同じリソースは、時間領域リソース、周波数領域リソース、空間領域リソースおよび符号領域リソースのうちの任意のタイプのリソースであってよい。
【０１０９】
任意に、同じリソースは、時間領域リソース、周波数領域リソース、空間領域リソースおよび符号領域リソースのうち複数のタイプのリソースであってよい。
【０１１０】
任意に、Ｎ個の符号化ビットブロックは結合わされ、少なくとも１つの次元において同じリソースに対して非直交伝送される。
【０１１１】
任意に、Ｎ個の符号化ビットブロックがＭ個のビットストリームにマッピングされ、ここで、Ｍは１以上の整数であって、Ｍ個のビットストリームは変調されてＭ個の伝送対象のシンボルストリームを取得し、ここで、Ｍ個の伝送対象のシンボルストリームにおける変調シンボルの数量は等しく、Ｍ個の伝送対象のシンボルストリームは重畳されて重畳シンボルストリームを取得し、重畳シンボルストリームは非直交伝送される。
【０１１２】
任意に、重畳シンボルストリームは、時間領域、周波数領域、空間領域および符合領域のうち少なくとも１つの次元において同じリソースを用いて非直交伝送される。
【０１１３】
任意に、Ｍ個のビットストリームにおける第１ビットストリームは直交振幅変調および／または位相シフト変調によって変調され、Ｍ個の伝送対象のシンボルストリームを取得する。
【０１１４】
任意に、第１ビットストリームはＭ個のビットストリームの一部であってよく、またはＭ個のビットストリームの全てであってよい。
【０１１５】
Ｍ個のビットストリームにおける第１ビットストリームを変調することは、第１ビットストリームにおけるビットを変調することであることを理解されたい。
【０１１６】
任意に、Ｍ個のビットストリームにおける第１ビットストリームが直交振幅変調および／または位相シフト変調によって変調される場合、Ｎ個の符号化ビットブロックにおけるｉ番目の符号化ビットブロック（Ｅｎｃｏｄｅｄ  Ｂｉｔ  Ｂｌｏｃｋ、ＥＢ）ＥＢｉのサイズは、以下の式１によって取得されてよい。
［式１］
ＥＢｉ＝［時間−周波数リソースの総数量］×ｌｏｇ２（Ｘ）            
ここで、Ｘは第１ビットストリームに対して実行される変調の次数を表す。
【０１１７】
任意に、データ伝送が実行される際に、時間−周波数リソースの総数量が取得されている。
【０１１８】
任意に、第１ビットストリームに対して実行された変調の次数は、変調スキームが決定される際に取得されている。
【０１１９】
任意に、第１ビットストリームに対して実行された変調の次数は、４、１６、６４および２５６であってよい。
【０１２０】
例えば、図５に示されるように、サイズが１０７４４ビットである（すなわち、ＴＢＳが１０７４４ビットである）ＴＢの場合、ＴＢはそれぞれ、ＣＢ１およびＣＢ２の２つのＣＢに分割される。ＣＢ１のサイズは６０８０ビットであって、ＣＢ２のサイズは４７３６ビットである。式１に従って、ＣＢが符号化された後、ＥＢが取得される。この期間の間、時間−周波数リソースの総数量は１９２０である。ＥＢ１は、ＣＢ１が符号化された後に取得される。この場合、ＥＢ１に対して実行された変調の次数Ｘは２５６であって、ＥＢ１のサイズは１５３６０ビットである。ＥＢ２は、ＣＢ２が符号化された後に取得される。この場合、ＥＢ２に対して実行された変調の次数Ｘは６４であって、ＥＢ２のサイズは１１５２０ビットである。
【０１２１】
任意に、コードブックを用いてＭ個のビットストリームにおける第２ビットストリームに対して多次元変調が実行される。ここで、コードブックは、２つ以上のコードワードを有し、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０１２２】
任意に、第２ビットストリームはＭ個のビットストリームの一部であってよく、またはＭ個のビットストリームの全てであってよい。
【０１２３】
Ｍ個のビットストリームにおける第２ビットストリームを変調することは、第２ビットストリームにおけるビットを変調することであることを理解されたい。
【０１２４】
任意に、コードブックはスパース符号多元接続（Ｓｐａｒｓｅ  Ｃｏｄｅ  Ｍｕｌｔｉｐｌｅ  Ａｃｃｅｓｓ、ＳＣＭＡ）コードブックであってよい。
【０１２５】
ＳＣＭＡは、非直交多元接続技術である。当該技術において、複数の異なるデータストリームは同じリソースエレメントに対して（すなわち、複数の異なるデータストリームに対して同じリソースエレメントが用いられる）、コードブックを用いて伝送され、ここで、異なるコードブックが異なるデータストリームに対して用いられる。したがって、リソースの利用率が改善される。データストリームは、同じユーザ機器から来てよく、異なるユーザ機器から来てもよい。
【０１２６】
ＳＣＭＡにおいて用いられるコードブックは、２つ以上のコードワードのセットである。
【０１２７】
コードワードは、２次元以上の多次元複素ベクトルとして表されてよく、データと２つ以上の変調シンボルとの間のマッピング関係を表すために用いられる。変調シンボルは、少なくとも１つのゼロ変調シンボルおよび少なくとも１つの非ゼロ変調シンボルを含み、データは二進ビットデータまたは多変量データであってよい。
【０１２８】
コードブックは、２つ以上のコードワードを含み、コードワードは互いに異なってよい。コードブックは、特定の長さを有するデータの可能なデータ組み合わせとコードブック内のコードワードとの間のマッピング関係を表してよい。
【０１２９】
ＳＣＭＡに用いられるコードワードはある程度までスパース性を有してよい。例えば、コードワードにおけるゼロ要素の数量は、非ゼロ要素の数量以上であってよく、その結果、受信側はマルチユーザ検出技術を用いて、相対的に低複雑度で復号を実行することができる。ここで、上に列挙されたゼロ要素の数量と非ゼロ要素の数量との間の関係は、スパース性の説明の例に過ぎない。本発明はこれに限定されない。非ゼロ要素の数量に対するゼロ要素の数量の割合は、ランダムに設定されてよい。
【０１３０】
ＳＣＭＡ技術において、データストリームのデータは特定のマッピング関係によるコードブックのコードワード、すなわち、多次元複素ベクトルに直接マッピングされて、複数のリソースエレメントを介してデータの拡張した送信を実装する。ここでのデータは、二進ビットデータまたは多変量データであってよい。複数のリソースエレメントは、時間領域、周波数領域、空間領域、時間−周波数領域、時間−空間領域、または時間−周波数−空間領域におけるリソースエレメントであってよい。ＳＣＭＡは単なる名称であって、業界においてこの技術を表すために別の名称が代わりに用いられてよいことを理解されたい。
【０１３１】
任意に、コードブックを用いてＭ個のビットストリームにおける第２ビットストリームに対して多次元変調が実行される場合、Ｎ個の符号化ビットブロックにおけるｉ番目の符号化ビットブロックＥＢｉのサイズは、以下の式２によって取得されてよい。
［式２］
ＥＢｉ＝［時間−周波数リソースの総数量］／Ｆ×ｋ×ｌｏｇ２（Ｘ）    
ここで、Ｆは拡散率を表し、ｋは各符号化ビットブロックによって占有されるビットストリームの数量を表し、Ｘは、第２ビットストリームに対して実行された変調の次数を表す。
【０１３２】
任意に、データ伝送が実行される際に、時間−周波数リソースの総数量が取得されている。
【０１３３】
任意に、第２ビットストリームに対して実行された変調の次数は、変調スキームが決定される際に取得されている。
【０１３４】
任意に、拡散率ＦはＳＣＭＡ技術で用いられる最適化パラメータである。
【０１３５】
任意に、各符号化ビットブロックＥＢによって占有されるビットストリームの数量ｋは、ＥＢのマッピング関係に基づいて決定される。ＥＢは、連続的または疑似乱数的にマッピングされてよい。
【０１３６】
任意に、第２ビットストリームに対して実行される変調の次数Ｘは、ＳＣＭＡ変調次数であってよく、当該次数は、４、１６、６４、２５６であってよい。
【０１３７】
例えば、図６に示されるように、サイズが８０５６ビットである（すなわち、ＴＢＳが８０５６ビットである）ＴＢの場合、ＴＢはそれぞれ、ＣＢ１およびＣＢ２の２つのＣＢに分割される。ＣＢ１のサイズは５９５２ビットであって、ＣＢ２のサイズは２１７６ビットである。式２に従って、ＣＢが符号化された後、符号化ビットブロック（Ｅｎｃｏｄｅｄ  Ｂｉｔ、ＥＢ）が取得される。この期間の間、時間−周波数リソースの総数量は１９２０であって、拡散率Ｆは４であって、各符号化ビットブロックによって占有されるビットストリームの数量ｋは２である。ＥＢ１は、ＣＢ１が符号化された後に取得される。この場合、ＥＢ１に実行された変調の次数Ｘは２５６であって、ＥＢ１のサイズは７６８０ビットである。ＥＢ２は、ＣＢ２が符号化された後に取得される。この場合、ＥＢ２に対して実行された変調の次数Ｘは１６であって、ＥＢ２のサイズは３８４０ビットである。
【０１３８】
任意に、Ｎ個の符号化ビットブロックは、Ｍ個のビットストリームに疑似乱数的にマッピングされる。
【０１３９】
任意に、Ｎ個の符号化ビットブロックの各々が分割された後、Ｎ個の符号化ビットブロックは、Ｍ個のビットストリームうち少なくとも２つ疑似乱数的にマッピングされる。
【０１４０】
例えば、Ｍ個のビットストリームにおける第１ビットストリームが直交振幅変調および／または位相シフト変調によって変調される場合、図７に示されるように、サイズが８０５６ビット（すなわち、ＴＢＳが８０５６ビットである）ＴＢの場合、ＴＢはそれぞれ、ＣＢ１およびＣＢ２の２つのＣＢに分割される。ＣＢ１のサイズは５９５２ビットであって、ＣＢ２のサイズは２１７６ビットである。式１に従って、ＣＢが符号化された後、ＥＢが取得される。この期間の間、時間−周波数リソースの総数量は１９２０である。ＥＢ１は、ＣＢ１が符号化された後に取得される。この場合、ＥＢ１に対して実行された変調の次数Ｘは６４であって、ＥＢ１のサイズは１１５２０ビットである。ＥＢ２は、ＣＢ２が符号化された後に取得される。この場合、ＥＢ２に対して実行された変調の次数Ｘは１６であって、ＥＢ２のサイズは７６８０ビットである。ＥＢ１は、分割順序に従ってサブビットブロック１およびサブビットブロック２としてそれぞれ表示される２つのサブビットブロックに均等に分割され、サブビットブロック１およびサブビットブロック２はビットストリーム２およびビットストリーム１に対してランダムにマッピングされる。ＥＢ２は、分割順序に従ってサブビットブロック３およびサブビットブロック４としてそれぞれ表示される２つのサブビットブロックに均等に分割され、サブビットブロック３およびサブビットブロック４は、ビットストリーム１およびビットストリーム２に対してランダムにマッピングされる。ビットストリーム１のビットサイズは９６００ビットであって、ビットストリーム２のビットサイズは９６００ビットである。
【０１４１】
例えば、Ｍ個のビットストリームにおける第２ビットストリームに対して多次元変調が実行される場合、図８に示されるように、サイズが１０７４４ビットである（すなわち、ＴＢＳが１０７４４ビットである）ＴＢの場合、ＴＢはそれぞれ、ＣＢ１およびＣＢ２の２つのＣＢに不均等に分割される。ＣＢ１のサイズは６０８０ビットであって、ＣＢ２のサイズは４７３６ビットである。式２に従って、ＣＢが符号化された後、ＥＢが取得される。この期間の間、時間−周波数リソースの総数量は１９２０であって、拡散率Ｆは４であって、各符号化ビットブロックによって占有されるビットストリームの数量ｋは３である。ＥＢ１は、ＣＢ１が符号化された後に取得される。この場合、ＥＢ１に対して実行された変調の次数Ｘは２５６であって、ＥＢ１のサイズ１１５２０ビットである。ＥＢ２は、ＣＢ２が符号化された後に取得される。この場合、ＥＢ２に対して実行された変調の次数Ｘは２５６であって、ＥＢ２のサイズは１１５２０ビットである。ＥＢ１は、分割順序に従ってサブビットブロック１、サブビットブロック２およびサブビットブロック３としてそれぞれ表示される３つのサブビットブロックに均等に分割され、サブビットブロック１、サブビットブロック２およびサブビットブロック３はビットストリーム２、ビットストリーム３およびビットストリーム１にランダムにマッピングされるＥＢ２は、分割順序に従ってサブビットブロック４、サブビットブロック５およびサブビットブロック６としてそれぞれ表示される３つのサブビットブロックに均等に分割され、サブビットブロック４、サブビットブロック５およびサブビットブロック６は、ビットストリーム３、ビットストリーム１およびビットストリーム２にそれぞれマッピングされる。ビットストリーム１のビットサイズは７６８０ビットであって、ビットストリーム２のビットサイズは７６８０ビットであって、ビットストリーム３のビットサイズは７６８０ビットである。
【０１４２】
任意に、Ｎ個の符号化ビットブロックのうち少なくとも２つが結合された後に、Ｎ個の符号化ビットブロックは、Ｍ個のビットストリームうち少なくとも２つに疑似乱数的にマッピングされる。
【０１４３】
例えば、コードブックを用いて、Ｍ個のビットストリームにおける第２ビットストリームに対して多次元変調が実行される場合、図９に示されるように、サイズが１０７４４ビットである（すなわち、ＴＢＳが１０７４４ビットである）ＴＢの場合、ＴＢはそれぞれ、ＣＢ１、ＣＢ２、ＣＢ３およびＣＢ４の４つのＣＢに不均等に分割される。ＣＢ１のサイズは３０４８ビットであって、ＣＢ２のサイズは２６４０ビットであって、ＣＢ３のサイズは３６８４ビットであって、ＣＢ４のサイズは１４９２ビットである。式２に従って、ＣＢが符号化された後、ＥＢが取得される。この期間の間、時間−周波数リソースの総数量は１９２０であって、拡散率Ｆは４であって、各符号化ビットブロックによって占有されるビットストリームの数量ｋは３である。ＥＢ１は、ＣＢ１が符号化された後に取得される。この場合、ＥＢ１に対して実行された変調の次数Ｘは２５６であって、ＥＢ１のサイズ１１５２０ビットである。ＥＢ２は、ＣＢ２が符号化された後に取得される。この場合、ＥＢ２に対して実行された変調の次数Ｘは１６であって、ＥＢ２のサイズは５７６０ビットである。ＥＢ３は、ＣＢ３が符号化された後に取得される。この場合、ＥＢ３に対して実行された変調の次数Ｘは１６であって、ＥＢ３のサイズは５７６０ビットである。ＥＢ４は、ＣＢ４が符号化された後に取得される。この場合、ＥＢ４に対して実行された変調の次数Ｘは２５６であって、ＥＢ４のサイズは１１５２０ビットである。ＥＢ１およびＥＢ４は結合されてＥＢ５を取得し、ＥＢ５のサイズは２３０４０ビットである。ＥＢ２およびＥＢ３は結合されてＥＢ６を取得し、ＥＢ６のサイズは１１５２０ビットである。ＥＢ５は、分割順序に従ってサブビットブロック１、サブビットブロック２およびサブビットブロック３としてそれぞれ表示される３つのサブビットブロックに均等に分割され、サブビットブロック１、サブビットブロック２およびサブビットブロック３はビットストリーム２、ビットストリーム３およびビットストリーム１にそれぞれマッピングされるＥＢ６は、分割順序に従ってサブビットブロック４、サブビットブロック５およびサブビットブロック６としてそれぞれ表示される３つのサブビットブロックに均等に分割され、サブビットブロック４、サブビットブロック５およびサブビットブロック６は、ビットストリーム３、ビットストリーム１およびビットストリーム２にそれぞれマッピングされる。ビットストリーム１のビットサイズは１１５２０ビットであって、ビットストリーム２のビットサイズは１１５２０ビットであって、ビットストリーム３のビットサイズは１１５２０ビットである。
【０１４４】
任意に、Ｎ個のコードブロックは、Ｎ個の符号化ビットブロックの各々におけるビットの配置順序に従って、Ｍ個のビットストリームに連続的にマッピングされる。
【０１４５】
例えば、図１０に示されるように、サイズが８０５６ビットである（すなわち、ＴＢＳが８０５６ビットである）ＴＢの場合、ＴＢはそれぞれ、ＣＢ１およびＣＢ２の２つのＣＢに分割される。ＣＢ１のサイズは５９５２ビットであって、ＣＢ２のサイズは２１７６ビットである。式２に従って、ＣＢが符号化された後、ＥＢが取得される。この期間の間、時間−周波数リソースの総数量は１９２０であって、拡散率Ｆは４であって、各符号化ビットブロックによって占有されるビットストリームの数量ｋは２である。ＥＢ１は、ＣＢ１が符号化された後に取得される。この場合、ＥＢ１に対して実行された変調の次数Ｘは２５６であって、ＥＢ１のサイズ７６８０ビットである。ＥＢ２は、ＣＢ２が符号化された後に取得される。この場合、ＥＢ２に対して実行された変調の次数Ｘは１６であって、ＥＢ２のサイズは３８４０ビットである。ＥＢ１は、分割順序に従ってサブビットブロック１およびサブビットブロック２としてそれぞれ表示される２つのサブビットブロックに均等に分割され、サブビットブロック１およびサブビットブロック２はビットストリーム１およびビットストリーム２にそれぞれマッピングされる。ＥＢ２は、分割順序に従ってサブビットブロック３およびサブビットブロック４としてそれぞれ表示される２つのサブビットブロックに均等に分割され、サブビットブロック３およびサブビットブロック４は、ビットストリーム３およびビットストリーム４にそれぞれマッピングされる。ビットストリーム１のビットサイズは３８４０ビットであって、ビットストリーム２のビットサイズは３８４０ビットであって、ビットストリーム３のビットサイズは１９２０ビットであって、ビットストリーム４のビットサイズは１９２０ビットである。
【０１４６】
任意に、Ｎ個のコードブロックは、Ｎ個の符号化ビットブロックの配置順序に従って、Ｍ個のビットストリームに連続的にマッピングされる。
【０１４７】
例えば、図１１に示されるように、サイズが８０５６ビットである（すなわち、ＴＢＳが８０５６ビットである）ＴＢの場合、ＴＢはそれぞれ、ＣＢ１およびＣＢ２の２つのＣＢに分割される。ＣＢ１のサイズは５９５２ビットであって、ＣＢ２のサイズは２１７６ビットである。式２に従って、ＣＢが符号化された後、ＥＢが取得される。この期間の間、時間−周波数リソースの総数量は１９２０であって、拡散率Ｆは４であって、各符号化ビットブロックによって占有されるビットストリームの数量ｋは１である。ＥＢ１は、ＣＢ１が符号化された後に取得される。この場合、ＥＢ１に対して実行された変調の次数Ｘは２５６であって、ＥＢ１のサイズ３８４０ビットである。ＥＢ２は、ＣＢ２が符号化された後に取得される。この場合、ＥＢ２に対して実行された変調の次数Ｘは１６であって、ＥＢ２のサイズは１９２０ビットである。Ｎ個の符号化ビットブロックの配置順序に従って、ＥＢ１はビットストリーム１にマッピングされ、ＥＢ２はビットストリーム２にマッピングされる。ビットストリーム１のビットブロックサイズは３８４０ビットであって、ビットストリーム２のビットブロックサイズは１９２０ビットである。
【０１４８】
任意に、Ｎ個の符号化ビットブロックは、Ｍ個のビットストリームにランダムにマッピングされる。この場合、Ｍ＝Ｎである。
【０１４９】
例えば、図１２に示されるように、サイズが１０７４４ビットである（すなわち、ＴＢＳが１０７４４ビットである）ＴＢの場合、ＴＢはそれぞれ、ＣＢ１、ＣＢ２、ＣＢ３およびＣＢ４の４つのＣＢに不均等に分割される。ＣＢ１のサイズは３０４８ビットであって、ＣＢ２のサイズは２６４０ビットであって、ＣＢ３のサイズは３６８４ビットであって、ＣＢ４のサイズは１４９２ビットである。式２に従って、ＣＢが符号化された後、ＥＢが取得される。この期間の間、時間−周波数リソースの総数量は１９２０であって、拡散率Ｆは４であって、各符号化ビットブロックによって占有されるビットストリームの数量ｋは３である。ＥＢ１は、ＣＢ１が符号化された後に取得される。この場合、ＥＢ１に対して実行された変調の次数Ｘは２５６であって、ＥＢ１のサイズ１１５２０ビットである。ＥＢ２は、ＣＢ２が符号化された後に取得される。この場合、ＥＢ２に対して実行された変調の次数Ｘは１６であって、ＥＢ２のサイズは５７６０ビットである。ＥＢ３は、ＣＢ３が符号化された後に取得される。この場合、ＥＢ３に対して実行された変調の次数Ｘは１６であって、ＥＢ３のサイズは５７６０ビットである。ＥＢ４は、ＣＢ４が符号化された後に取得される。この場合、ＥＢ４に対して実行された変調の次数Ｘは２５６であって、ＥＢ４のサイズは１１５２０ビットである。ＥＢ１はビットストリーム３にマッピングされ、ＥＢ２はビットストリーム１にマッピングされ、ＥＢ３はビットストリーム４にマッピングされ、ＥＢ４はビットストリーム２にマッピングされる。
【０１５０】
任意に、Ｍ個のビットストリームが変調されてＭ個の伝送対象のシンボルストリームを取得する。Ｍ個の伝送対象のシンボルストリームにおける変調シンボルの数量は等しい。
【０１５１】
任意に、Ｍ個の伝送対象のシンボルストリームは重畳されて重畳シンボルストリームを取得する。
【０１５２】
例えば、図１３に示されるように、Ｍ個の伝送対象のシンボルストリームの各々は１０つのシンボルを含む。１番目の伝送対象のシンボルストリームにおけるシンボルは１ａ、２ａ、…、および１０ａとして表示され、２番目の伝送対象のシンボルストリームにおけるシンボルは１ｂ、２ｂ、…、および１０ｂとして表示され、Ｍ番目の伝送対象のシンボルストリームのシンボルは１Ｍ、２Ｍ、…、および１０Ｍとして表示され、重畳シンボルストリームにおけるシンボルは、１、２、…、および１０として表示される。１ａ、１ｂ…、および１Ｍが重畳されて重畳シンボル１を取得し、２ａ、２ｂ…、および２Ｍが重畳されて重畳シンボル２を取得し、１０ａ、１０ｂ…、および１０Ｍが重畳されて重畳シンボル１０を取得する。
【０１５３】
任意に、重畳シンボルストリームは新しいシンボルストリームであり、同じ時間領域リソース、周波数領域リソース、空間領域リソースおよび符号領域リソースを用いて、非直交伝送されてよい。
【０１５４】
したがって、本願のこの実施形態においては、非直交データ伝送の間に、伝送対象のブロックは完全に均等ではないサイズのＮ個のコードブロックに分割され、異なる誤り訂正能力を有する誤り訂正符号化がＮ個のコードブロックに対して実行され、その結果、全てのコードブロックの性能は異なり、受信側は、干渉除去方式でより容易にデータを徐々に復調でき、それによりアップリンク／ダウンリンクデータ伝送スループットが増大する。
【０１５５】
２０４において、時間領域、周波数領域、空間領域および符合領域のうち少なくとも１つの次元において同じリソースを用いて受信信号が取得される。
【０１５６】
２０５において、Ｎ個の符号化ビットブロックは、受信信号を復調することにより取得され、ここで、Ｎは２以上の整数である。
【０１５７】
任意に、受信信号を復調することによりＮ個の符号化ビットブロックを取得する段階は、受信信号を取得する段階であって、ここで、受信信号は重畳シンボルストリームを含む、取得する段階と、重畳シンボルストリームを均等に分割してＭ個のシンボルストリームを取得する段階であって、ここで、Ｍ個のシンボルストリームの全てに含まれるシンボルの数量は等しく、Ｍは１以上の整数である、分割する段階と、Ｍ個のシンボルストリームを復調してＭ個のビットストリームを取得する段階と、Ｍ個のビットストリームをデマッピングしてＮ個の符号化ビットブロックを取得する段階であって、ここで、Ｎは２以上の整数である、取得する段階とを含む。
【０１５８】
任意に、Ｍ個のビットストリームにおけるビットは疑似乱数的にデマッピングされ、Ｎ個の符号化ビットブロックを取得する。
【０１５９】
任意に、Ｍ個のビットストリームにおけるビットは連続的にデマッピングされ、Ｎ個の符号化ビットブロックを取得する。
【０１６０】
任意に、Ｍ個のビットストリームにおける符号化ビットブロックは、Ｍ個のビットストリームにおける符号化ビットブロックの配置順序に従って、Ｎ個の符号化ビットブロックに連続的にマッピングされる。
【０１６１】
任意に、Ｍ個のビットストリームにおけるビットは、Ｍ個のビットストリームにおけるビットの配置順序に従って、Ｎ個の符号化ビットブロックに連続的にマッピングされる。
【０１６２】
任意に、Ｍ個のシンボルストリームは、直交振幅復調および／または位相シフト復調によって復調され、Ｍ個のビットストリームを取得する。
【０１６３】
任意に、コードブックを用いてＭ個のシンボルストリームが復調されてＭ個のビットストリームを取得する。ここで、コードブックは、２つ以上のコードワードを有し、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０１６４】
任意に、Ｍ個のシンボルストリームの復調スキームは完全に同じではない。
【０１６５】
２０６において、Ｎ個の符号化ビットブロックに対して誤り訂正復号が実行され、完全に均等ではないサイズのＮ個のコードブロックを取得する。
【０１６６】
任意に、誤り訂正復号は、完全に同一ではないコードレートを用いて、Ｎ個の符号化ビットブロックに対して実行され、完全に同一ではないサイズのＮ個のコードブロックを取得する。
【０１６７】
任意に、誤り訂正復号は、ターボ符号、Ｐｏｌａｒ符号および低密度パリティ検査符号のうちいずれか１つの復号方式で実行される。
【０１６８】
２０７において、Ｎ個のコードブロックは結合されてトランスポートブロックを取得する。
【０１６９】
任意に、Ｎ個のコードブロックは完全に均等ではないサイズのコードブロックであってよい。
【０１７０】
したがって、本願のこの実施形態は、非直交データ伝送の間に、完全に同一ではないサイズのＮ個のコードブロックは復号によって取得され、その結果、データは干渉除去方式でより容易に復調され、それによりアップリンク／ダウンリンクデータ伝送スループットが増加する。
【０１７１】
図１４Ａおよび図１４Ｂは、本願の別の実施形態に係る非直交データ伝送方法３００の概略フローチャートである。図１４Ａおよび図１４Ｂに示されるように、方法３００は以下の内容を含む。
【０１７２】
段階３０１において、伝送対象のトランスポートブロックはＮ個のコードブロックに分割され、ここで、Ｎは２以上の整数である。
【０１７３】
任意に、Ｎ個のコードブロックは同一なサイズのコードブロックであってよく、完全に均等ではないサイズのコードブロックであってもよい。
【０１７４】
段階３０２において、誤り訂正符号化はＮ個のコードブロックに対して実行され、Ｎ個の符号化ビットブロックを取得する。
【０１７５】
任意に、Ｎ個のコードブロックが完全に均等ではないサイズのコードブロックである場合、完全に同一ではないコードレートを用いて、Ｎ個のコードブロックに対して誤り訂正符号化が実行され、Ｎ個の符号化ビットブロックを取得してよい。
【０１７６】
任意に、Ｎ個のコードブロックの各々に対して誤り訂正符号化が実行され、Ｎ個の符号化ビットブロックを取得する。ここで、誤り訂正符号化は、ターボ符号、Ｐｏｌａｒ符号および低密度パリティ検査符号のうちいずれか１つの符号化方式で実行される。
【０１７７】
任意に、誤り訂正符号化がＰｏｌａｒ符号化によってＮ個のコードブロックの各々に対して実行される場合、Ｎ個の符号化ビットブロックの各々のサイズは、２の累乗である。
【０１７８】
段階３０３において、Ｎ個の符号化ビットブロックは、Ｍ個のビットストリームに対して疑似乱数的にマッピングされ、ここで、Ｍは１以上の整数である。
【０１７９】
任意に、Ｎ個の符号化ビットブロックの各々が分割された後、Ｎ個の符号化ビットブロックは、Ｍ個のビットストリームうち少なくとも２つに疑似乱数的にマッピングされる。
【０１８０】
任意に、Ｎ個の符号化ビットブロックのうち少なくとも２つがを結合された後、Ｎ個の符号化ビットブロックは、Ｍ個のビットストリームうち少なくとも２つに疑似乱数的にマッピングされる。
【０１８１】
段階３０４において、Ｍ個のビットストリームが変調されてＭ個の伝送対象のシンボルストリームを取得する。ここで、Ｍ個の伝送対象のシンボルストリームの全てに含まれる変調シンボルの数量は等しい。
【０１８２】
任意に、Ｍ個のビットストリームにおける第１ビットストリームは直交振幅変調および／または位相シフト変調によって変調され、Ｍ個の伝送対象のシンボルストリームを取得する。
【０１８３】
任意に、Ｍ個のビットストリームにおける第１ビットストリームが直交振幅変調および／または位相シフト変調によって変調される場合、Ｎ個の符号化ビットブロックにおけるｉ番目の符号化ビットブロックＥＢｉのサイズは、以下の式１によって取得されてよい。
［式１］
ＥＢｉ＝［時間−周波数リソースの総数量］×ｌｏｇ２（Ｘ）
ここで、Ｘは第１ビットストリームに対して実行される変調の次数を表す。
【０１８４】
任意に、コードブックを用いてＭ個のビットストリームにおける第２ビットストリームに対して多次元変調が実行される。ここで、コードブックは、２つ以上のコードワードを有し、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０１８５】
任意に、コードブックを用いてＭ個のビットストリームにおける第２ビットストリームに対して多次元変調が実行される場合、Ｎ個の符号化ビットブロックにおけるｉ番目の符号化ビットブロックＥＢｉのサイズは、以下の式２によって取得されてよい。
［式２］
ＥＢｉ＝［時間−周波数リソースの総数量］／Ｆ×ｋ×ｌｏｇ２（Ｘ）
ここで、Ｆは拡散率を表し、ｋは各符号化ビットブロックによって占有されるビットストリームの数量を表し、Ｘは、第２ビットストリームに対して実行された変調の次数を表す。
【０１８６】
任意に、Ｎ個のコードブロックの変調スキームは完全に同じではない。
【０１８７】
段階３０５において、Ｍ個の伝送対象のシンボルストリームは重畳されて重畳シンボルストリームを取得する。
【０１８８】
段階３０６において、同じ時間領域リソース、周波数領域リソース、空間領域リソースおよび符号領域リソースを用いて、重畳シンボルストリームは非直交伝送される。
【０１８９】
したがって、本願のこの実施形態において、非直交データ伝送の間に、伝送対象のブロックはＮ個のコードブロックに分割され、Ｎ個の符号化ビットブロックはＭ個のビットストリームに疑似乱数的にマッピングされ、その結果、全てのビットストリームの性能は異なり、それによりアップリンク／ダウンリンクデータ伝送スループットが増大する。
【０１９０】
段階３０７において、重畳シンボルストリームが受信される。
【０１９１】
段階３０８において、重畳シンボルストリームが均等に分割されてＭ個のシンボルストリームを取得する。ここで、Ｍ個のシンボルストリーム全てに含まれるシンボルの数量は等しく、Ｍは１以上の整数である。
【０１９２】
段階３０９において、Ｍ個のシンボルストリームは復調されてＭ個のビットストリームを取得する。
【０１９３】
任意に、Ｍ個のシンボルストリームは、直交振幅復調および／または位相シフト復調によって復調され、Ｍ個のビットストリームを取得する。
【０１９４】
任意に、コードブックを用いてＭ個のシンボルストリームが復調されてＭ個のビットストリームを取得する。ここで、コードブックは、２つ以上のコードワードを有し、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０１９５】
任意に、Ｍ個のシンボルストリームの復調スキームは完全に同じではない。
【０１９６】
段階３１０において、Ｍ個のビットストリームがデマッピングされてＮ個の符号化ビットブロックを取得する。ここで、Ｎは２以上の整数である。
【０１９７】
任意に、Ｍ個のビットストリームにおけるビットは疑似乱数的にデマッピングされ、Ｎ個の符号化ビットブロックを取得する。
【０１９８】
段階３１１において、Ｎ個の符号化ビットブロックに対して誤り訂正復号が実行され、Ｎ個のコードブロックを取得する。
【０１９９】
任意に、Ｎ個の符号化ビットブロックに対して誤り訂正復号が実行され、Ｎ個のコードブロックを取得する。ここで、誤り訂正復号は、ターボ符号、Ｐｏｌａｒ符号および低密度パリティ検査符号のうちいずれか１つの復号方式で実行される。
【０２００】
段階３１２において、Ｎ個のコードブロックは結合されてトランスポートブロックを取得する。
【０２０１】
本願の別の実施形態に係る非直交データ伝送方法３００における各段階に対して、図２の方法２００における対応する段階を参照してよいことを理解されたい。簡潔さのために、詳細はここで再度説明しない。
【０２０２】
したがって、本願のこの実施形態において、非直交データ伝送の間に、異なる性能を有するビットストリームが取得され、その結果、データは干渉除去方式でより容易に復調され、それによりアップリンク／ダウンリンクデータ伝送スループットが増大する。
【０２０３】
図１５は、本願の実施形態に係る非直交データ伝送デバイス４００の概略ブロック図である。図１５に示されるように、デバイス４００は、伝送対象のトランスポートブロックを、完全に均等ではないサイズのＮ個のコードブロックに分割するように構成されている分割ユニットであって、ここで、Ｎは２以上の整数である、分割ユニット４１０と、Ｎ個のコードブロックに対して誤り訂正符号化を実行して、Ｎ個の符号化ビットブロックを取得するように構成されている符号化ユニット４２０と、時間領域、周波数領域、空間領域および符合領域のうち少なくとも１つの次元において同じリソースを用いて、Ｎ個の符号化ビットブロックを非直交伝送するように構成されている伝送ユニット４３０とを含む。
【０２０４】
任意に、伝送ユニット４３０は、Ｎ個の符号化ビットブロックをＭ個のビットストリームにマッピングすることであって、ここで、Ｍは１以上の整数である、マッピングすることと、Ｍ個のビットストリームを変調してＭ個の伝送対象のシンボルストリームを取得することであって、ここで、Ｍ個の伝送対象のシンボルストリームの全てに含まれる変調シンボルの数量は等しい、取得することと、Ｍ個の伝送対象のシンボルストリームを重畳して重畳シンボルストリームを取得することと、重畳シンボルストリームを非直交伝送することとを行うように具体的に構成されている。
【０２０５】
任意に、重畳シンボルストリームは、時間領域、周波数領域、空間領域および符合領域のうち少なくとも１つの次元において同じリソースを用いて非直交伝送される。
【０２０６】
任意に、伝送ユニット４３０は、Ｎ個の符号化ビットブロックをＭ個のビットストリームに疑似乱数的にマッピングするように具体的に構成されている。
【０２０７】
任意に、伝送ユニット４３０は、Ｎ個の符号化ビットブロックの各々が分割された後、Ｎ個の符号化ビットブロックをＭ個のビットストリームのうち少なくとも２つに疑似乱数的にマッピングする、または、Ｎ個の符号化ビットブロックのうち少なくとも２つが結合された後、Ｎ個の符号化ビットブロックをＭ個のビットストリームのうち少なくとも２つに疑似乱数的にマッピングするように具体的に構成されている。
【０２０８】
任意に、伝送ユニット４３０は、Ｎ個の符号化ビットブロックの配置順序および／またはＮ個の符号化ビットブロックの各々のビットの配置順序に従って、Ｎ個の符号化ビットブロックをＭ個のビットストリームに連続的にマッピングするように具体的に構成されている。
【０２０９】
任意に、伝送ユニット４３０は、Ｍ個のビットストリームにおける第１ビットストリームを、直交振幅変調および／または位相シフト変調によって変調して、Ｍ個の伝送対象のシンボルストリームを取得するように具体的に構成されている。
【０２１０】
任意に、伝送ユニット４３０は、Ｍ個のビットストリームにおける第２ビットストリームに対して、コードブックを用いて多次元変調を実行するように具体的に構成されている。ここで、コードブックは、２つ以上のコードワードを含み、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０２１１】
任意に、Ｎ個のコードブロックの変調スキームは完全に同じではない。
【０２１２】
任意に、符号化ユニット４２０は、完全に同一ではないコードレートを用いることにより、Ｎ個のコードブロックに対して誤り訂正符号化を実行して、Ｎ個の符号化ビットブロックを取得するように具体的に構成されている。
【０２１３】
任意に、符号化ユニット４２０は、誤り訂正符号化を、ターボ符号、Ｐｏｌａｒ符号および低密度パリティ検査符号のうちいずれか１つの符号化方式で実行する。
【０２１４】
本願のこの実施形態に係る非直交データ伝送デバイス４００のユニットの前述および他のオペレーションおよび／または機能は、図２の方法２００における伝送側の対応する手順を実装することを意図していることを理解されたい。簡潔さのために、詳細はここで再度説明しない。
【０２１５】
図１６は、本願の別の実施形態に係る非直交データ伝送デバイス５００の概略ブロック図である。図１６に示されるように、デバイス５００は、伝送対象のトランスポートブロックをＮ個のコードブロックに分割するように構成された分割ユニットであって、ここで、Ｎは２以上の整数である、分割ユニット５１０と、Ｎ個のコードブロックに誤り訂正符号化を実行してＮ個の符号化ビットブロックを取得するように構成されている符号化ユニット５２０と、Ｎ個の符号化ビットブロックを、Ｍ個のビットストリームに対して疑似乱数的にマッピングするように構成されているマッピングユニットであって、ここで、Ｍは１以上の整数である、マッピングユニット５３０と、Ｍ個のビットストリームを変調してＭ個の伝送対象のシンボルストリームを取得するように構成されている変調ユニットであって、ここで、Ｍ個の伝送対象のシンボルストリームの全てに含まれる変調シンボルの数量は等しい、変調ユニット５４０と、Ｍ個の伝送対象のシンボルストリームを重畳させて重畳シンボルストリームを取得するように構成されているシンボルストリーム処理ユニット５５０と、同じ時間領域リソース、周波数領域リソース、空間領域リソースおよび符号領域リソースを用いて、重畳シンボルストリームを非直交伝送するように構成されている伝送ユニット５６０とを含む。
【０２１６】
任意に、マッピングユニット５３０は、Ｎ個の符号化ビットブロックの各々が分割された後、Ｎ個の符号化ビットブロックをＭ個のビットストリームのうち少なくとも２つに疑似乱数的にマッピングし、または、Ｎ個の符号化ビットブロックのうち少なくとも２つが結合された後、Ｎ個の符号化ビットブロックをＭ個のビットストリームのうち少なくとも２つに対して疑似乱数的にマッピングするように具体的に構成されている。
【０２１７】
任意に、変調ユニット５４０は、Ｍ個のビットストリームにおける第１ビットストリームを、直交振幅変調および／または位相シフト変調によって変調して、Ｍ個の伝送対象のシンボルストリームを取得するように具体的に構成されている。
【０２１８】
任意に、Ｍ個のビットストリームにおける第１ビットストリームが直交振幅変調および／または位相シフト変調によって変調される場合、Ｎ個の符号化ビットブロックにおけるｉ番目の符号化ビットブロックＥＢｉのサイズは、以下の式１によって取得されてよい。
［式１］
ＥＢｉ＝［時間−周波数リソースの総数量］×ｌｏｇ２（Ｘ）
ここで、Ｘは第１ビットストリームに対して実行される変調の次数を表す。
【０２１９】
任意に、変調ユニット５４０は、Ｍ個のビットストリームにおける第２ビットストリームに対して、コードブックを用いて多次元変調を実行ように具体的に構成されている。ここで、コードブックは、２つ以上のコードワードを含み、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０２２０】
任意に、コードブックを用いてＭ個のビットストリームにおける第２ビットストリームに対して多次元変調が実行される場合、Ｎ個の符号化ビットブロックにおけるｉ番目の符号化ビットブロックＥＢｉのサイズは、以下の式２によって取得されてよい。
［式２］
ＥＢｉ＝［時間−周波数リソースの総数量］／Ｆ×ｋ×ｌｏｇ２（Ｘ）
ここで、Ｆは拡散率を表し、ｋは各符号化ビットブロックによって占有されるビットストリームの数量を表し、Ｘは、第２ビットストリームに対して実行された変調の次数を表す。
【０２２１】
任意に、Ｎ個のコードブロックの変調スキームは完全に同じではない。
【０２２２】
任意に、符号化ユニット５２０は、完全に同一ではないコードレートを用いることにより、Ｎ個のコードブロックに対して誤り訂正符号化を実行して、Ｎ個の符号化ビットブロックを取得するように具体的に構成されている。
【０２２３】
任意に、符号化ユニット５２０は、Ｎ個のコードブロックの各々に対して誤り訂正符号化を実行してＮ個の符号化ビットブロックを取得するように具体的に構成されている。ここで、誤り訂正符号化は、ターボ符号、Ｐｏｌａｒ符号および低密度パリティ検査符号のうちいずれか１つの符号化方式で実行される。
【０２２４】
本願のこの実施形態に係る非直交データ伝送デバイス５００のユニットの前述および他のオペレーションおよび／または機能は、図１４Ａおよび図１４Ｂの方法３００における伝送側の対応する手順を実装することを意図していることを理解されたい。簡潔さのために、詳細はここで再度説明しない。
【０２２５】
図１７は、本願の実施形態に係るデータ伝送デバイス６００の概略ブロック図である。図１７に示されるように、デバイス６００は、時間領域、周波数領域、空間領域および符合領域のうち少なくとも１つの次元において同じリソースを用いて受信信号を取得するように構成されている取得ユニット６１０と、受信信号を復調することによりＮ個の符号化ビットブロックを取得するように構成されている処理ユニット６２０であって、ここで、Ｎは２以上の整数である、処理ユニット６２０と、Ｎ個の符号化ビットブロックに対して誤り訂正復号を実行して、完全に同一ではないサイズのＮ個のコードブロックを取得するように構成されている復号ユニット６３０と、Ｎ個のコードブロックを結合してトランスポートブロックを取得するように構成されている結合ユニット６４０とを含む。
【０２２６】
任意に、処理ユニット６２０は、
受信信号を取得することであって、ここで、受信信号は重畳シンボルストリームを含む、取得することと、重畳シンボルストリームを均等に分割してＭ個のシンボルストリームを取得することであって、ここで、Ｍ個のシンボルストリームの全てに含まれるシンボルの数量は等しく、Ｍは１以上の整数である、取得することと、Ｍ個のシンボルストリームを復調してＭ個のビットストリームを取得することと、Ｍ個のビットストリームをデマッピングしてＮ個の符号化ビットブロックを取得することであって、ここで、Ｎは２以上の整数である、取得することとを行うように構成されている。
【０２２７】
任意に、処理ユニット６２０は、Ｍ個のビットストリームにおけるビットを疑似乱数的にデマッピングしてＮ個の符号化ビットブロックを取得するように構成されている。
【０２２８】
任意に、処理ユニット６２０は、Ｍ個のビットストリームにおけるビットを連続的にデマッピングしてＮ個の符号化ビットブロックを取得するように構成されている。
【０２２９】
任意に、処理ユニット６２０は、Ｍ個のシンボルストリームを、直交振幅復調および／または位相シフト復調によって復調し、Ｍ個のビットストリームを取得するように構成されている。
【０２３０】
任意に、処理ユニット６２０は、コードブックを用いてＭ個のシンボルストリームを復調してＭ個のビットストリームを取得するように構成されている。ここで、コードブックは、２つ以上のコードワードを含み、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０２３１】
任意に、Ｍ個のシンボルストリームの復調スキームは完全に同じではない。
【０２３２】
任意に、復号ユニット６３０は、完全に同一ではないコードレートを用いることのより、Ｎ個のコードブロックに対して誤り訂正復号を実行して、完全に同一ではないサイズのＮ個のコードブロックを取得するように構成されている。
【０２３３】
任意に、復号ユニット６３０は、誤り訂正復号を、ターボ符号、Ｐｏｌａｒ符号および低密度パリティ検査符号のうちいずれか１つの復号方式で実行する。
【０２３４】
本願のこの実施形態に係る非直交データ伝送デバイス６００のユニットの前述および他のオペレーションおよび／または機能は、図２の方法２００における受信側の対応する手順を実装することを意図していることを理解されたい。簡潔さのために、詳細はここで再度説明しない。
【０２３５】
図１８は、本願の実施形態に係るデータ伝送デバイス７００の概略ブロック図である。図１８に示されるように、デバイス７００は、重畳シンボルストリームを受信するように構成されている受信ユニット７１０と、重畳シンボルストリームを均等に分割してＭ個のシンボルストリームを取得するように構成されたシンボルストリーム処理ユニット７２０であって、ここで、Ｍ個のシンボルストリームの全てに含まれるシンボルの数量は等しく、Ｍは１以上の整数である、シンボルストリーム処理ユニット７２０と、Ｍ個のシンボルストリームを復調してＭ個のビットストリームを取得するように構成されている復調ユニット７３０と、Ｍ個のビットストリームをデマッピングしてＮ個の符号化ビットブロックを取得するように構成されたデマッピングユニット７４０であって、ここで、Ｎは２以上の整数である、デマッピングユニット７４０と、Ｎ個の符号化ビットブロックに対して誤り訂正復号を実行してＮ個のコードブロックを取得するように構成されている復号ユニット７５０と、Ｎ個のコードブロックを結合してトランスポートブロックを取得するように構成されている結合ユニット７６０とを含む。
【０２３６】
任意に、デマッピングユニット７４０は、Ｍ個のビットストリームにおけるビットを疑似乱数的にデマッピングしてＮ個の符号化ビットブロックを取得するように構成されている。
【０２３７】
任意に、デマッピングユニット７４０は、Ｍ個のビットストリームにおけるビットを連続的にデマッピングしてＮ個の符号化ビットブロックを取得するように構成されている。
【０２３８】
任意に、復調ユニット７３０は、Ｍ個のシンボルストリームを、直交振幅復調および／または位相シフト復調によって復調し、Ｍ個のビットストリームを取得するように構成されている。
【０２３９】
任意に、復調ユニット７３０は、コードブックを用いてＭ個のシンボルストリームを復調してＭ個のビットストリームを取得するように構成されている。ここで、コードブックは、２つ以上のコードワードを含み、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する。
【０２４０】
任意に、Ｍ個のシンボルストリームの復調スキームは完全に同じではない。
【０２４１】
任意に、復号ユニット７５０は、Ｎ個の符号化ビットブロックに対して誤り訂正復号を実行し、Ｎ個のコードブロックを取得するように構成されている。ここで、誤り訂正復号は、ターボ符号、Ｐｏｌａｒ符号および低密度パリティ検査符号のうちいずれか１つの復号方式で実行される。
【０２４２】
本願のこの実施形態に係る非直交データ伝送デバイス７００のユニットの前述および他のオペレーションおよび／または機能は、図１４Ａおよび図１４Ｂの方法３００における受信側の対応する手順を実装することを意図していることを理解されたい。簡潔さのために、詳細はここで再度説明しない。
【０２４３】
図１９は、本願の実施形態に係る通信装置８００の概略ブロック図である。通信装置８００は、プログラムコードを記憶するように構成されているメモリ８１０と、別のデバイスと通信するように構成されているトランシーバ８２０と、メモリ８１０のプログラムコードを実行するように構成されているプロセッサ８３０とを含む。
【０２４４】
任意に、コードが実行される場合、プロセッサ８３０は、伝送側デバイスにより実行される処理を方法２００で実装できる。簡潔さのために、詳細はここで再度説明しない。この場合、通信装置８００は端末デバイスまたはネットワークデバイスであってよい。トランシーバ８２０は、プロセッサ８３０の制御下で、特定の信号送受信を実行するように構成されている。
【０２４５】
任意に、コードが実行される場合、プロセッサ８３０は、伝送側デバイスにより実行される処理を方法３００で実装できる。簡潔さのために、詳細はここで再度説明しない。この場合、通信装置８００は端末デバイスまたはネットワークデバイスであってよい。
【０２４６】
任意に、コードが実行される場合、プロセッサ８３０は、受信側デバイスにより実行される処理を方法２００で実装できる。簡潔さのために、詳細はここで再度説明しない。この場合、通信装置８００は端末デバイスまたはネットワークデバイスであってよい。トランシーバ８２０は、プロセッサ８３０の制御下で、特定信号送受信を実行するように構成されている。
【０２４７】
任意に、コードが実行される場合、プロセッサ８３０は、受信側デバイスにより実行される処理を方法３００で実装できる。簡潔さのために、詳細はここで再度説明しない。この場合、通信装置８００は端末デバイスまたはネットワークデバイスであってよい。
【０２４８】
本願のこの実施形態において、プロセッサ８３０は中央演算処理装置（Ｃｅｎｔｒａｌ  Ｐｒｏｃｅｓｓｉｎｇ  Ｕｎｉｔ、ＣＰＵ）であってよく、またはプロセッサ８３０は別の汎用プロセッサ、デジタル信号プロセッサ（ＤＳＰ）、特定用途向け集積回路（ＡＳＩＣ）、フィールドプログラマブルゲートアレイ（ＦＰＧＡ）、または別のプログラマブル論理デバイス、ディスクリートゲートまたはトランジスタ論理デバイス、ディスクリートハードウェアコンポーネントなどであってよいことを理解されたい。汎用プロセッサは、マイクロプロセッサであってよく、またはプロセッサは、任意の従来のプロセッサなどであってよい。
【０２４９】
メモリ８１０は、リードオンリメモリおよびランダムアクセスメモリを含んでよく、命令およびデータをプロセッサ８３０に提供してよい。メモリ８１０の一部は、不揮発性ランダムアクセスメモリをさらに含んでよい。例えば、メモリ８１０はさらに、デバイスタイプの情報を記憶し得る。
【０２５０】
トランシーバ８２０は、周波数変調および復調機能、またはアップコンバージョンおよびダウンコンバージョン機能などの、信号伝送および受信機能を実装するように構成されてよい。
【０２５１】
実装処理において、前述の方法のうち少なくとも１つの段階は、プロセッサ８３０内のハードウェアの集積論理回路を用いて実装されてよく、少なくとも１つの段階はソフトウェア命令の制御下で集積論理回路を用いて実装されてよい。したがって、通信装置８００はチップまたはチップセットであってよい。本願の実施形態に関連して開示された方法の段階は、ハードウェアプロセッサにより直接実行されてよく、プロセッサのハードウェアおよびソフトウェアモジュールの組み合わせを用いて実行されてよい。ソフトウェアモジュールは、ランダムアクセスメモリ、フラッシュメモリ、リードオンリメモリ、プログラマブルリードオンリメモリ、電気的消去可能プログラマブルメモリ、またはレジスタなどの、本技術分野において確立した記憶媒体に配置されてよい。記憶媒体はメモリに配置されてよく、プロセッサ８３０はメモリ内の情報を読み取り、プロセッサのハードウェアと組み合わせて前述の方法の段階を完了させる。繰り返しを避けるために、詳細はここで再度説明しない。
【０２５２】
前述の処理におけるシーケンス番号は、本願の様々な実施形態における実行順序を意味するものではないことを理解されたい。処理の実行順序は、処理の機能および内部論理に基づいて決定されるべきであり、本願の実施形態の実装処理に対する何らかの限定と見なされるべきではない。本発明のさらなる実施形態が、以下に提供される。以下のセクションに用いられる付番は、以前のセクションにおいて用いられている付番に必ずしも従う必要があるわけではないことを留意されたい。
実施形態１．伝送対象のトランスポートブロックを完全に均等ではないサイズのＮ個のコードブロックに分割する段階であって、Ｎは２以上の整数である、段階と、
Ｎ個のコードブロックに対して誤り訂正符号化を実行してＮ個の符号化ビットブロックを取得する段階と、
時間領域、周波数領域、空間領域および符合領域のうち少なくとも１つの次元において同じリソースを用いてＮ個の符号化ビットブロックを非直交伝送する段階と
を含む非直交データ伝送方法。
実施形態２．Ｎ個の符号化ビットブロックを非直交伝送する段階は、
Ｎ個の符号化ビットブロックをＭ個のビットストリームにマッピングする段階であって、Ｍは１以上の整数である、マッピングする段階と、
Ｍ個のビットストリームを変調してＭ個の伝送対象のシンボルストリームを取得する段階であって、Ｍ個の伝送対象のシンボルストリームの全てに含まれる変調シンボルの数量は等しい、変調する段階と、
Ｍ個の伝送対象のシンボルストリームを重畳させて重畳シンボルストリームを取得する段階と、
重畳シンボルストリームを非直交伝送する段階とを含む、実施形態１に記載の方法。
実施形態３．Ｎ個の符号化ビットブロックをＭ個のビットストリームにマッピングする段階は、
Ｎ個の符号化ビットブロックをＭ個のビットストリームに疑似乱数的にマッピングする段階を含む、実施形態２に記載の方法。
実施形態４．Ｎ個の符号化ビットブロックをＭ個のビットストリームに疑似乱数的にマッピングする段階は、
Ｎ個の符号化ビットブロックの各々が分割された後、Ｎ個の符号化ビットブロックの各々をＭ個のビットストリームのうち少なくとも２つに疑似乱数的にマッピングする段階、または、
Ｎ個の符号化ビットブロックのうち少なくとも２つが結合された後、Ｎ個の符号化ビットブロックをＭ個のビットストリームのうち少なくとも２つに疑似乱数的にマッピングする段階を含む、実施形態３に記載の方法。
実施形態５．Ｎ個の符号化ビットブロックをＭ個のビットストリームにマッピングする段階は、
Ｎ個の符号化ビットブロックの配置順序および／またはＮ個の符号化ビットブロックの各々のビットの配置順序に従ってＮ個の符号化ビットブロックをＭ個のビットストリームに連続的にマッピングする段階を含む、実施形態２に記載の方法。
実施形態６．Ｍ個のビットストリームを変調してＭ個の伝送対象のシンボルストリームを取得する段階は、
Ｍ個のビットストリームにおける第１ビットストリームを、直交振幅変調および／または位相シフト変調によって変調して、Ｍ個の伝送対象のシンボルストリームを取得する段階を含む、実施形態２から５のいずれか１つに記載の方法。
実施形態７．Ｍ個のビットストリームを変調してＭ個の伝送対象のシンボルストリームを取得する段階は、
コードブックを用いてＭ個のビットストリームにおける第２ビットストリームに対して多次元変調を実行する段階を含み、ここで、コードブックは、２つ以上のコードワードで構成され、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを含む、実施形態２から５のいずれか１つに記載の方法。
実施形態８．Ｎ個のコードブロックの変調スキームは完全に同一ではない、実施形態２から７のいずれか１つに記載の方法。
実施形態９．Ｎ個のコードブロックに対して誤り訂正符号化を実行してＮ個の符号化ビットブロックを取得する段階は、
完全に同一ではないコードレートを用いて、Ｎ個のコードブロックに対して誤り訂正符号化を実行して、Ｎ個の符号化ビットブロックを取得する段階を含む、実施形態１から８のいずれか１つに記載の方法。
実施形態１０．時間領域、周波数領域、空間領域および符合領域のうち少なくとも１つの次元において同じリソースを用いて受信信号を取得する段階と、
受信信号を復調することによりＮ個の符号化ビットブロックを取得する段階であって、Ｎは２以上の整数である、取得する段階と、
Ｎ個の符号化ビットブロックに対して誤り訂正復号を実行して、完全に同一ではないサイズのＮ個のコードブロックを取得する、実行する段階と、
Ｎ個のコードブロックを結合してトランスポートブロックを取得する段階と
を含む非直交データ伝送方法。
実施形態１１．受信信号を復調することによりＮ個の符号化ビットブロックを取得する段階は、
受信信号を取得する段階であって、受信信号は重畳シンボルストリームを含む、取得する段階と、
重畳シンボルストリームを均等に分割してＭ個のシンボルストリームを取得する段階であって、Ｍ個のシンボルストリームの全てに含まれるシンボルの数量は等しく、Ｍは１以上の整数である、分割する段階と、
Ｍ個のシンボルストリームを復調してＭ個のビットストリームを取得する段階と、
Ｍ個のビットストリームをデマッピングしてＮ個の符号化ビットブロックを取得する段階であって、Ｎは２以上の整数である、取得する段階と
を含む実施形態１０に記載の方法。
実施形態１２．Ｍ個のビットストリームをデマッピングしてＮ個の符号化ビットブロックを取得する段階は、
Ｍ個のビットストリームにおけるビットを疑似乱数的にデマッピングしてＮ個の符号化ビットブロックを取得する段階、または、
Ｍ個のビットストリームにおけるビットを連続的にデマッピングしてＮ個の符号化ビットブロックを取得する段階を含む、実施形態１１に記載の方法。
実施形態１３．Ｍ個のシンボルストリームを復調してＭ個のビットストリームを取得する段階は、
直交振幅復調および／または位相シフト復調によってＭ個のシンボルストリームを復調して、Ｍ個のビットストリームを取得する段階を含む、実施形態１１または１２に記載の方法。
実施形態１４．Ｍ個のシンボルストリームを復調してＭ個のビットストリームを取得する段階は、
コードブックを用いてＭ個のシンボルストリームを復調してＭ個のビットストリームを取得する段階を含み、ここで、コードブックは２つ以上のコードワードで構成され、コードワードは多次元複素ベクトルであって、データと少なくとも２つの変調シンボルとの間のマッピング関係を表すために用いられ、少なくとも２つの変調シンボルは少なくとも１つのゼロ変調シンボルおよび少なくとも１つの非ゼロ変調シンボルを有する、実施形態１１または１２に記載の方法。
実施形態１５．Ｍ個のシンボルストリームの復調スキームは完全に同一ではない、実施形態１１から１４のいずれか１つに記載の方法。
実施形態１６．誤り訂正復号は、完全に同一ではないコードレートを用いて、Ｎ個の符号化ビットブロックに対して実行され、完全に同一ではないサイズのＮ個のコードブロックを取得する、実施形態１０から１５のいずれか１つに記載の方法。
実施形態１７．伝送対象のトランスポートブロックを、完全に均等ではないサイズのＮ個のコードブロックに分割するように構成されている分割ユニットであって、Ｎは２以上の整数である、分割ユニットと、
Ｎ個のコードブロックに対して誤り訂正符号化を実行して、Ｎ個の符号化ビットブロックを取得するように構成されている符号化ユニットと、
時間領域、周波数領域、空間領域および符合領域のうち少なくとも１つの次元において同じリソースを用いて、Ｎ個の符号化ビットブロックを非直交伝送するように構成されている伝送ユニットと
を含む非直交データ伝送デバイス。
実施形態１８．伝送ユニットは、Ｎ個の符号化ビットブロックをＭ個のビットストリームにマッピングすることであって、Ｍは１以上の整数である、マッピングすることと、
Ｍ個のビットストリームを変調してＭ個の伝送対象のシンボルストリームを取得することであって、Ｍ個の伝送対象のシンボルストリームの全てに含まれる変調シンボルの数量は等しい、取得することと、
Ｍ個の伝送対象のシンボルストリームを重畳させて重畳シンボルストリームを取得することと、
重畳シンボルストリームを非直交伝送することとを行うように具体的に構成されている、実施形態１７に記載のデバイス。
実施形態１９．伝送ユニットは、Ｎ個の符号化ビットブロックをＭ個のビットストリームに疑似乱数的にマッピングするように具体的に構成されている、実施形態１８に記載のデバイス。
実施形態２０．伝送ユニットは、
Ｎ個の符号化ビットブロックの各々が分割された後、Ｎ個の符号化ビットブロックをＭ個のビットストリームのうち少なくとも２つに疑似乱数的にマッピングすること、または、
Ｎ個の符号化ビットブロックのうち少なくとも２つが結合された後、Ｎ個の符号化ビットブロックをＭ個のビットストリームのうち少なくとも２つに疑似乱数的にマッピングすることを行うように具体的に構成されている、実施形態１９に記載のデバイス。
実施形態２１．伝送ユニットは、
Ｎ個の符号化ビットブロックの配置順序および／またはＮ個の符号化ビットブロックの各々のビットの配置順序に従って、Ｎ個の符号化ビットブロックをＭ個のビットストリームに連続的にマッピングするように具体的に構成されている、実施形態１８に記載のデバイス。
実施形態２２．伝送ユニットは、
Ｍ個のビットストリームにおける第１ビットストリームを、直交振幅変調および／または位相シフト変調によって変調して、Ｍ個の伝送対象のシンボルストリームを取得するように具体的に構成されている、実施形態１８から２１のいずれか１つに記載のデバイス。
実施形態２３．伝送ユニットは、
Ｍ個のビットストリームにおける第２ビットストリームに対して、コードブックを用いて多次元変調を実行するように具体的に構成されている。ここで、コードブックは、２つ以上のコードワードで構成され、コードワードは多次元複素ベクトルであって、データと少なくとも２つの変調シンボルとの間のマッピング関係を表すために用いられ、少なくとも２つの変調シンボルは、少なくとも１つのゼロ変調シンボルおよび少なくとも１つの非ゼロ変調シンボルを有する、実施形態１８から２１のいずれか１つに記載のデバイス。
実施形態２４．Ｎ個のコードブロックの変調スキームは完全に同一ではない、実施形態１８から２３のいずれか１つに記載のデバイス。
実施形態２５．符号化ユニットは、
完全に同一ではないコードレートを用いることにより、Ｎ個のコードブロックに対して誤り訂正符号化を実行して、Ｎ個の符号化ビットブロックを取得するように具体的に構成されている、実施形態１７から２４のいずれか１つに記載のデバイス。
実施形態２６．時間領域、周波数領域、空間領域および符合領域のうち少なくとも１つの次元において同じリソースを用いて受信信号を取得するように構成されている取得ユニットであって、受信信号は重畳シンボルストリームを含む、取得ユニットと、
受信信号を復調することによりＮ個の符号化ビットブロックを取得するように構成されている処理ユニットであって、Ｎは２以上の整数である、処理ユニットと、
Ｎ個の符号化ビットブロックに対して誤り訂正復号を実行して、完全に均等ではないサイズのＮ個のコードブロックを取得するように構成されている復号ユニットと、
Ｎ個のコードブロックを結合してトランスポートブロックを取得するように構成されている結合ユニットとを含む、非直交データ伝送デバイス。
実施形態２７．処理ユニットは、
受信信号内の重畳シンボルストリームを取得することと、重畳シンボルストリームを均等に分割してＭ個のシンボルストリームを取得することであって、Ｍ個のシンボルストリームの全てに含まれるシンボルの数量は等しく、Ｍは１以上の整数である、取得することと、Ｍ個のシンボルストリームを復調してＭ個のビットストリームを取得することと、Ｍ個のビットストリームをデマッピングしてＮ個の符号化ビットブロックを取得することであって、Ｎは２以上の整数である、取得することを行うように具体的に構成されている、実施形態２６に記載のデバイス。実施形態２８．処理ユニットは、
Ｍ個のビットストリームにおけるビットを疑似乱数的にデマッピングしてＮ個の符号化ビットブロックを取得する、または、
Ｍ個のビットストリームにおけるビットを連続的にデマッピングしてＮ個の符号化ビットブロックを取得するように具体的に構成されている、実施形態２７に記載のデバイス。
実施形態２９．処理ユニットは、
Ｍ個のシンボルストリームを、直交振幅復調および／または位相シフト復調によって復調し、Ｍ個のビットストリームを取得するように具体的に構成されている、実施形態２７または２８に記載のデバイス。
実施形態３０．処理ユニットは、
コードブックを用いてＭ個のシンボルストリームを復調してＭ個のビットストリームを取得するように具体的に構成され、コードブックは２つ以上のコードワードで構成され、コードワードは多次元複素ベクトルであって、データと少なくとも２つの変調シンボルとの間のマッピング関係を表すために用いられ、少なくとも２つの変調シンボルは少なくとも１つのゼロ変調シンボルおよび少なくとも１つの非ゼロ変調シンボルを有する、実施形態２７または２８に記載のデバイス。
実施形態３１．Ｍ個のシンボルストリームの復調スキームは完全に同一ではない、実施形態２７から３０のいずれか１つによるデバイス。
実施形態３２．復号ユニットは、
完全に同一ではないコードレートを用いることにより、Ｎ個のコードブロックに対して誤り訂正復号を実行して、完全に同一ではないサイズのＮ個のコードブロックを取得するように具体的に構成されている、実施形態２６から３１のいずれか１つに記載のデバイス。
【０２５３】
説明の簡便さと簡潔さのために、前述のシステム、装置およびユニットの詳細な動作プロセスについては、前述の方法の実施形態における該当するプロセスを参照し、詳細はここで再度説明しないことは、当業者にはっきり理解されるであろう。
【０２５４】
本願において提供されるいくつかの実施形態では、開示されるシステム、装置、及び方法が他の方式で実装されてもよいことを理解されたい。例えば、説明された装置の実施形態は、単なる例に過ぎない。例えば、ユニットの分割は単に論理的な機能分割に過ぎず、実際に実装する際には他の分割であってもよい。例えば、複数のユニットまたはコンポーネントが結合されても、または別のシステムに統合されてもよい。あるいは、いくつかの特徴が無視されても、または実行されなくてもよい。さらに、表示または説明された相互結合、もしくは直接結合または通信接続は、いくつかのインタフェースを用いて実現されてよい。装置間またはユニット間の、間接連結または通信接続は、電気的形態、機械的形態、または他の形態で実装されてよい。
【０２５５】
前述の説明は、単に本願の具体的な実装にすぎず、本願の保護範囲を限定することを意図するものではない。本願において開示された技術的範囲内で、当業者により容易に考え出される任意の変形または置換が本願の保護範囲に含まれるものとする。したがって、本願の保護範囲は、特許請求の範囲の保護範囲に従うものとする。
【国際調査報告】
2020503758.tif 000023
2020503758.tif 000024
2020503758.tif 000025
2020503758.tif 000026